(57)【要約】大きい経済のモデルを実行するコンピュータシステム 特許のマクロ経済学のデータ，および相対価値特徴データに基づく （１）財産およびサービス，および（２）利益のための名目価値を決めるｓは，特許の権利によってカバーされる販売，すなわち利益の予言された価値に基づく特許あるいは財産およびサービスを評価する（べき）収入価値理論が特許によってカバーした道具によって生みだした，特許出願からの特許の用語，発表，および発行が始まることを決定して特許データから特許譲り受け人を決めて，そして傾向対期間を決めるために会社の特許，特許発行データおよび用語日データの価値を使うで：会社の実施できる特許の数；会社の特許の数は，行われていた； 純利益，および品物の名目価値，およびそれを売られたサービスは，会社の特許によってカバーされる；会社の合計の名目価値は，コンピュータシステムのユーザーに分析の結果を提供して，会社，地域，と経済のセクターの間にそれらの傾向の比較を特許をとって提供する．コンピュータシステムは，加入者，取り引きしているプログラムを作られた債券，および投資家の功績とすることによって電子の説明している模型の権能を付与する新しい支払いを可能にするユーザー・データベースを使う．【選択図】図１
2004500617.tif 000002
【特許請求の範囲】
【請求項１】
コンピュータによって実行される方法において：
マクロ経済データ（ＭＥＤ）を含む変数の関数として特許のカバーフラクション（ＣＦ）の値を定義する式に基づいて、前記特許に関する前記ＣＦの値を決定するステップ；および、
前記値に基づいて前記特許に関する指標を表示するステップ；
を含む前記方法。
【請求項２】
前記ＭＥＤは、マクロ経済指標（ＭＥＩ）に関する値であることを特徴とする請求項１記載の方法。
【請求項３】
前記ＭＥＤは、経済のセクタによって生成されるＭＥＩの部分に関する値であることを特徴とする請求項１記載の方法。
【請求項４】
前記決定するステップは、前記ＭＥＤを実質的にすべての特許に関するＣＦの値の合計に等しいとする式において、前記特許に関する前記ＣＦの前記値について解くことを含む請求項１記載の方法。
【請求項５】
前記ＭＥＤは、経済のセクタによって生成されるＭＥＩの部分に関する値であり、前記決定するステップは、前記ＭＥＤを前記セクタに関連付けされた実質的にすべての特許に関する前記ＣＦの値の合計に等しいとする式において、前記特許に関する前記ＣＦの前記値について解くことを含む請求項１記載の方法。
【請求項６】
前記決定するステップは、前記ＭＥＩに関連付けされた実質的にすべての特許のそれぞれに関して相対価値数を決定することを含む請求項１記載の方法。
【請求項７】
前記相対価値数は、前記特許に固有の、少なくとも１つの特性の測定値であることを特徴とする請求項６記載の方法。
【請求項８】
前記少なくとも１つの特性は、独立クレームの長さであることを特徴とする請求項７記載の方法。
【請求項９】
前記少なくとも１つの特性は、独立クレームの数であることを特徴とする請求項７記載の方法。
【請求項１０】
前記少なくとも１つの特性は、前記特許のセクションの長さの程度であることを特徴とする請求項７記載の方法。
【請求項１１】
前記少なくとも１つの特性は、クレームのクラス数であることを特徴とする請求項７記載の方法。
【請求項１２】
前記少なくとも１つの特性は、クレームの数であることを特徴とする請求項７記載の方法。
【請求項１３】
前記ＭＥＤは、経済のセクタによって生成されるＭＥＩの部分に関する値であり、前記決定するステップは、前記セクタに関連付けされた実質的にすべての特許のそれぞれに関する相対価値数を決定することを含む請求項１記載の方法。
【請求項１４】
前記決定するステップは、前記ＭＥＤを実質的にすべての特許に関する相対価値数の合計の定数倍に等しいとする式において、前記特許に関する前記ＣＦの前記値について解くことを含む請求項１記載の方法。
【請求項１５】
前記ＭＥＤは、経済のセクタによって生成されるＭＥＩの部分に関する値であり、前記決定するステップは、前記ＭＥＤを前記セクタに関連付けされた実質的にすべての特許に関する相対価値数の合計の定数倍に等しいとする式において、前記特許に関する前記ＣＦの前記値について解くことを含む請求項１記載の方法。
【請求項１６】
さらに、前記特許を経済のセクタに関連付けするステップを含む請求項１記載の方法。
【請求項１７】
さらに、前記特許に関する少なくとも１つの特許分類を少なくとも１つの産業コードに対応付けすることによって、前記特許を経済のセクタに関連付けするステップを含む請求項１記載の方法。
【請求項１８】
さらに、前記特許に関連付けされた少なくとも１つの特許分類を定義する単語の、産業分類コードを定義する単語に対する相関をランク付けすることによって、前記特許を経済のセクタに関連付けするステップを含む請求項１記載の方法。
【請求項１９】
前記ＭＥＩは、所定期間にわたって作り出された物およびサービスの測定値であることを特徴とする請求項１記載の方法。
【請求項２０】
前記ＭＥＩは、所定期間にわたってもたらされた収益の測定値であることを特徴とする請求項１記載の方法。
【請求項２１】
さらに、前記特許に関する前記ＣＦの前記値に部分的に基づいて前記特許に関する評価を決定するステップ；および、
前記特許の前記評価に基づいて指標を表示するステップ；
を含む請求項１記載の方法。
【請求項２２】
請求項２１の方法そこで，前記評価は，収入評価理論に基づく．
【請求項２３】
請求項２２の方法そこで，前記評価は，内部収益率に基づく．
【請求項２４】
２２が前記特許の包含している実施できる命を決めることを進めるという主張の方法．
【請求項２５】
１つの前記特許のための評価を決めることのそれ以上のステップを包含することが前記ＣＦの前記価値で部分で基礎としてなぜなら特許と言ったという主張の方法；および
指示が前記特許のための前記評価に基づかせた展示すること．
【請求項２６】
特許の書類かばんにとって評価を決めることのステップを包含するのがそれ以上の請求項２１の方法 含んでいる前記特許；および
前記書類かばんのための指示が前記評価に基づかせた展示すること．
【請求項２７】
請求項１の方法そこで，前記均衡は，ＭＣＦを含めて変数の機能として前記特許の前記ＣＦの前記価値を限定する．
【請求項２８】
請求項２７の方法そこで，前記ＭＣＦは，資金合計への無形物の比率および収益から総売上高の比率の１つに等しい価値を持っている．
【請求項２９】
請求項１の方法そこで，前記均衡は，異なる特許のために相対的な特許番号を含めて変数の機能として前記特許の前記ＣＦの前記価値を限定する．
【請求項３０】
請求項１の方法そこで，前記均衡は，他の特許の複数のために相対価値番号を含めて変数の機能として前記特許の前記ＣＦの前記価値を限定する．
【請求項３１】
コンピュータシステム，包含すること：
前記特許のためにＭＥＤ，前記ＣＦの前記価値を含めて変数の機能として特許のＣＦの価値を限定する均衡に基づく，決心するための方法 ；および
前記特許のための指示が前記価値に基づかせた展示するための方法．
【請求項３２】
請求項３１のシステムそこで，前記ＭＥＤは，ＭＥＩにとって価値だ．
【請求項３３】
請求項３１のシステムそこで，前記ＭＥＤは，節約のセクターによって生みだされるＭＥＩの一部分のための価値だ．
【請求項３４】
請求項３１のシステムそこで，本質的にすべての特許のために前記ＭＥＤを前記ＣＦの合計価値と同等視する均衡で前記特許のために前記ＣＦの前記価値にとって解いている包含することを決めるための前記方法．
【請求項３５】
請求項３１のシステムそこで，前記ＭＥＤは，ＭＥＩの一部分のための価値が節約のセクターによって生みだしたということだ，本質的にすべての特許のために前記ＭＥＤを前記ＣＦの合計価値と同等視する均衡で前記特許のために前記ＣＦの前記価値のために解くための包含している方法を決めるための前記方法が交際したで言う扇形に分割する．
【請求項３６】
請求項３１のシステムそこで，決心するための前記方法は，それぞれの本質的にすべての特許のための相対価値番号が前記ＭＥＩに関連したことを決定するための方法を包含する．
【請求項３７】
請求項３６のシステムそこで，前記相対価値番号は，前記特許に特徴的であって固有である最低ものの測定だ．
【請求項３８】
請求項３７のシステムそこで，特徴的な最低ものが独立している請求項の１長さだと言った．
【請求項３９】
請求項３７のシステムそこで，特徴的な最低ものが多くの独立している要求だと言った．
【請求項４０】
請求項３７のシステムそこで，特徴的な最低ものが前記特許の部分の１長さの測定だと言った．
【請求項４１】
請求項３７のシステムそこで，特徴的な最低ものが多くのクラスの要求だと言った．
【請求項４２】
請求項３７のシステムそこで，特徴的な最低ものが多くの要求だと言った．
【請求項４３】
請求項３１のシステムそこで，前記ＭＥＤは価値で，なぜなら，ＭＥＩの一部分は，節約のセクターによって生みだして，そして決心するための方法がそれぞれの本質的にすべての特許のための相対価値番号が前記セクターに関連したことを決定するための方法を包含すると言った．
【請求項４４】
請求項３１のシステムそこで，決心するための方法が解くことを包含すると言ってなぜなら本質的にすべての特許のために前記ＭＥＤを合計相対価値が数えられるたえまない時と同等視する均衡で前記特許のために前記ＣＦの価値と言った．
【請求項４５】
請求項３１のシステムそこで，前記ＭＥＤは，ＭＥＩの一部分のための価値が節約のセクターによって生みだしたということだ，および決心するための方法が解くことを包含すると言ってなぜなら本質的にすべての特許のために前記ＭＥＤを合計相対価値が数えられるたえまない時と同等視する均衡で前記特許のために前記ＣＦの価値と言った交際するで言う扇形に分割する．
【請求項４６】
３１が包含することを進めるという主張のシステムは，前記特許で経済のセクターを連想するために意味する．
【請求項４７】
３１のそれ以上の包含することが最低１つの工業のコードにとって前記特許で最低１に一致すること特許分類による経済のセクターを連想するためであって，なぜなら言われる特許の意味を持つという主張のシステム．
【請求項４８】
３１のそれ以上の包含することが特許分類を最低１に限定して単語の相互関係を並べることによって前記特許で経済のセクターを連想することに与えるつもりの要求のシステムは，業種別分類コードを定義する単語への前記特許に関連した．
【請求項４９】
請求項３１のシステムそこで，前記ＭＥＩは，品物の測定，および一定期間の間生じられたサービスだ．
【請求項５０】
請求項３１のシステムそこで，前記ＭＥＩは，収益の測定が一定期間の間製造したということだ．
【請求項５１】
３１のそれ以上の包含することが前記特許のために前記ＣＦの前記価値で一部分で前記特許のための評価が基礎としたことを決定するために意味するという主張のシステム；および
指示が前記特許のための前記評価に基づかせた展示するための方法．
【請求項５２】
請求項５１のシステムそこで，前記評価は，収入評価理論に基づく．
【請求項５３】
請求項５２のシステムそこで，前記評価は，内部収益率に基づく．
【請求項５４】
５２のそれ以上の包含することが前記特許の実施できる命を決めることに与えるつもりの請求項のシステム．
【請求項５５】
３１のそれ以上の包含することが前記特許のために前記ＣＦの前記価値で一部分で前記特許のための評価が基礎としたことを決定するために意味するという主張のシステム；および
指示が前記特許のための前記評価に基づかせた展示するための方法．
【請求項５６】
３１のそれ以上の包含することが特許の書類かばんのための評価を決めることに与えるつもりの要求のシステム 含んでいる前記特許；および
前記書類かばんのための指示が前記評価に基づかせた展示するための方法．
【請求項５７】
請求項３１のシステムそこで，前記均衡は，ＭＣＦを含めて変数の機能として前記特許の前記ＣＦの前記価値を限定する．
【請求項５８】
請求項５７のシステムそこで，前記ＭＣＦは，資金合計への無形物の比率および収益から総売上高の比率の１つに等しい価値を持っている．
【請求項５９】
請求項３１のシステムそこで，前記均衡は，異なる特許のために相対的な特許番号を含めて変数の機能として前記特許の前記ＣＦの前記価値を限定する．
【請求項６０】
請求項３１のシステムそこで，前記均衡は，他の特許の複数のために相対価値番号を含めて変数の機能として前記特許の前記ＣＦの前記価値を限定する．
【請求項６１】
コンピュータがステップを包含する方法を実行した，：
含んで合図を送ること 特許のＣＦの価値のための指示 前記価値は，ＭＥＤを含めて変数の機能として特許のＣＦの価値を限定する均衡に基づいて決心した．
【請求項６２】
コンピュータがステップを包含する方法を実行した，：
実施できる特許の１／１数が最初の期間で実体によって所有したことを決定すること；
実施できる特許の１／２数が第２の期間で前記実体によって所有したことを決定すること；および
指示が（１）前記最初の期間の前記最初の数および（２）前記第２の期間の前記秒番号に基づかせた展示すること．
【請求項６３】
コンピュータがステップを包含する方法を実行した，：
特許の最初の評価が最初の期間で実体によって所有したことを決定すること；
特許の第２の評価が第２の期間で実体によって所有したことを決定すること；および
指示が（１）前記最初の期間の前記最初の評価および（２）前記第２の期間の前記第２の評価に基づかせた展示すること．
【請求項６４】
コンピュータがステップを包含する方法を実行した，：
特許の最初のＣＦが最初の期間で実体によって所有したことを決定すること；
特許の第２のＣＦが第２の期間で実体によって所有したことを決定すること；および 指示が（１）前記最初の期間の前記最初のＣＦおよび（２）前記第２の期間の前記第２のＣＦに基づかせた展示すること．
【請求項６５】
コンピュータがステップを包含する方法を実行した，：
特許の１／１数が最初の期間期間の間に実体によって得たことを決定すること；
特許の１／２数が第２の期間期間の間に前記実体によって得たことを決定すること；および
指示が（１）前記最初の数，および前記最初の期間期間，および（２）前記秒番号，および前記第２の期間期間に基づかせた展示すること．
【請求項６６】
コンピュータがステップを包含する方法を実行した，：
推定するから かなり多くの実施できる特許は，未来の期間の未来番号より前の様々な期間の実体によって所有した；および
指示が前記未来番号，および前記未来の期間に基づかせた展示すること．
【請求項６７】
コンピュータがステップを包含する方法を実行した，：
前記実体の未来の期間の未来のＣＦより前の様々な期間で実体のＣＦから推定している；および
指示が前記未来のＣＦ，および前記未来の期間に基づかせた展示すること．
【請求項６８】
コンピュータがステップを包含する方法を実行した，：
実施できる特許の評価からの推定することは，未来の期間の未来の評価より前の様々な期間の実体によって所有した；および
指示が前記未来の評価，および前記未来の期間に基づかせた展示すること．
【請求項６９】
コンピュータがステップを包含する方法を実行した，：
かなり多くの実施できる特許からの推定することは，未来の期間の未来番号より前の様々な期間の実体によって所有した；および
指示が前記未来番号，および前記未来の期間に基づかせた展示すること．
【請求項７０】
コンピュータがステップを包含する方法を実行した，：
推定するから ＣＦが未来の期間と評価する前記実体の未来より前の様々な期間の実体のＣＦのための価値；および
指示が前記実体の未来のＣＦに基づかせた展示することは，未来の期間と評価して言った．
【請求項７１】
コンピュータがステップを包含する方法を実行した，：
実体のために最低１つのＨＰＦ，ＣＰＦ，およびＦＰＦ比率を決めること；および
断固とした比率を表すおよびひとつの同一視する，実体．
【請求項７２】
コンピュータがステップを包含する方法を実行した，：
実体のために最低１つのＨＰ，ＣＰ，およびＦＰＳ比率を決めること；および
断固とした比率を表すおよびひとつの同一視する，実体．
【請求項７３】
コンピュータがステップを包含する方法を実行した，：
人口統計学の特許価値を決めて，合計特許のために，地理学の地域，経済のセクター，の会議１以上の基準は，分類，および譲り受け人に特許権を与える；および
会っている言われた人口統計学の特許価値に基づかせられた展示することは，１以上の基準と言った．
【請求項７４】
コンピュータがステップを包含する方法を実行した，：
節約のそれで特許が始まって終わるデートの相手にみんなを兼ねてそれぞれの本質的にすべての特許にとって実施できる決意をさせること，および前記節約の経済のセクター；
前記日に基礎とされて，前記セクター，および前記節約の１つに多くの実施できる特許を決めること；および
指示が前記数で部分では少なくとも基礎としたことを示すこと．
【請求項７５】
データベース，包含している前記データベース：
記録の複数，そこで
それぞれの記録は，特許のＩＤ，および前記特許の要求の１長さの測定をしまっておく．
【請求項７６】
データベース，包含している前記データベース：
記録の複数，そこで
それぞれの記録は，特許のＩＤ，および最低１つの前記特許に固有の相対価値特徴の測定をしまっておく．
【請求項７７】
請求項７５のデータベースそこで，前記特許に固有の前記相対価値特徴は，前記特許のデータ・フィールドの（１）長さの単位のセットのメンバーだ，（２）データの参加の数は，前記特許，および（３）で守備につく独立の数は主張する．
【請求項７８】
請求項７５のデータベースそこで，それぞれは，日，実施できる期末日，相対価値番号，およびＣＦを始めて記録がより遠く実施できる用語のセットのメンバーを蓄えると言った．
【請求項７９】
コンピュータがステップを包含する方法を実行した，：
決心していて，ＭＥＤ，前記ＣＦの前記価値を含めて変数の機能として特許のＣＦの価値を限定する均衡に基づいて，なぜなら言われる特許 ；および
助言して合図を生みだすこと，あるいは前記価値で少なくとも一部分で基礎とされた金融取引を実行することを教えること．
【請求項８０】
コンピュータがステップを包含する方法を実行した，；
価値が特許データに基づかせた決心すること；および
前記価値によっては金融取引を実行するために指示を送ること．
【請求項８１】
コンピュータがステップを包含して，方法を実行した，：
前記ユーザー，財政上の商事会社のためのインターネット・アドレスへのリンクを含む前記ファイル，のユーザーのアドレスに特許である最低ものの間特許価値情報を含むファイルを送ること，およびＩＤが（１）のうち１つの前記ユーザーのＩＤをまた含むリンクと言ったおよび（２）持ち主のＩＤ，特許である最低ものは，言った．
【請求項８２】
コンピュータがステップを包含して，方法を実行した，：
示している職業のユーザー情報が確立する（べき）ユーザーは，最低１つの毎年の総収入，およびネットワーク組織価値を包含する投資家地位を功績とした，そして，最低１つのビジネス所有権，投資することに歴史，コースを費やす株式市場，がライセンスを与える鼓舞投資知識，および少なくとも１金融機関でどちら言うユーザー維持するひとつの金融勘定のために少なくとも１，金およびセキュリティ，そして，前記アカウントへのアクセスのための権限付与；
前記ユーザーから受領して，最低１つの毎年の総収入，およびデータ相当のネットワーク組織，および最低１つのビジネス所有権，投資することに歴史，コースを費やす株式市場，は，投資知識データを示す職業でライセンスを与える；
前記金融機関に前記アカウントにおける機敏な財政上の情報を伝えること； および
資格を得ることは，公認の投資家がデータの部分では少なくとも基礎としたユーザーが前記ユーザーから，および前記金融機関から受領したと言った．
【請求項８３】
前記ユーザーから受領の８１のそれ以上のステップを包含することを要求するために一致する方法ひとつの同一視する，前記ユーザーから受け取られたデータと一緒に前記ユーザーから受け取られたデータの立証のために前記第三者にきっかけを送って，１／３は楽しむ；および
公認の投資家がデータの部分では少なくとも基礎とした前記投資家が前記第三者から受け取った資格を得ること．
【請求項８４】
包含している製品：
信号の含むこと 特許のＣＦの価値の指示 前記価値は，ＭＥＤを含めて変数の機能として特許のＣＦの価値を限定する均衡に基づいて決心した．
【請求項８５】
包含している製品：
そうすることをコンピュータを教える情報を含む合図 特許のための指示が前記ＣＦの前記特許の，前記価値のＣＦの価値に基づかせたディスプレイ ＭＥＤを含めて変数の機能としてＣＦを限定する均衡に基づく．
【請求項８６】
請求項８６の製品そこで，前記指示は，前記特許の前記ＣＦの前記価値を含む．
【請求項８７】
請求項８６の製品そこで，前記指示は，前記特許の評価を含む．
【請求項８８】
請求項８６の製品そこで，前記指示は，前記特許を所有して会社の評価を含む．
【請求項８９】
請求項８６の製品そこで，前記合図はＥメールだ．
【請求項９０】
請求項８６の製品そこで，前記合図は，ウェブページだ．
【請求項９１】
包含している製品：
信号の含むこと 会社によって所有されて， ＣＦの価値の指示が最低１の間特許をとる前記価値は，ＭＥＤを含めて変数の機能として特許のＣＦの価値を限定する均衡に基づいて決心した．
【請求項９２】
包含している製品：
限定している均衡に基づかせられた前記会社，前記ＣＦの前記価値によって特許であって所有された最低ものの間会社のための指示がＣＦの価値に基づかせたコンピュータに表示するように指示する情報を含む合図ＣＦとしてひとつの機能，変数を含むひとつのＭＥＤ．
【請求項９３】
請求項９３の製品そこで，前記ＣＦは，前記会社によって所有された特許の複数に基づく．
【請求項９４】
請求項９３の製品そこで指示が前記ＣＦの前記価値を含むと言う，特許である最低ものは，言った．
【請求項９５】
請求項９３の製品そこで，前記会社によって所有されて，前記指示は，特許の複数の評価を含む．
【請求項９６】
請求項９３の製品そこで，前記指示は，前記会社の評価を含む．
【請求項９７】
請求項９３の製品そこで，前記合図はＥメールだ．
【請求項９８】
請求項９３の製品そこで，前記合図は，ウェブページだ．
【請求項９９】
包含している製品：
ディスプレイ， 特許のＣＦの価値の指示 前記価値は，ＭＥＤを含めて変数の機能として特許のＣＦの価値を限定する均衡に基づいて決心した．
【請求項１００】
請求項１００の製品そこで，前記ディスプレイは，前記変数の１つの間（１）のうち最低１つの前記均衡，（２）最低１つの前記変数，および（３）最低１価値の指示をまた含む
【請求項１０１】
包含している製品：
特許のための指示のディスプレイは，前記特許のＣＦの価値で基礎としたと，ＭＥＤを含めて変数の機能としてＣＦを限定する均衡に基づかせられた前記ＣＦの価値は言った．
【請求項１０２】
請求項１０２の製品そこで，前記指示は，前記特許の前記ＣＦの前記価値を含む．
【請求項１０３】
請求項１０２の製品そこで，前記指示は，前記特許の評価を含む．
【請求項１０４】
請求項１０２の製品そこで，前記指示は，前記特許を所有して会社の評価を含む．
【請求項１０５】
請求項１０２の製品そこで，前記ディスプレイは，モニター画面ディスプレイだ．
【請求項１０６】
請求項１０２の製品そこで，前記ディスプレイは，印刷されたディスプレイだ．
【請求項１０７】
包含している製品：
含んでいるディスプレイ 会社によって所有されて， ＣＦの価値の指示が最低１の間特許をとる前記価値は，ＭＥＤを含めて変数の機能として特許のＣＦの価値を限定する均衡に基づいて決心した．
【請求項１０８】
包含している製品：
ＭＥＤを含めて変数の機能としてＣＦを限定する均衡に基づかせられた前記会社，前記ＣＦの前記価値によって特許であって所有された最低ものの間ＣＦの価値に基づかせられた会社のための指示を含むディスプレイ．
【請求項１０９】
請求項１０９の製品そこで，前記ＣＦは，前記会社によって所有された特許の複数に基づく．
【請求項１１０】
請求項１０９の製品そこで指示が前記ＣＦの前記価値を含むと言う，特許である最低ものは，言った．
【請求項１１１】
請求項１０９の製品そこで，前記会社によって所有されて，前記指示は，特許の複数の評価を含む．
【請求項１１２】
請求項１０９の製品そこで，前記指示は，前記会社の評価を含む．
【請求項１１３】
請求項１０９の製品そこで，前記ディスプレイは，モニター画面だ ディスプレイ．
【請求項１１４】
請求項１０９の製品そこで，前記ディスプレイ 印刷されたディスプレイだ．
【請求項１１５】
請求項１０９の製品そこで，前記ディスプレイは，グラフィックを最低１に含む．
【請求項１１６】
請求項１０９の製品そこで，前記ディスプレイは，チャートを最低１に含む．
【請求項１１７】
請求項１０９の製品そこで，前記 指示は含む 特許のためのＣＦのための価値は，前記会社対期間までに所有した．
【請求項１１８】
請求項１０９の製品そこで，前記指示は，前記会社対期間までに所有された特許のために評価を含む．
【請求項１１９】
請求項１０９の製品そこで，前記指示は，前記会社対期間の財政上の評価に前記会社によって所有された特許のための１つのＣＦ，および前記会社によって所有された特許のための評価の比率を含む．
【発明の詳細な説明】
【０００１】
【発明の属する技術分野】
本発明は、財産を評価するためのシステムおよび方法に関し、より詳細を述べれば、特許を評価するためのシステムおよび方法に関する。
【０００２】
【従来の技術】
特許は資産である。特許を付与しているほとんどすべての国においては、特許が、その財産権を定義するクレームを有している。特許クレームは、クレームによって定義されているすべてのステップもしくは要素が、技術の創作もしくは使用において存在すれば、ある技術をカバーする。特許権者は、その特許のクレームによってカバーされる技術に関して、他者を排除する権利を有する。特許は、重要な経済を有する世界中のすべての国において付与されている。
【０００３】
特許条約も、いくつか存在する。パリ条約（「ＰＣ」）は、１つの国における特許に関する出願のための優先権を、ほかのいずれかのＰＣ加盟国において以前に出願された同一発明に関する特許出願に基づいて規定する条約である。特許協力条約（「ＰＣＴ」）は、単一のＰＣＴ出願を同時に、すべてのＰＣＴ加盟国に対して実質的に出願するメカニズムを規定する。ヨーロッパ特許条約（「ＥＰＣ」）は、ＥＰＣ加盟国におけるヨーロッパ特許の単一の出願、審査、および発行について規定する条約である。ＥＰＣに類似の効果をもたらすものとして、ＡＲＩＰＡ、ＯＡＰＩおよびその他の多国間特許条約が挙げられる。それぞれの特許には、特許を実施できる期間を示す日付（その国内優先日、出願日、パリ条約の日、発行日、およびターミナルディスクレーマ（ｔｅｒｍｉｎａｌ ｄｉｓｃｌａｉｍｅｒ）の日）、クレーム、および明細書、発明者、所有者、分類、特許権の付与または維持において適用される調査のレベル（たとえば、付与に先行して調査された引例の数、および特許に関係する追加の手続きの有無）、および特許に関する追加の情報が含まれている。
【０００４】
特許は、技術分野によって分類される。世界的にみれば、米国特許分類システム、すなわちＵＳＰＣＳ、および国際特許分類システム、すなわちＩＰＣＳという２つの分類協定が使用されている。
【０００５】
経済は、米国、カナダ、ヨーロッパ連合もしくは当該共同体の任意の構成国等の管轄体によって定義される。国内総生産（「ＧＤＰ」）は、経済全体によって作り出されるすべての物およびサービスの指標である。ＧＤＰは、国際的に使用されている１つの経済の経済活動を測定するための尺度である。経済全体に関する経済活動を表すそのほかの指標としては、総法人収益、純法人収益、および合計の領収または販売データがある。経済全体に関する経済活動の指標は、マクロ経済指標、すなわちＭＥＩ（ｍａｃｒｏ ｅｃｏｎｏｍｉｃ ｉｎｄｉｃａｔｏｒ）である。ＭＥＩは、通常単位時間当たりのドルを単位として表される。これらの指標は、一般に月、四半期、または年を単位として測定される。ＧＤＰ評価等のマクロ経済指標データは、すべての国に関して存在する。たとえば、ＵＲＬ　ｗｗｗ．ｏｄｃｉ．ｇｏｖ／ｃｉａ／ｐｕｂｌｉｃａｔｉｏｎｓ／ｆａｃｔｂｏｏｋ／ｃｏｕｎｔｒｙ．ｈｔｍｌ　にあるＣＩＡの１９９８年版ＷＯＲＬＤ　ＦＡＣＴ　ＢＯＯＫ（ワールド・ファクト・ブック）を参照されたい。
【０００６】
経済は、セクタによって分類される。セクタは、産業と呼ばれることもある。セクタは、１組のあらかじめ定義された性質を有する物および／またはサービスを作り出す経済の部分である。たとえば、医療デバイス、医薬、および通信サービスは、３つの明確に区別されるマーケット・セクタを定義する。各マーケット・セクタは、サブ‐セクタ、サブ‐サブ‐セクタ等々に分けることができる。セクタの定義には、いくつかの協定がある。その１つがＳｔａｎｄａｒｄ　Ｉｎｄｕｓｔｒｉａｌ　Ｃｏｄｅｓ（標準業界コード）すなわちＳＩＣであるが、現在はＮｏｒｔｈ　Ａｍｅｒｉｃａｎ　Ｉｎｄｕｓｔｒｙ　Ｃｌａｓｓｉｆｉｃａｔｉｏｎ　Ｓｙｓｔｅｍ（北米業界分類システム）すなわちＮＡＩＣＳに置き換えられている。一部の会社は、独自のセクタの取り決めを開発し、世界経済のカテゴリ分類を行っている。
【０００７】
経済の各セクタは、１つの経済に関するいずれかのＭＥＩの値の一部を占める物およびサービスを生み出す。たとえば、経済の医療デバイスのクタにおいて提供される物およびサービスは、米国のＧＤＰの一部を占める。経済のセクタによって生成されるＭＥＩに関する値、もしくはＭＥＩの一部に関する値を、ここではマクロ経済データ、すなわちＭＥＤ（ｍａｃｒｏ ｅｃｏｎｏｍｉｃ ｄａｔａ）と定義する。ＭＥＤもまた公に存在し、たとえば前述のウェブ・サイト　ｗｗｗ．ｏｄｃｉ．ｇｏｖ　において利用することができる。
【０００８】
評価は，特定の時間で財産の未来を受け取るのが支払う義務がある金の一括払いが得をするということを意味する決算期だ．鑑定人，Ｗａｓｈｉｎｇｔｏｎ，ＤＣの米国社会によってＨｅｎｒｙ Ａ． Ｂａｂｃｏｃｋ，ＦＡＳＡ，評価原則，および手順，６章，ｐ．９５，が出版したのを見よ．
資産を評価するための３つの一般に受け入れられた説明している説がある：費用，収入，および市価説．原価価値説は，財産を返済する原価によって財産を評価する．収入価値説は，ネットワーク組織の価値が財産の経済的利益を予期したプレゼントまでに財産を評価する．市価説は，活動的な大衆相場におけるよく似た財産によるとみなされた現在の価値として財産を評価する．Ｓｍｉｔｈ ｅｔアル．「知的な財産，および無形資産の評価」，がＪｏｈｎ Ｗｉｌｅｙ ＆ Ｓｏｎｓ， Ｉｎｃ．，Ｎｅｗ Ｙｏｒｋ， ＮＹ，ｃｏｐｙｒｉｇｈｔ １９９４，ＩＳＢＮ ０−４７１−３０４１２−３，によって公表されるのを見るのためにひとつの徹底的に，これらの評価説の討論は，特許，登録商標，著作権，および他の無形資産に適用された．スミスｅｔアル．原価，収入，および市説に基づく使っている伝統的な分析を明らかにして特許を評価せよ．Ｓｍｉｔｈ ｅｔアルによって明らかにされた分析．収入を示すセールスのデータといった，経済のデータが製品の販売から引き出したマイクロが特許によってカバーしたことが必要であれ（収入説），特許（収入説）に免許を与えることから生じている収益，あるいは類似の買う原価を示すデータがそこに関係があることの特許をとるその特許の存在分析する（市説）．
（ＵＲＬ ｗｗｗ．ｉｐ．ｃｏｍ／ｉｐＦｒｏｎｔｌｉｎｅのインターネットで入手可能な）Ｊｏｎａｔｈａｎ Ｄ． Ｐｕｔｎａｍによる記事「特許書類かばん評価の経済学」は，会社がそれらの特許のそれぞれを連想する相対価値を並べるために，どちらの特許のために会社が年金支払いをすることを示す分析しているデータを議論する．Ｐｕｔｎａｍ記事は，特許の価値の量を定めるために，方法を明らかにしない．（市説）アメリカ合衆国特許５，９９９，９０７は，選ばれた特許の価値を評価するために，そこで選ばれた以前に免許を与えられた特許の知られている価値と比較すると，そうである知的な財産会計検査制度を明らかにする．アメリカ合衆国特許５，９９１，７５１は，特許（収入説）のそのセットに位置する製品の販売のために会社によって生みだされた収益に基づいて会社の特許のセットの価値を決めることを明らかにする．
【０００９】
評価している特許は，ビジネス・バランスシート価値，税金を正確に決めることを含む多くの目的，受け入れられる免許を与えている割合，特許侵害被害，および主要な割り当て額にとって重要だ．スミスｅｔアル．多くの主要なビジネス企業の価値の大多数を説明することとして特許を含めて無形資産を明らかにせよ．重要なことに，Ｓｍｉｔｈ ｅｔアル．多くのビジネスのために市評価の重要な一部分として特許価値を明らかにせよ．
原価に基づかせられた特許の伝統的な経済の評価，収入，あるいは市場価値説は，労働集約的に，高価な，複雑な，そして不確かだ．伝統的な特許評価は，要求の意味，特許の製品を何を（に）製品が要求によって実際にはカバーされるかを決定するために，市場の決心が要求によってカバーしたという主張の意味にたとえること，を決めるために，分析を必要とし，そして，特許をとられた科学技術の原価有利の決心が比べたへのどちらか一方だ科学技術のためにその市場．原価有利決心が実際の市場のどちらかの知識が高くつくことが必要だあるいはひとつの実際だあるいは，割合に免許を与える仮説の特許の決心．さらに，そこには，特許が要求する危険の結果のどんな伝統的な特許分析に関係がある不確実性が無効だとわかるかもしれない，および特許によってカバーされた科学技術がどちらか一方の科学技術の開発の結果のその原価有利を自由にするつかもしれないということだ．さらに，伝統的な経済の評価をする（べき）公衆のメンバーに必要なデータは，単に公衆が利用できない．これはつまりそのデータは，特許，製品線，および製品線詳細原価，および収益情報における関係を含むからだ，そして，会社は，めったに情報のそのタイプを発表しないで，そしてさえ，情報のそのタイプをしばしば決めない．このように，特許の伝統的な評価は，多くの目的にとって法外に高価であって，不確かであって，そして公衆にしばしば入手できないデータに基づく．
【００１０】
投資のための資本金の分配は，金融市場で起こる．資本金の分配は，投資決定に基づく．投資決定は，投資家が利用できる情報の完全性の分析に基づく．情報は財政上のデータを含む，それはデータを財政上の会社の状態を示す会社に与えるつもりであるためにここに限定される．だ会社のための財政上のデータは，市場資本化，総売上高，差額利潤，株主公平，純利益，および帳簿価格を含む．財政上のデータは，彼らのウェブサイトｗｗｗ．ｙａｈｏｏ．ｃｏｍで彼らのウェブ・サイトｗｗｗ．ｅｓｉｇｎａｌ．ｃｏｍから，およびＹａｈｏｏ ＣｏｒｐｏｒａｔｉｏｎからＤａｔａ Ｂｒｏａｄｃａｓｔｉｎｇ Ｃｏｒｐｏｒａｔｉｏｎといった，（ニューヨーク証券取引所のような）主要な株式取引所を含むたくさんの源，および第２の供給者から電子の形で利用できる．理想の資本市場で，投資家は，いつも，資本金を最も能率的な行儀に投資するだろう，それは彼らが彼らの投資で最も高い帰りを提供するだろう投資で投資するだろうということを意味する．評価情報の増やされた有効性，および優先の投資を明らかにする（べき）その情報の分析は，社会に最大の利益を与えるだろう投資に資金を供給することによって経済効率を促進する．資本の割り当てが評価に基づくので，特許の非能率的な評価は，資本金の非能率的な割り当ての結果になる．
【００１１】
要約で，事前の芸術は，会社の価値で客観的におよび能率的に決心するためのいかなる方法に特許の結果を提供しない．
この発明は，（能率的な）断食を提供し，そして，どちらの特許評価のためのすべての目的に利用されることができる特許を評価するための客観的な方法は，会社の未来の財政上のパフォーマンスの指標として役に立って，会社の特許書類かばんが使われることを可能にする．能率的におよび客観的に会社の特許を評価するために発明によって提供された能力は，財政上の発射の正確さを増やして彼らの原価を減らして，金融市場におけるより多くの能率的な資本の割り当ての結果にそれゆえになる．
【００１２】
発明の開示
発明の物
発明の最初の物は，１年といった，時間の指定された期間の間特許に，所有権のために専有権の所有権の経済価値を評価することのためにコンピュータに実行された方法を提供することだ．
発明の第２の物は，１年といった，時間の指定された期間の間特許書類かばんに，所有権のために専有権の所有権の経済価値を評価することのためにコンピュータに実行された方法を提供することだ．
発明の第３の物は，特許の実施できる用語を決めるかまたは評価するためにコンピュータに実行された方法を提供することだ．
発明の第４の物は，特許の残っている実施できる用語の間特許の価値を決めるためにコンピュータに実行された方法を提供することだ．
発明の第５の物は，書類かばんで特許のそれぞれの残っている実施できる用語の間特許書類かばんの価値を決めるためにコンピュータに実行された方法を提供することだ．
【００１３】
発明の第６の物は，実体の名前，あるいは特許を所有する実体（例えば人，会社，施設，および政府の１あるいは組み合わせ）を決めるためにコンピュータに実行された方法を提供することだ．
発明の第７の物は，時間の機能として実施できる特許の数を決めるための実行された方法，および実施できる特許の身元が実体によって所有したコンピュータを提供することだ．
発明の第８の物は，時間の機能として特許書類かばんの価値が実体によって所有したと予測するためにコンピュータに実行された方法を提供することだ．
発明の第９の物がコンピュータに実行された方法を提供することだのために　未来の時間，未来の時間の機能として実体によって所有されるだろう実施できる特許の数，の特許の数が機能として行われていたことを予測すること，および特許書類かばんの価値は，未来の時間の機能として実体によって所有した．
発明の第１２の物は，その実際価値，および現在の収益に組織の特許書類かばんの算定価格および予定収益力を決めるためにコンピュータに実行された方法を提供することだ．
【００１４】
特許書類かばんの発明の物が未来の収益を予言するための実行された方法，差額利潤，資本化，価格から実体の収益対比，および株価格，が部分では少なくとも基礎としたコンピュータを提供することである１／１３，その実体およびその予言する発展長い間に，その書類かばんあるいはそれ算定価格．
発明の第１４の物は，投資決定を改良することによって資本の割り当てのますます増大する効率のためにコンピュータに実行された方法を提供することだ．
発明の物は，コンピュータに実行された方法を提供することで，なぜなら，見積もりをして急速にそこに通じ合うことが興味を引いた１／１５は，それを所有して組織の価値で特許書類かばんの結果を住む．
発明の第１６の物は，特許の価値ベースであって人口統計学の情報を提供することだ．
【００１５】
（発明の要約）
（定義）
すべての実施可能な特許によってカバーされる物およびサービスの販売に起因する、選択したＭＥＩの値のフラクション（ｆｒａｃｔｉｏｎ、部分、比率、割合、率）を、ここではそのＭＥＩのマクロ・カバーフラクション（部分）、またはＭＣＦ（Ｍａｃｒｏ Ｃｏｖｅｒｅｄ Ｆｒａｃｔｉｏｎ）として定義する。また、特定の実施可能な特許によってカバーされる物およびサービスの販売に帰するとすることができる選択したＭＥＩの値のフラクション（部分）を、ここではその特許に関するＭＥＩのカバーフラクション、またはＣＦ（Ｃｏｖｅｒｅｄ Ｆｒａｃｔｉｏｎ）として定義する。
【００１６】
（コンピュータ実行経済モデル）
本発明は、少なくとも部分的にはＭＥＩの値（つまりＭＥＤ）に基づく、実施可能な特許に関するＣＦ値を評価し、ＣＦ値およびそれを基礎とする評価をユーザに提供する経済モデルを実装するコンピュータ・システムを提供する。このコンピュータ・システムは、少なくとも１つのディジタル・コンピュータおよび特許データを包含するデータベースを含んでいる。好ましくは、データベースが、マクロ経済データおよび財務データも含むものとする。コンピュータ・システムは、プログラミングまたはディジタル・コンピュータを構成するハードワイヤード・ロジックを含み、特許およびその他のデータを使用して経済モデルをインプリメントする。各特許に関して、この経済モデルは、ＭＥＩのＣＦを引き出すことができる。好ましくは、このシステムがマクロ経済モデルを使用して、実質的にすべての実施可能な特許に関するＣＦ値および特許の評価を導き、その値を譲り受け人、セクタ、地理的な区分によって合計し、合計した値における傾向対時間を決定し、さらに合計した値における傾向を将来にわたって推定する（ｅｘｔｒａｐｏｌａｔｅ、外挿する）。
【００１７】
好ましくは、この経済モデルによっても、特許のＣＦの評価の基礎が実施可能な特許の数の評価に置かれる。このモデルは、好ましくは、ヒューリスティックに（ｈｅｕｒｉｓｔｉｃａｌｌｙ、発見をうながし、発見的に、学哲的に）、または後述するようにＭＣＦの客観的な測定を基礎にしてＭＣＦ（たとえばＧＤＰの０．９または法人純収益の０．９）を提供し、その後、好ましくは実施可能な特許間においてそのＭＣＦの割り当て（ａｐｐｏｒｔｉｏｎ、配分）を行って、その種の実施可能な特許のそれぞれのＣＦを評価する。すべての実施可能な特許の間におけるＭＣＦの割り当ては、ＭＣＦに対して、すべての実施可能な特許の合計の価値を正規化することになる。
【００１８】
好ましくは、特許に対するＭＣＦの割り当てが、その特許内において使用可能なデータに基づいて行われる。各特許内のデータは、ＣＦにおける相対的な差および特許間の相対的な価値を定義するために使用される。ＣＦ値は、すべての特許のＣＦの合計をＭＣＦに対して正規化した値とともに、それらの相対的な価値によって定義される。
【００１９】
好ましくは、販売済みの物およびサービスに帰するとすることができるＭＥＩのフラクションが、そのセクタに関連付けされている物およびサービスをカバーする特許に対してのみ割り当てられる。つまり、上記のモデルは、経済全体に関するＭＥＩを参照しているが、経済全体に関する、もしくは経済の１ないしは複数のセクタに関するＭＥＤの使用についても、これらのセクタに関するＭＥＤが使用可能（有効）であり、かつそれらのセクタに関連付けされている実施可能な特許の数が評価可能か決定可能であるとする限り、等しく適用することができる。
【００２０】
本発明は、特許を評価するための基礎として特許に関するＣＦ評価を使用する。また本発明は、後述するように財務予測に関する基礎としてもＣＦを使用する。それに加えて、本発明は、すべての特許を評価する能力を、新しい特許の評価に基づいた地理学的ならびに技術的人口統計および関連経済の予測手段を提供するためのベースとして使用する。
【００２１】
容易に入手できるマクロ経済データならびに特許データに基づいてＣＦを定義し、かつＣＦを決定することによって、本発明の経済モデルは、従来技術において使用されている労働集約的であり、コストを要する、複雑、かつ不確かな特許の価値の分析を巧みに回避する。それに加えて、特許に関してＣＦを定義し、評価することは、ＣＦおよび財務データを使用して将来にわたる財務パフォーマンスを、実際の特許の評価の計算をバイパスして予測するモデルを可能にする。
【００２２】
さらに本発明は、特許ならびに印刷された公報の両者に対してＭＣＦを割り当てることによって、公告済みの出願に関連付けされた暫定的な権利に対しても値を割り当てることができる。
【００２３】
発明を実行することの方法
コンピュータシステム概要
図１は，コンピュータにパソコン３およびその関連させられたキーボード１を含むネットワークがケーブル２，およびコンピュータ・モニター４経由で繋がったことを示す．パソコン３は，ランダムアクセスメモリ，磁石のディスク・ドライブ，光学式のディスク，およびフラッシュ・メモリーといった，データをしまっておくためのコンポーネントを含む；そして，中央演算処理装置をまた含んで産出コントロール・デバイスをインプットせよ．パソコン３は，Ｅメール・ソフトウェア，クライアント・ソフトウェアがウェブ・ブラウザーを含んで，ハードウェアがインターネット６でネットワーク接続５経由でそれが通じ合うことを可能にすることをまた含む．
また，ネットワーク接続経由のインターネットとつながっているので，７は，コンピュータシステム８だ（，１台以上のコンピュータは，図で説明した．Ｃ１，Ｃ２，およびＣ３としての１）好んで走ることは，サーバー・ソフトウェアにネットをはって，意思の疎通接続７経由のインターネット６に好んで接続した．コンピュータシステム８は，データベース１０をもつ意思の疎通接続９経由で繋がれる．データベース１０は，それぞれの特許のための譲り受け人，およびそれぞれの特許について述べる他のデータ，および好んで店それぞれの多くの会社のための財政上のデータ，および店節約のための経済の好んでデータの名前，あるいは（データが以下の細部で述べられる）節約のセクターを含めて特許データをしまっておく．コンピュータシステム８は，お互いにローカルにネットワーク化された多数のコンピュータから好んで構成される．どのようにコンピュータシステム８のコンポーネントが空間的に頒布されるかもしれないとしても，コンピュータシステム８が演じることができるのと同じほど長く，機能は以下について述べた．ケーブルを示す線が意思の疎通リンクのために見せられるにもかかわらず，意思の疎通リンクは，二者択一的に，どんな形式のワイヤレス意思の疎通経由で作られるかもしれない．
【００２４】
コンピュータシステム８は，ユーザー・データ・データベース１１をもつ意思の疎通接続１２経由で繋がれる．１１がお互いユーザー名，ユーザー・パスワード，報告の多数およびタイプがそれぞれのユーザーに送ったことを示すデータ，と共同して含んで，ユーザー・アカウント経営を可能にするデータを含んでそしてそうかもしれないユーザー・データ・データベースが，ユーザーを含む開会経営変数．さらに，ユーザー・データ・データベース１１は，追加の報告および，もしそうなら，どのようなタイプの報告を受け取るために，前払いあるいは預金経由でユーザーが題されるかどうかを示すデータを含む．
【００２５】
データベース１０は，顕著な分け前の分け前，株価，数当りのそれぞれの会社，会社名，および収益，総売上高，好んで収益のためのお互いと共同して含んで，多くの会社で好んで財政上のデータをしまっておく，市場資本化，および価格への収益比率．会社データは，新株株券から親株株券の比率と共同してちょうど述べられた財政上のデータ型，およびいつ株式分割が起こったかを示す株式分割データのために歴史的な財政上のデータを含むかもしれなく，なぜなら，それぞれの株が割れた．さらに，データベース１０は，それぞれのＭＥＩのためにＭＥＩｓ，およびそれぞれのセクターのＭＥＤのためのＭＥＤ価値を含む経済のデータを好んでしまっておく．９および１２がそうかもしれない意思の疎通線は，接続線，あるいはローカル・コンピュータ・バスの一部分をネットワーク化する．１台のコンピュータのテーブルで１０および１１が蓄えられるかもしれない別々のデータベースとしてここに参照されるものでしまっておかれたすべてのデータがデータベースを実行してあるいは多数のコンピュータでデータベースを実行したことが，理解されることだ．
【００２６】
操作の要約
形１体現の操作の要約で，クライアント・パソコン３のユーザーは，コンピュータシステム８のディレクトリーで保管された紹介のウェブページの間インターネット・アドレスにパソコン３のウェブ・ブラウザーを指し示す．結果として，コンピュータシステム８は，クライアント・パソコン３にファイルを送るために，どちらのきっかけがプロセスあるいはユーザ・ログイン上へユーザー・サインを始めるきっかけのプロシージャを受け取る．ユーザーで，プロセス上へ，ユーザーが行われている権利のために情報がアカウントをセットアップしてユーザーに身元の確認およびパスワードを得させる（べき）きっかけのシリーズについて行ってそして随意に電子的に前払いするというサインは，コンピュータシステム８から報告する．ユーザーから受け取られたデータがユーザー・データベース１１でユーザーの記録で蓄えられた，およびデータがまたユーザーの名前，アドレス，電話番号，を含むかもしれないことがカードＩＤ，他の信用を信用するあるいは借方支払いＩＤデータ，系列化，ブローカー手数料アカウント情報，投資家資格地位，情報が投資アドバイザーとしてデータ，優先の電子の伝達タイミング，地位で選ぶ型の前払いのサービス，Ｅメール通知データ，あるいは個人の財政上の収入が情報を平らにする仲買人，など，年齢，公だ暗号鍵データ，およびＥメールアドレスへのどちらへの送る情報．もしすでにユーザーがいれば，身元の確認およびパスワード，ユーザーは，そのデータに入る，そして，コンピュータシステム８は，報告の要求を限定するために，プロセス，およびユーザー追随が入力を促すサインと行き違いになることによってユーザーにファイルを送る．
【００２７】
指定された報告のユーザーの要求に応えて，特許報告コンピュータシステム８は，ユーザーに報告を送る．コンピュータシステム８は，ユーザーの仕様に対する反応における報告を生みだすか，すでにユーザーの依頼で明確に述べられた報告を生みだして好んでしまっておいた．発明の報告は，会社のために特許データおよび好んで経済のデータおよび財政上のデータを分析することによって生みだされる．報告のためのユーザーによる依頼に応えて，ユーザーがサービスを使い始めて以来，月当たりの依頼，および依頼の数の数を蓄えるために，コンピュータシステム８は，依頼の存在を丸太に切るために，ユーザー・データ・データベース１１でユーザーのためのデータを更新する，ユーザーのＥメールアドレスあるいは名前といった，そのユーザーのＩＤと提携しているそのユーザーへの報告のそれのために報告が命令された会社，および送ること．システムが好んで丸太を保管する会社のＩＤによる報告，およびあるいはセクターのＩＤ，あるいは報告の地域．
【００２８】
報告は，ＨＴＭＬファイルといった，１以上のファイルに含まれるかもしれない，そして，それは，見えているディスプレイを提供するかもしれない：特許の購買力；特許の書類かばんの価値；会社に関係がある実施できる特許（すなわち，特許書類かばん）対時間の数のグラフ，地理学の地域，あるいはセクター；特許の数の数のグラフは，会社に関係がある時間，地理学の地域，あるいはセクター対行われていた；会社，地理学の地域，あるいは軍事作戦地区の特許書類かばんの価値対時間のグラフ；そして，ＣＦ対時間のグラフは，会社，地理学の地域，あるいはセクターに関連した．グラフは，未来の時間に歴史的な時間の数および価値，および数および価値の外挿を好んで含む．
【００２９】
会社に関する報告は，扇形および節約が会社を連想した会社，および１，あるいはより多くの市場に関する財政上の情報を含むかもしれない．会社報告は，過去の，現在の，そして推定された未来のＣＦ（すなわち，ＨＰＦ，ＣＰＦ，およびＦＰＦ，Ｈ，Ｃ，およびＦがそれぞれ過去，電流，および未来を表すところ），および過去の，現在の，そして未来のＰＳを好んで含む（すなわち， ＨＰ，ＣＰ，およびＦＰＳ）比率データ．特許データの未来へ外挿の部分では少なくとも基礎とされて，会社報告は，会社の価値の見積もりを含んで，会社の未来の価値を予言するかもしれない．さらに，報告は，会社の未来の株価格，あるいは株価格帯の見積もりを提供するかもしれない，前述のデータで部分では少なくとも基礎とされた．報告は，全体の節約のために１つの会社のための前述のデータ，あるいはもう一つの会社のためのデータへの一群の会社のための会社のもう一つのグループ，セクターのための平均，あるいは平均の比較を含むかもしれない．データの外挿は，好んでデータへの使っている多項式の適合，あるいは芸術，およびどちらの方法でよく知られている行儀の線形（直線）回帰が多くの商業上利用できるコンピュータ・プログラムで実行されるという条件で，そうだ．
【００３０】
特許発行通知
発明が特許の発行で特許の値の見積もりをただちに可能にするので，発明の１つの使用は，特許を所有する会社の財政上のパフォーマンスに興味がある人々に特許，例えば，の発行の速い通知を提供することだ，客観的な絶対の評価または他の特許の値に関する相対的な客観的な評価の一方と一緒に，，新たに出された特許．発明のよく似た使用は，譲り受け人の財政上のパフォーマンスに興味がある人々，あるいは客観価値見積もりとの譲渡人に特許の再委託のＥメール通知を提供することだ．好んで，特許通知は，Ｅメール経由でユーザーに送られる．
特許の，経済の，そして財政上のデータを使うアルゴリズムを限定すること，すなわち報告データを生みだすことがそうであるそのモデルは，以下を明らかにした．
【００３１】
（特許の評価）
本発明は、収益評価理論を使用し、ＣＦに基づいて特許を評価するための２つの代替方法を提供する；一方はＭＥＩが販売された物およびサービスの測定値（ＧＤＰ等）となる場合の方法であり、他方はＭＥＩが純所得の測定値（純収益または利率）となる場合の方法である。
【００３２】
第一の特許の評価方法は、純所得の特許のＣＦを、その特許に帰する純所得に等しいと考える。続いて従来の所得理論を使用して、すなわちその特許が実施可能な間の将来の一定期間にわたってその特許に帰する収益が、現時点に対して、評価理論において収益率の内部レートと呼ばれているディスカウント係数（ｄｉｓｃｏｕｎｔ ｆａｃｔｏｒ）によってディスカウントされるという所得理論を使用して、この特許の評価が決定される。内部収益率（ｉｎｔｅｒｎａｌ ｒａｔｅ ｏｆ ｒｅｔｕｒｎ）は、貨幣の時間的な価値およびその特許に関するＣＦの継続的な存在におけるリスクの両方を表す。
【００３３】
財産を評価するための一般的な所得理論の式は次のように表される。
Ｖ＝ΣＩ／（１＋Ｒ）ｎ
ここで、Σは固定所得Ｉを受け取るｎ期間にわたるその総和を表し、Ｒは内部収益率を表す。この一般的な所得理論は、次のようにして純所得のＣＦに適用される。残りの年数ｍおよびＣＦＮとする純所得のＣＦを有する特許に関して、前述の所得の式は次のように書き直すことができる。
Ｖ＝ΣＣＦＮ／（１＋Ｒ）ｍ
Ｒは、貨幣の時間的な価値およびリスクを表す。Ｒの１つの測定値は、普通株に関する歴史的収益率、すなわち０．１４（１４パーセント）である。Ｒは、セクタが依存することもあり得る。この式に、Ｉの時間における将来的な変動の評価を挿入することもできる。
【００３４】
例えば，２年の１，０００，０００．００ドル（約１億１０００万円）の純利益の実施できる用語，およびＣＦを持っている特許は，Ｖ＝１００００００＋１００００００＝１，６５０，０００．００ドル（約１億８２００万円）で価値を持っているだろう．
【００３５】
特許に起因するといえる理論の利益を得るために，第２の特許評価方法は，国内総生産から品物の売上高の特許のＣＦ，および特許に起因するといえるサービスを等しいと見なして，特許によってカバーされた製品のために断片に対応する差額利潤によってＧＤＰのＣＦを掛ける．第２の特許評価方法は，特許に起因するといえる純収入から理論の利益のせいにする．それで特許が関連させられる節約のセクターで，あるいは２つの差額利潤の重くされた組み合わせを使うことによって，差額利潤は，全体の節約における平均の差額利潤のための大きい経済のデータに基づくことができる．差額利潤の時刻依存，あるいは経済のセクターの成長率に未来の時刻に基づかせられた余白がまた時刻扶養家族，および推定することができる想定された利益が特許，成長率あるいは絶対数に関連した，特許交際するでその経済だセクター交際するでその特許，あるいは，他の大きい経済のデータ．
【００３６】
例えば，１０，０００，０００．００ドル（約１１億円）の特許のＧＤＰのＣＦは，０．０４の純収入から総売上高の平均の比率を持っている（どちらの比率がこの例で差額利潤として使われる）ことが１０，０００，０００．００ドル（約１１億円）＊の特許に起因するといえる純収入を提供するセクターに関連した０．０４＝４００，０００．００ドル（約４４００万円）．特許の評価は，その時に，断固として決意している使っている収入公式であることができる．例えば，もし特許が２年の残ること，およびＲが０．１４である実施できる用語を持っていれば，この特許の価値は，６６０，９５４．００ドル（約７２７０万円）だ．
【００３７】
財政上の指標は，会社のＣＦでたったひとりで基礎とした
特許のＣＦは，それからそれが引き出される経済指標と同じ単位をする，それは年当りの一般的にドルだ．特許のＣＦが経済活動の直接の（たとえおおよそだとしても）指標が特許によってカバーしたということだ時刻期間は，ＭＥＤ価値のために明確に述べた．組織によって所有されたすべての特許のＣＦの合計は，組織のＣＦとしてここに参照される．会社のＣＦは，覆いがある科学技術に参加することから競争相手を除外する．それゆえに，発明のマイクロ経済理論は，会社のＣＦによってカバーされたすべての経済活動は，その会社によってたったひとりで提供される，そして，その会社のそれゆえにＣＦが会社にとって経済活動の見積もりだと仮定する．重要さとして，会社のＣＦ対時刻の傾向は，会社の経済活動で傾向の見積もりだ．それ以上であって２つの会社のＣＦの比率は，２つの会社の相対的な経済活動の比較だ，そして，２つの会社の間でのＣＦの傾向の比率は，それらの会社の経済活動の時刻対相対的な変化の比較だ．おまけに，会社のＣＦの未来の時刻への外挿は，会社の経済活動の未来の時刻への外挿だ．会社の未来の時刻に，ＧＤＰ，総売上高，合計のＣＦは，領収証を書くす，あるいは，何か別の総計の財産およびサービスのＭＥＩが会社によって生じた外挿は，会社によって生じられるだろう総計の財産およびサービスの見積もりだ．利益あるいは純利益の会社のＣＦの未来の時刻への外挿は，会社によって生じられるだろう利益あるいは純利益の見積もりだ．同様に，２つの会社の間でのＣＦの傾向の比率は，それらの会社の未来の経済活動の時刻対相対的な変化の見積もりだ．
【００３８】
コンピュータシステム８は，会社の多くの異なる行いにおける未来の財政上のパフォーマンスを予言するために，会社のＣＦ，および財政上のパフォーマンスの歴史的な時刻依存を使う．
第１に，コンピュータシステム８は，会社のＣＦの歴史的な時刻依存からそのＣＦの未来の時刻依存へ推定する．コンピュータシステム８が純利益，利益，を含む会社のために財政上の指標の未来の価値を評価するために会社利益，総売上高，および株価がその時刻依存を追跡すると仮定する総売上高，市場資本化，および株価．法人の財政上の指標は，会社純利益，利益，総売上高，市場資本化，を含んで，価格を仕入れる．特許のための歴史的なＣＦが現在の価値ＣＦへの歴史的な日に歴史的な日は，特許の実施できる用語の間にそうで，そして，ＣＦをセットすることがその特許のために評価するかどうかを決定することによってそれぞれの特許，例えば，のために評価する８が決めるコンピュータシステム．二者択一的に，それぞれの歴史的な日の特許のＣＦの間にどちら特許内側にその実施できる用語は，現在のＣＦ価値の機能，ＭＥＩ，あるいはＭＣＦのＭＥＤ価値がＭＥＤを計るプレゼント，として計算されるかもしれなく，そして，ＭＥＩ，あるいはＭＣＦの歴史的なＭＥＤ価値がＭＥＤを計るということだった．
【００３９】
会社の総計の領収書の総売上高，ＣＦのＧＤＰ，ＣＦの中央アフリカ，および総計の財産およびサービスに関連した他のどの（いずれかの）ＭＥＩが会社によって売ったＣＦは，会社の総売上高のそれぞれの見積もりだ．純利益，会社利益，の会社ＣＦの合計，あるいは純収入に関連したＭＥＩの他のどの（いずれかの）ＣＦは，会社の純収入あるいは手取りの見積もりだ．組織によって所有された特許のそれぞれの価値の合計は，組織の特許評価としてここに参照される．
【００４０】
コンピュータシステム８が会社の特許評価の歴史的な時刻依存から見積もり特許評価へ推定する秒は，未来に計る．コンピュータシステム８は，会社の財政上の指標が会社の財政上の指標を評価するためにその傾向を追跡すると仮定する．それぞれの特許のための歴史的な特許評価は，それぞれの特許のために実施できる用語の残っている期間を決めるために，歴史的な日に収入価値公式を適用すること，およびその公式で使われた日をセットすることによって決められるかもしれない．
【００４１】
第３に，コンピュータシステム８は，会社の未来の実施できる特許の数の時代に会社の実施できる特許の数の歴史的な時刻依存から見積もりへ推定する．実施できる特許の数の時刻の変化は，会社の特許書類かばんのＣＦで間に合う変化への接近だ．このように，会社の総売上高における時刻がまた未来の変化の予言者である未来に推定された実施できる特許の数の変化，および流れにたとえられる利益は，売上高および利益の総収益をあげる．コンピュータシステム８は，会社の財政上の指標が会社の財政上の指標を評価するためにその傾向を追跡すると仮定する．
【００４２】
第４に，コンピュータシステム８は，歴史的な時刻期間で会社によって得られた特許の数から未来の時刻期間で会社によって得られるだろう特許の数へ推定する．コンピュータシステム８は，会社の財政上の指標を評価するために，会社の財政上の指標がその傾向を追跡すると仮定するかもしれない．
おまけに，コンピュータシステム８は，好んでまた見積もりをする，なぜなら，特許書類かばんは，ユーザー，書類かばんのＣＦによって決めて，合併を支持してそれらのＣＦ価値が説明するための評価，あるいは税金目的を引き出して，なぜなら税金基礎を提供するのに例を使う，１行（筋）のビジネスの副産物，あるいは企業買収．
【００４３】
１（人）の特許指標，あるいは購買力にたとえられる会社がそうであることができるより多く，および他の会社のための，経済のセクターを越えた指標の平均のための，そして全体の経済を越えた指標の平均のための傾向，他の会社に関する１以上の会社の財政上の業績を予言するために，の購買力および傾向セクターを越えた，および全体の経済のための平均への平均．
会社がである財政上の指標Ｂａｓｅｄ Ｕｐｏｎ ＣＦ，および財政上のデータ
会社の８つの店財政上のデータ，および実行していて財政上のコードが型どるコンピュータシステムは，以下を議論した．ＰＦ比率，および比率を分ける（べき）特許，が言及したので，結合された特許，および財政上のデータに基づいて，コンピュータシステム８がここに参照された（参照された）財務比率への特許を計算するへのここにとしてＰＳ比率．歴史的な，現在の，そして未来のＰＦ比率は，ＨＰＦ，ＣＰＦ，およびＦＰＦ比率として参照される．歴史的な，現在の，そして未来のＰＳ比率は，ＨＰ，ＣＰ，およびＦＰＳ比率としてここに参照される．
【００４４】
（１）ＧＤＰの会社のＣＦ，純利益のＣＦ，あるいは特許評価の比率，実施できる特許の数，あるいは特許の数が（２）会社の総売上高のどれ（か）への時刻期間に行われていたので，ＰＦ比率はここに限定される，市場資本化，純収入，あるいは利益（会社の資金に基づかせられた会社の量への特許に基づかせられたｉ．ｅ，量の比率）．ＣＰＦ比率は，それに会社の経済活動がそうである度の指標が会社の特許を（それによって）カバーしてあるいは（それによって）保護したということだ．比較的低いＣＰＦは，会社の経済活動，ほのめかしている重要な競争，および比較的低い差額利潤の比較的効果がない特許適用範囲を示す．それゆえに，会社のＰＦ（ＨＰＦ，ＣＰＦ，およびＦＰＦ）比率の傾向対時刻は，そこに関連して，会社の収益性の変化を予言する．より遠く，比較的大きいＣＰＦは，同じセクターで他の会社に比べた，会社の特許適用範囲がその競争相手よりも強くて会社の資金が改良するかもしれない指示であることを示す．
【００４５】
（１）会社のＧＤＰ，純利益のＣＦ，あるいは特許評価，実施できる特許の数，のＣＦ，あるいは特許の数が会社の顕著な普通株の数への（２）への時刻期間に行われていたので，ＰＳ比率はここに限定される．ＧＤＰのＣＦが会社の総売上高の見積もりであるので，ＧＤＰ ＰＳ比率のＣＦは，株当りの総売上高とおよそ一致する．純利益のＣＦが会社，純利益のＣＦのＰＳの収益と一致するので，比率は，株当りの会社の収益の見積もりだ．会社の特許評価，その他のＩＰ資産，およびその帳簿価格同輩の会社の市場の資本化，会社の特許評価ＰＳ以来，比率は，その特許によってカバーされた活動によって提供された株当りの会社の価値の見積もりだ．
【００４６】
コンピュータシステム８は，１（人）のＰＦおよびＰＳの比率，あるいは会社，経済のセクターを越えた平均，の他の会社，グループへのより多くの会社，および全体の節約のための平均をまた比べる．２つの会社のＰＦの比率は，それらの会社のＰＦ対会社が予期された相対的な収益性の比較である２個の間での時に２つの会社の相対的な収益性，および歩みにおける比率の比較だ．最初の会社対第２の会社のためのより高いＰＦ比率が２つの会社が関係があるセクターで財産およびサービスを提供するときに，それを示す最初の会社第２の会社よりも結局はより有利であるべきだ．もし最初の会社がより高い収益性を持たなければ，これがそれを示唆する第２の会社の財政上の状態と比較すると，最初の会社は，最初の会社の財政上の状態がよくなるかもしれないことを示唆して，それの権利によってカバーされた市場の充分に栓を抜かなかった，なぜなら，新製品を発射する最初の会社による例が市場でカバーしたによってそれ特許をとる．
【００４７】
新製品を売り出すことは，限りある量の時刻を会社と考える．さらに，特許が持っているひとつの限りあって実施できて活気がある．これらの２つの要因は，ＣＰＦｓの比較によって示された収益性の指示，および長い間に財政上のパフォーマンスを予言することに適切な余白がそうである利益がセクターで新製品を売り出す時と会社の特許の実施できる命の間に登ることを示唆する．それは２０年への数月の間での時刻一般的に期間だ．
【００４８】
コンピュータシステム８が推定することによってＦＰＦ比率を評価するひとつの（あるいはいくつかの加重平均）ＣＰＦおよびＨＰＦの比率から．会社のＦＰＦ比率における予言された傾向，会社の知られているＣＰＦ，および現在の販売益および手取りから，会社の未来の全体のセールスの，正味の概算の収入，市場資本化，は，評価されるかもしれない．機能の最もよい適合へのＨＰＦ比率の価値の相互関係への比例項がよくＨＰＦ価値からＦＰＦ価値へ推定したので，これらの見積もりの統計の意義は，測ることができる．例えば，ＨＰＦのそれぞれの値の間での違いの平方の合計の平方根，および（ＨＰＦ値の数によって分けられた）その歴史的な時刻のための合っている機能の値は，合っている機能からＨＰＦの伝統的な標準偏差測定だ．低い標準偏差は，高い歴史的な相互関係を示して，高い統計の意義を持っている（べき）未来の外挿を示唆するだろう．外挿は，どんな知られている伝統的な外挿機能に基づくかもしれない．好んで，２次の多項式の機能は，過去のデータに例えば，最も小さな平方の方法によって，合って，合う過去のデータに慣れている，そして，最もよいフィッテングを提供する起因している係数は，（合っている機能のｙ値間の違いの平方の合計を最小限にすること，およびデータ点のｙ値による）作用する外挿に利用される機能を限定する．これらは特許を結び合わせ，そして，財政上のデータ金融モデルは，会社の未来の販売，収益，が資本化，および，株価収益率を想定することによって，株価を市場に出すことを予測する．
【００４９】
ＨＰＦ，ＣＰＦ，および比率にたとえられる，特許の数の傾向と同様に，ＭＥＩｓ，および１つの会社のための特許評価，のＣＦの値がそうであることができる比率，および他の会社のために，経済のセクターの平均のためのＦＰＦ歩み，そして全体の節約が他の会社に１つの会社の財政上のパフォーマンスを比べる（べき）平均のために，経済のセクターの財政上のパフォーマンスを平均して，全体の節約にわたる財政上のパフォーマンスを平均するために．
【００５０】
歴史的なことは，特許が出た時を明らかにして，会社（すなわち，その特許書類かばん）によって所有されたすべての特許のためにＣＦの依存を計って，それぞれの特許で譲り受け人データから会社へ公布されたそれぞれの特許を明らかにすることによってなし遂げられるかもしれないか，あるいは公表されて，そしていつ特許が失効するかまたは失効したかを決定していた（適用日を使うこと，優先度要求日，発行日，および終点にある否認データ）特許を限定するために実施できる項．
【００５１】
さらに，特許が出た後に，特許割り当てデータは，会社に特許が会社によって買って売れ行きを上げたことを決定するために使用されて，そして割当てることができる．
それ以上であっていくつかの会社は，会社，および完全に所有された子会社としてここに参照されるその他，および親としてここに参照される所有することを完全に所有する．コンピュータシステム８は，子会社によって所有された特許を好んで一緒にする，そして，会社のための特許の，また財政上の見積もりを生みだすときに，収入は，（親会社との）子会社によって生みだした．系列会社関係への親を明らかにするデータは，Ｅｄｇａｒデータベースからアメリカ合衆国で政府機関から利用できる，および明確に自由に利用できる．
【００５２】
明らかに，特許の基礎とされた評価，ＣＦ価値，特許歩み，および結合された特許，および財政上のあるいは株の傾向は，補足として使われて，あるいは会社収益といった，会社のための快く利用できる財政上のデータに基づかせられたより多くの伝統的な財政上の見積もりに関連しているかもしれない，市場資本化，より多くの正確な財政上の総合予言への成長率，ｅｔｃ，明確に，会社評価が会社の評価ベースの特許に加えて会社の特許，登録商標，著作権，契約，他の営業権，工場設備を含む資産，供給，現金，および口座の評価に基づくことができるで方法明らかにするここに．
【００５３】
特許価値は人口統計学の分析を基礎とした
ＣＦの決心，および本質的にすべての特許の価値を可能にするので，発明は，評価の人口統計学の突然の故障，および書類かばんが人口統計学のそれぞれを連想した特許のＣＦを提供する．人口統計が，特許が両方の所有している組織の地理学の地域，および特許，セクターによって，特許分類によって，の発明者を限定するデータを含むので地理学の地域（発明者のアドレスあるいはそれぞれの特許の譲り受け人のアドレスによって限定された）を含むそして，また譲り受け人によって，およびいくらかによって，これらの組み合わせは債権を安く買い取る．このように，地理学の地域，国，経済のセクター，譲り受け人，およびそのどんな組み合わせ，によって壊された発明の価値の歴史的な傾向は，すべて発明の経済のモデルを実行するコンピュータシステム８によって提供することができる．データが比べることができる，指定された地理学の地域のための大きい経済のデータ，およびどちらの特許の科学技術セクターによる扇形に分割して比べられたセクター，および同一視する（べき）地域による地域地域で，ＣＦ，あるいは特許価値は，比較的速く比較的大きいあるいはますます増大する．加速すっている地域の生活費，および指定された地域で比較的ビジネス場所にとって魅力的な地域，および投資にとって比較的魅力的な会社の科学技術エリア，および地理学の場所を示して，回転におけるその情報は，高度成長の地域を明らかにするために使用されるかもしれない．
【００５４】
（本発明の経済モデルの例）
本発明の経済モデルの第１の例においては、（１）ＭＣＦがＧＤＰに等しいこと、および（２）すべての特許が有するＧＤＰのＣＦが同一であることを仮定する。このモデルは、すべての実施可能な特許に関するＧＤＰのＣＦの間にＧＤＰを等しく割り当てる。たとえば、このモデルにおいて、１００万の実施可能な特許が存在し、かつ年間のＭＣＦが１兆ドルであるとすると、それぞれの特許に関するＧＤＰのＣＦは、１００万ドルになる（年間１兆ドルのＧＤＰのＭＣＦを特許の数の１００万により除した値）。
【００５５】
第１のモデルに対する代替モデルは、経済の各セクタに関連付けされたＭＥＩのＭＥＤフラクションを使用し、経済のセクタのＭＥＤを、経済のそのセクタに関連付けされる特許に対してのみ割り当てる。特許は、その特許のＵＳＰＣＳおよび／またはＩＰＣＳコードを定義済みセクタに直接相関させることによって、あるいはその特許のＵＳＰＣＳおよび／またはＩＰＣＳコードをＳＩＣまたはＮＡＩＳＣコードに相関させることによって経済の定義済みセクタに関連付けされる。定義済みセクタは、ＳＩＣまたはＮＡＩＳＣコードによって定義されるセクタに等しいとすることもできるが、ＳＩＣまたはＮＡＩＳＣコードのセットによって定義することもできる。ＳＩＣおよびＮＡＩＳＣコードに関するＭＥＩデータは、容易に入手可能である。この代替モデルは、経済を粒状化し、ＣＦに、異なる技術分野間の特許の平均的価値における差を反映させることを可能にする。
【００５６】
上記に加えて、この経済モデルは、セクタに伴うＭＥＤ内の歴史的な傾向を使用して、将来におけるそのセクタに関連付けされたＭＥＤを予測し、その後そのセクタの特許のＣＦの将来的な値の評価において、これらの予測による将来のＭＥＤ値を使用する。
【００５７】
セクタ依存を提供する経済モデルの一例においては、（１）そのセクタ内においてＭＣＦとＧＤＰが等しいこと、および（２）そのセクタに関連付けされている各特許が有するＧＤＰのＣＦが同一であることを仮定する。このモデルは、そのセクタに関連付けされているすべての実施可能な特許のＧＤＰのＣＦの間に、そのセクタのＧＤＰを等しく割り当てる。たとえば、このモデルにおいて、医療デバイスのセクタに関連付けされた１０００の実施可能な特許が存在し、かつ医療デバイスのセクタに帰するとすることができる年間のＧＤＰが２０億ドルであるとすると、関連する各特許に関するＧＤＰのＣＦは、年間２００万ドルになる（年間２０億ドルのＧＤＰのＣＦのＭＣＦを特許の数の１０００により除した値）。
【００５８】
（相対的な価値特性に依存する相対的な特許の価値）
この経済モデルにおいては、好ましくは各特許のＣＦが相対的な価値数（ｒｅｌａｔｉｏｎ ｖａｌｕｅ ｎｕｍｂｅｒ）に依存する。相対的な価値数は、特許の相対的な価値変数に関する値の関数の値として定義される。相対的な価値変数は、特許の相対的な価値特性の測定値である。この相対的な価値特性は、（１）公開・公告、発行（ｉｓｓｕｅ）、またはその後の補正が行われたときのその特許に固有の（ｉｎｔｒｉｎｓｉｃ、本来的に備わっている）特性、および（２）付帯的な（ｅｘｔｒｉｎｓｉｃ、外来的な）特性を含む。固有の相対的な価値特性には、（１）「発行時」の特性、および（２）「発行後」の特性が含まれる。
【００５９】
「発行時」の相対的な価値特性に基づく相対的な価値変数は、その特許におけるデータ・フィールド（クレーム、説明または明細書、引用された国内特許または外国特許、引用された特許以外の引例を含む）の長さの測定値、その特許におけるデータ・フィールドのエントリ数（各クラス（方法、製品、システム、構成、製造、プロセスによる製品を含むクラス）の独立クレームの数、独立クレームの総数、クレームの総数、独立クレームの異なるクラスの数（つまり、特許が方法クレームおよびシステムのクレームを含んでいるときには２になる）、引用された国内特許および外国特許の数、実施例の数、図面の数、国内および外国の優先権クレームの数を含む）、および特許におけるデータ・フィールドの存在の欠落の有無（国内、パリ条約、および外国の優先権クレーム、放棄、ＰＣＴデータ、発行前の異議、抗告、および期間の延長を含む）、出願係属期間の長さ、国内および外国の優先日から発行までの時間的長さを含む。これらの発行時の相対的な価値変数の値は、それぞれクレームの広さの間接的な表示およびそのクレームによってカバーされる技術の価値を提供する。１つの特許に関するすべての相対的な価値特性の正味の効果（ｎｅｔ ｅｆｆｅｃｔ）は、その特許に関する相対的な価値数に反映される。
【００６０】
クレームの長さの測定値は、文字数、単語数、段落数、本文のコラム数、本文のページ数、図形の数、または印刷もしくは表示されるページ上の本文もしくは図形の面積、またはこれらの測定値の組み合わせから導かれる値の関数を含む。
【００６１】
特許の記載（明細書と呼ばれることもある）の長さの測定値は、文字数、単語数、文の数、段落数、本文のコラム数、または本文のページ数、図面の数、実施例の数、図形の数、印刷もしくは表示されるページ上の本文もしくは図形の面積、またはこれらの測定値の組み合わせから導かれる値の関数を含む。
【００６２】
「発行時」の相対的な価値特性に基づく相対的な価値変数には、ＰＣＴ出願ならびに広域出願（ｒｅｇｉｏｎａｌ ａｐｐｌｉｃａｔｉｏｎ）からの発行、およびＰＣＴ出願もしくは広域出願から発行されている場合には、ＰＣＴ出願もしくは広域出願における指定国の数も含まれる。
【００６３】
「発行時」の相対的な価値特性に基づく相対的な価値変数には、引用された引例（米国特許、そのほかの国もしくは広域特許、または特許以外の引例）の数ならびにタイプ、および特許のタイプ（再発行、通常特許、意匠、植物、種、工業デザイン、実用新案、発明登録、発明者証明書、および審査済みまたは審査未済の特許）も含まれる。
【００６４】
発行時および公開・公告時の相対的な価値特性は、その特許のクレームによって製品が保護されるか否かに関してのデータを全く含まない。
郵便問題特徴は，郵便発行証明書で再検査，どんな郵便発行証明書，増加の存在の要求，あるいはどんな要求の長さの減少の長さの訂正，証明書の証明書といった，郵便発行証明書の存在を含む，そして，進んでいる特許反対といった，特許の正当性を考え直すために特許局で進むことの注意，進んでいる特許再検査，進んでいる邪魔，および特許は，進行を再発行する．
【００６５】
非本質的な相対価値特徴は，どんな特許，特許を含む訴訟の定住の注意，を含む訴訟の注意および特許を引用する規制する製品レビューの注意でも含む．事項のうちで，医学的に関係づけられた特許のためのメモは，製品の規制する再調査，あるいは特許によってカバーされた過程の注意だ．
非本質的な相対価値特徴は，存在および対応する外国の特許適用性の数，あるいは特許（例えば，主題特許と同じ適用への優先度を要求するアメリカ，ＰＣＴ，ＥＰＣ，あるいは日本人適用），訴訟の存在をまた含んで，発行進行に含んでいる一致している外国であって特許のアプリケーションあるいは特許を送る，そして，主題特許に主題特許の発行の後で指定された時刻を引用してカバーする指定された時刻期間の後で出された特許の数．
【００６６】
相対価値機能は，問題で，問題の後で固有の，および非本質的な特徴のどれ（か）に依存するかもしれない．
それぞれの相対価値特徴は，関係があるフィールドで特許の価値が他の特許，あるいは他の特許の価値と比べた親類に影響を及ぼす．特許の基礎とされた相対価値指標が相対価値の強い指標だという主張．より短く，独立が主張すれば，およびよりたくさんに，より幅が広く，適用範囲が彼ら，およびそれゆえにより多くの貴重品によって提供すれば，独立が主張すれば特許．おまけに，仕様がより長いほど，より大々的に例および数字の数，より多くの貴重品特許．それ以上であって再検査の注意，あるいは再発行物，あるいは特許を含む訴訟といった，どんな異常な郵便発行活動は，比較的大切な特許がそうである強い指示者だ．対応する外国の適用性の存在は，譲り受け人が十分な量で貴重な発明が高価な国際的庇護を追求すると考えたことを示して，そしてまた価値の強い指標だ．すべてのこれらの価値考慮すべき事は，発見的にそれぞれの特許の価値がセクター，あるいは全体の節約を連想した親類の量の見積もりを提供する（べき）価値公式に含まれる．一旦これらの相対価値が知られていれば，ＣＦの合計が一致しているセクター，あるいは種馬節約のためにＭＥＩのＭＥＤのＭＣＦに等しいように，特許のための価値がセクター，あるいは全体の節約を連想した絶対のＣＦは，相対的な特許価値を規準に合わせることによって得られるかもしれない．
【００６７】
発明の経済のモデルで，それぞれの実施できる特許のＣＦは，ｊｔｈ特許のＣＦがセクターｉを連想した限定することによって好んで決められる（ＣＦｉｊ ）正常化定数Ｃに等しいｉ セクターのために，ｉは，ｊｔｈ特許の相対価値番号ＮＥＰを計るｉｊ それぞれの特許のためのＣＦは，正常化定数Ｃのためにセクターが解くことによって決められるｉｔｈに関連したｉ 均衡のセットの一致しているｉｔｈ均衡のｉｔｈセクターのために：
ＭＣＦｉ ＝ΣＣＦｉｊ ＝ ΣＣｉ ＊ＮＥＰｉｊ
すべての特許のためのｊを越えた合計は，Ｃのためにｉｔｈセクターで解くｉこの手順は，すべての実施できる特許のための規準に合わせられた算定価格の合計がＭＣＦに等しいということを確認する．
【００６８】
Ｃのために解く（べき）セクターで全く実施できる特許で要約することを避けることによってその発行でそれぞれの実施できる特許の価値の速い指示を提供するためにｉコンピュータシステム８は，Ｃのための前もって決められた価値を使うかもしれないｉ そして，特許のための相対価値番号を計算せよ，そして，Ｃのための前もって決められた価値に等しいその特許のためにＣＦを明らかにせよｉ 特許のための相対価値番号を計る．実施できる特許の数にたとえられて，比較的小さい追加の特許の数は，定期的に，一般的に週ごとに出てあるいは公表される．それゆえに，使うことはＣを前もって決めたｉ 以前に出された特許に基づかせられた価値は，比較的些細な不正確さを提供する．
【００６９】
同様に，価値あるいは特許がそうである実際のＣＦが，知っていれば（発明の経済のモデルによって決められた名目価値と全く違ったものとして），それからＣを決めるときに，それらの実際価値が名目価値のために代用されるかもしれないｉ．
ＭＣＦを決めること
ＭＣＦは１（人）かもしれない．ＭＣＦは，ゼロ〜１に範囲にある．
ＭＣＦは，ＧＤＰの断片が特許権によってカバーしたことを反映する．特許権によってカバーされたＧＤＰの断片は，科学技術の改善の率の機能だ．それゆえに，ＭＣＦは，科学技術の改善の率の測定によって決められるかもしれない．
資産を合計するために無形物の比率としてＭＣＦを限定すること
【００７０】
科学技術の改善の率の１つの測定は，無形資産から管轄における資金合計の比率だ．資金合計は，有形資産（例えば建物，および設備の価値），および無形資産の合計だ．資金合計価値の測定は，その株が公に交換される会社にとって市場資本化の合計だ．有形資産の測定は，その株が公に交換される会社にとって帳簿価格の合計だ．それゆえに，無形資産から資金合計の比率が比率に等しい，（市場資本化マイナス帳簿価格の公に交換された会社のための合計），市場資本化のそれらの会社のために合計によって分けられた．会社で司法権を連想することによって，あるいは会社で節約の司法権およびセクターの両方を連想することによって，指標が壊されるかもしれないこのＭＣＦは，節約によって，あるいはセクターｆｏによって節約を倒す．
【００７１】
収益から総売上高の比率としてＭＣＦを限定すること
ＭＣＦは，また，科学技術の改善の率を示す経済のデータに基づくかもしれない．すなわち，差額利潤，科学技術の改善が経済のデータに基づかせた率の１つの指標は，収益から総売上高の比率だ．これがそうだので速い科学技術の改善をもつセクターの会社そして，それぞれ会社製品をカバーする比較的高価な特許権を持っていよ．それぞれ会社特許権は，会社に比較的大きい差額利潤を楽しませるその競争を制限する．ｃｏｎｔｒａ当りの，科学技術の改善の比較的少ない率とのセクターは，（その）競争でドライブがそれによって総売上高比率に比較的安い収益を与える余白の下へ利益になる商品業界だ．セクターのための差額利潤は，科学技術変化セクターの高い，また低い率でＭＣＦがセクター扶養家族のことを可能にする利用できる経済のデータから違いのための口座へ快く導き出せる．科学技術の変化の率の他の指標が産業経営者あるいは部門でマクロ−経済のデータおよび株式公開の会社のための財政上のデータから生じていることができるそれぞれの産業経営者あるいは部門．
【００７２】
セクターＭＣＦは，科学技術の改善の率の指標の機能が好んでゼロ〜１の幅を持っていることに登ったということかもしれない．例のために，収益からそれぞれのセクターｉ，ＲＥＧのための総売上高の比率のためにｉ最も高いセクター価値は，０．９で，そして，最も低いセクター価値が０．１だと仮定せよ．それぞれのセクターＭＣＦのためのＭＣＦｉ そのように登られるかもしれないそれ：
ＭＣＦｉ ＝（ＲＥＧｉ − ０．１） ／ （０．９−０．１）．
実施できる特許の数の見積もり
好んで，実施できる特許の数は，彼らの実施できる用語以内に特許のそうなることを決めたすべての特許で要約することによって決められる．
【００７３】
二者択一的に，特許の平均の実施できる用語より前の期間同輩の間に司法権で出たので，実施できる特許の数は，評価することができる．実施できる特許の数は，特許のために統計資料に基づいて概算かもしれない．アメリカ合衆国で，特許は，発行からの１７年あるいは国内の優先度日からの２０年間一般的に実施できる．ほとんどの他の司法権で，特許は，彼らの国内の優先度日から２０年間実施できる．おまけに，ほとんどの司法権は，料金，およびそれらの料金のある断片が払われない維持あるいは更新をする．それゆえに，どんな特許の平均の実施できる用語は，２０年以内だ．アメリカ合衆国で，平均の実施できる用語は，発行日から現在おおよそ１５年だ．世界のその他の司法権で，平均の実施できる用語は，１０〜１５年の間並ぶと信じられている．
特許分類，および業種別分類コードに基づかせられた一致を扇形に分割するのが特許だ
それに特許が一致するセクターは，特許の特許分類，およびＳＩＣ，あるいはＮＡＩＳＣといった，業種別分類コードへのそれらの分類が暗号化する一致することを使うのが限定されることができた．
【００７４】
第１に，アメリカの間での一致，あるいは適切な節約のセクターへの国際的な特許分類法は，発見的に限定することができる．
第２に，特許は，それぞれのＳＩＣ，あるいはＮＡＩＳＣコードについて述べるその単語への特許分類（ＵＳＰＣＳ ＯＲ ＩＰＣＳ）について述べて特許をＳＩＣに割り当てるその単語，あるいは最も高い相互関係を持っているＮＡＩＳＣを関連させることによるセクターに関係があるかもしれない．ＮＡＩＳＣ ２，３，４個（人）中，それぞれ，５，あるいは６桁について述べるその単語にたとえられる例えば，関連している場合にはコード，特許のためのＵＳＰＣＳについて述べるその単語がそうかもしれないＮＡＩＳＣへの特許が扇形に分割する．特許は，それで特許のＵＳＰＣＳコーダーについて述べるその単語が最も高く関連させられるＮＡＩＳＣコードのために２桁コードに割当てられたかもしれない．相互関係機能の１つの例は，そうでないときはＵＳＰＣＳコードの記述の単語がＮＡＩＳＣコード，およびゼロの記述で単語とぴったり同じであるたびに１（人）の価値を提供する機能だ．どちらか一方の相互関係機能は，単語とより（例えば，２桁記述）低く単語とより高い（例えば，３）桁記述で匹敵すること，あるいはそれで方法が発見的に備えると決意しているより小さな高く頼ることよりも高くより正確な結果で匹敵することを重くするかもしれない．
【００７５】
もし特許が１つの特許分類を持っていれば，それは，１つのセクター分類を持つだろう．もし特許が多数の特許分類を持っていれば，それは，（その）事例で特許がその主要な特許分類に関係があるセクターに関係があるかもしれない多数の可能なセクター分類を持っているかもしれない．二者択一的に，特許は，いくつかのセクター，および重さに関係があるかもしれない，なぜなら，特許の数が（それぞれの組合に与えられた）それぞれのセクターを連想した限定することの目的がそうすることを比べられたそのセクターで特許の分類が関連させた特許の親類数に依存するかもしれないその総数，特許分類．この二者択一で，事実上は，特許の断片は，正常化定数Ｃを重くすることによる異なるセクターに関係があるかもしれないｉ その断片によって．ＣＦが評価する合計対応する断片がそれぞれのセクターのために決めたように，もし特許がいくつかの分類を持っていれば，特許のためのＣＦ価値は，限定されるかもしれない．
【００７６】
特許分類一致の例は，セクターでデータベースが４１へのＵＳＰＣＳが扇形に分割する一致することが２桁ＳＩＣｓによって限定したアメリカ合衆国特許，および登録商標オフィスによって売ったポキンだ．
特許で単語の相互関係に基づかせられた一致を扇形に分割するのが特許だ
特許は，特許のタイトル，要約，記述，あるいは要求におけるその単語を関連させることによるセクター，あるいは扇形あるいは業種別分類について述べるその単語へのどんなその組み合わせ，および特許の異なる部分へのどんな上積み手当，に関係があるかもしれない．例えば，ＮＡＩＳＣコードへの特許を関連させるときに，特許のタイトルのその単語は，ＮＡＩＳＣ ２，３，４，５，および６桁限定されたセクターのそれぞれについて述べるその単語に関連させられるかもしれない．特許は，ＮＡＩＳＣコード，あるいは特許のタイトル要約でその単語に最も高く関連させられる記述的な単語を持っているコード，記述，あるいは要求に関係があるかもしれない．同じ型，および機能が特許分類のために上を議論した相互関係の上積み手当，およびセクター記述がそうかもしれない企業家は，使った．
【００７７】
データベース図式
図．２および３がテーブルに２０−３５を見せる概略図だ，図の新しいデータベース１０．１． 中古だとして，ここにテーブルは，データベース質問，データベース巧みに操作する操作，データベース計算上の機能，あるいはデータベース報告操作から起因しているデータのプログラムを作っている芸術，およびテーブルで中古だとして両方のデータベース・テーブルを参照する．さらに，いくらかのテーブルが理解の楽のための述べられた含んでいる控えのデータ・フィールドである間，実際には，控えのデータ・フィールドが多数のテーブルに含まれないかもしれないでそしてテーブルの間でリンクに基づいて代わりに近づきやすいことが，理解されることだ．
【００７８】
テーブル２０は，特許の英数字の原文の中身を含んで特許に発行変化を郵送するかもしれない実際の特許データを含む．特許番号と国の組み合わせは，テーブル２０でそれぞれの記録の唯一のＩＤを形づくる．
テーブル２０のそれぞれの記録は，特許の原文の含有量をしまっておくフィールドを含むかもしれない含むこと：特許を公布する司法権のＩＤ；司法権，あるいは司法権のＩＤでどちら特許（例えば，アメリカ合衆国，日本，あるいは欧州連合）実施できる；その出ている司法権（「特許番号」として一般的に参照された）に特有の特許のＩＤ；タイトル；要約；仕様；要求；一意にそれぞれの譲り受け人を明らかにする譲り受け人コード；譲り受け人の名前；譲り受け人の通りアドレス；譲り受け人の住宅の都市；譲り受け人の住宅の状態；譲り受け人の法人設立の状態；どんな共同譲り受け人の名前；通り；都市；そして，共同譲り受け人の国のアドレス；共同譲り受け人の法人設立の状態；出された特許のＵＳＰＣＳおよびＩＰのクラス；特許が特許の参考だと言及したアメリカ合衆国の引用；特許の参考だと言及された外国の特許の引用；非特許参考の引用は，特許で引用した；発明者のアドレスと提携している名前をつけられたそれぞれの発明者の名前；試験官の事前の芸術検索のＵＳＰＣＳフィールド；試験官の事前の芸術検索のＩＰフィールド；主要な試験官の名前；どんな補助の試験官の名前；特許権所有者のための法定代理人の名前；特許へのどんな政府関心の存在．
【００７９】
さらに，含んで，テーブル２０のそれぞれの記録は，また，特許の実施できる用語に適切かもしれない原文の満足しているフィールドを含むかもしれない：申請番号；適用日； 発行日；終点にある否認日；終点にある否認特許番号，どんな終点にある否認特許番号の有効期限；優先度申請番号；どんな優先度適用性，外国の優先度適用ＩＤのための出願日，発行日，および特許番号；外国の優先度適用原産国；外国の優先度適用出願日；エクスパイアされる特許の指示；取り消される特許の指示；特許の用語がそうだった指示は，継続した．
さらに，含んで，それが出る後に，テーブル２０のそれぞれの記録は，また，起こる特許への変化に関する情報を含むフィールドを含むかもしれない：ＵＳＰＣＳ再分類，ＩＰＣ再分類；訂正の証明書，再発行物の証明書のテキスト，再検査の証明書のテキスト，邪魔における要求のキャンセル，あるいは反対またはその他同類進行，無効の保持のテキスト，あるいは法廷のｕｎｅｎｆｏｒｃｅａｂｉｌｉｔｙが進むと，それの後で特許の特許，およびＵＳＰＣＳおよびＩＰＣの再分類を含む進行が出した訴訟．
【００８０】
二者択一的に，テーブル２０は，（その）事例で特許番号フィールドがそれぞれのはっきりしている司法権のためのテーブルで主要な鍵として使われるかもしれないそれぞれの司法権のための１つのテーブルに分けられるかもしれない．
【００８１】
テーブル２０は，特許の英数字の原文の中身を含んで特許に発行変化を郵送するかもしれない実際の特許データを含む．読みやすいメモリーが特許のために（例えば，テープで蓄えられたが，磁石のあるいは小さいディスク）フォーマットする機械の特許のデータは，利用できる．例えば，１つのアメリカ合衆国特許のためのデータを含むファイルそれぞれは，ＵＳＰＴＯウェブサイトで探せるデータベースから利用できる．ウェブサイトが簡単に解釈することができるＵＳＰＴＯから得られた，およびテーブル２０のために明らかにされたフィールドを提供するのが再フォーマットされた特許のためのデータ・ファイル．これはつまり大多数の特許のためのこのようなデータ・ファイルは，フォーマットされた標準のフォーマット様式と一致することであるからだ．例えば，それぞれの特許のテキストで利用できるデータは，ＵＳＰＴＯウェブサイトからＨＴＭＬ＜ＨＲ＞付け札によって境界を設定されたセグメントを含むファイルから構成される．このようなファイルのそれぞれのセグメントは，１以上のテーブル２０のために明らかにされたフィールドのためにデータを含む．特徴的なひもは，（すなわち，ぴったりのデータがフォーマットする），マルチ・フィールド・セグメントで固定したそれぞれのフィールドの始まりおよび／または終わりとの関係でそれで現存して，そしてそれぞれのフィールドに境界を設定するために使用することができる．セグメント，およびフィールド・デリミターの存在および位置の選定に基づいて，データ・ファイルのそれぞれのフィールドは，外に構文解析することができる．おまけに，それぞれのセグメントは，調査されるファイルがフォーマット様式で現存することを確かめるために使用することができる特徴的なひもを含む．例えば，様式がそうかもしれないフォーマットは，その唯一のコンテンツが単語「記述」であるセグメントの後で「記述」セグメントを持っている．規則正しくフォーマットされた特許で，記述セグメントは，記述の前に，および後で＜ＨＲ＞ＨＴＭＬ付け札によって境界を設定される．規則正しくフォーマットされた特許で，その連続は，記述セグメントを明らかにする．しかし，特許のためのいくつかのデータ・ファイルは，フォーマット様式について行かない．すなわち，いくつかのファイルは不適当にフォーマットされる．例えば，ＵＳＰＴＯからのいくつかのデータ・ファイルは，その唯一のコンテンツが単語「記述」であるいかなるセグメントも持っていない．これらの特許で，「描写」セグメントは，言い回し「発明の背景」をもつセグメントと二者択一的にされるかもしれない．「描写」区分も「発明の背景」言い回しも含まない特許のファイルで，「描写」セグメントは，ファイルで最も長いセグメントに含まれると思われるかもしれない．もしいかなる親事例現存しなければ，親事例セグメントは，随意に，最も長いセグメント，および描写の最初である２つの段落，あるいは最初である１０００の性質が最も長いセグメントの残りであるために分割するということだと思われるかもしれない．
【００８２】
より小さな大規模な特許データベースは，世界知力財産オフィスのために（ヨーロッパ人特許庁のためのウェブサイトの欧州の特許のための）日本人特許庁のためのウェブサイトの，およびウェブの特許アプリケーションが設置する特許協力条約のための日本の特許にとって探せる．さらに，公表されたアメリカ合衆国特許アプリケーションは，近い将来ＵＳＰＴＯウェブサイトから利用できるだろう．すべてのこれらのサイトから利用できるファイルは，それぞれの特許のそれぞれのフィールドのためにテキストを明らかにするために，構文解析されるかもしれない．おまけに，多くの国の工業の財産オフィスは，特許の含んでいるすり傷が多数のためのデータの特許をとる一列縦隊，あるいは公表されたアプリケーションを特別割引価格に提供する，そして，特許に発行訂正をまた郵送せよ．ＵＳＰＴＯがＵＳＰＣＳ再分類を含むＣＤ ｒｏｍ製品を売る例のために，どちらの特許の指示は，再検査，訂正，再委託，などの証明書経由で正された，そして，このデータがこれらの製品からエクスポートされた，およびテーブルで合体していることができる２０．
【００８３】
好んで，データベースは，特許を彼らの更新された特許分類と関係づけるテーブル２１を含む．テーブル２１は，含んでフィールドを含む記録を含む：それぞれの特許の現在のクラスの特許番号，国，身元．現在の分類データは，特許番号の現在のＵＳＰＣＳ，あるいはＩＰＣクラス，あるいはクラスかもしれない．好んで，それぞれの記録は，たった１つのＵＳＰＣＳクラスおよび１つのＩＰＣクラスのためのデータを含む．特許番号と国の組み合わせは，テーブル２１でそれぞれの記録のための唯一のＩＤを形づくる．
【００８４】
テーブル２２は経済のデータを含む．テーブル２２のそれぞれの記録は，含んでフィールドを含む： 経済のセクター，ＧＤＰ（あるいは交代する大きい経済指標の断片）の断片の身元は，そのセクターに関連した，そして，ネットワーク組織会社収益（あるいは交代する測定に対応する純利益の断片）の断片は，セクターのためにそのセクター，および好んで平均の差額利潤に関連した．セクターは，テーブル２２でそれぞれの記録のための唯一のＩＤを形づくる．
【００８５】
テーブル２３は，含んでフィールドを含む記録を含む：もし１（人）が現存すれば，会社名，会社時計は，シンボルを用いる，そして，いくつかの財政上の指標データは守備につく．会社名は，テーブル２３でそれぞれの記録のための唯一のＩＤを形づくる．テーブル２３の財政上の指標フィールドは，そうかもしれない含め：収益，純利益，全体の帳簿価格；株価；顕著な株；市場資本化；株当たりの株，ネットワーク組織収益当たりの全体の収益；株当たりの帳簿価格；従業員当たりの全体の収益；従業員当たりの純利益；従業員当たりの帳簿価格；全体の収益は，帳簿価格によって分けた（資産がひっくり返る）．顕著な株は，株の数が会社によって所有された人（もの）を除外する株主によって所有したということだ．価値を予約せよ’すべての責任が引かれる後に，それとしての会社の価値が会社の意見ではリストアップされることを表す．帳簿価格は，特許および著作権といった無形物を含まない．さらに，財政上であって記録的なそれぞれの会社は，１００％出資子会社の名前をリストアップするフィールドを含むかもしれない．
【００８６】
テーブル２４は，それぞれが含むことが守備につける記録を含んで含む：その司法権で特許のその型のために始まっている日および実施できる用語の終わり日を決める司法権の身元，型の特許，およびアルゴリズム．司法権の身元は，テーブル２４でそれぞれの記録のための唯一のＩＤを形づくる．機能は，一般的に特許の優先度日，出願日，発行日，終点にある否認，および適用できるスペシャル，あるいは一般的名称拡張法律の機能だ．例えば，ヨーロッパおよび日本で，アルゴリズムは，始まっている日としての授与された物日，および終わり日としての国家の優先度出願日（例えば，２０年）からの固定した持続時間を明らかにする．アメリカ合衆国で，機能は，はるかに多く複雑にされる．アメリカ合衆国で，始まっている日は，いつも授与された物日だった．アメリカ合衆国で，もしそれから特許が出た適用が１９９５年６月０８日の前に提起されたら，用語は，一般に１７年だ．もし適用が１９９５年６月０８日年以降に提起されたら，終わり日は，最も早いアメリカ合衆国優先度出願日から一般に２０年だ．新たに制定された法律制定のもとで，より新しい特許のための終わり日は，一般に発行日からの１７年あるいは出願日からの２０年のより長いほうだ．ほとんどの国で，用語日は，短くされた許された特許で含まれるどちらの申し立てにおける多様な理由で短くされるかもしれない．ある例で，用語は，一般的名称を越えて述べられ，そして，その事実がそうである特許は，ある政府機関から許された特許の，あるいは電子の形で利用できる一方を普通に含んだ．アメリカ合衆国，例えば，で，麻薬特許任期拡張は，食品医薬品局のウェブサイトから，および彼らの「オレンジの本」と呼ばれた発表から利用できる．
【００８７】
テーブル２５は，含んでフィールドを含む記録を含む：司法権の身元；特許の型；相対的なＣＦを決める機能は，特許の価値特徴から評価する．司法権の身元は，テーブル２５でそれぞれの記録のための唯一のＩＤを創設する．特許（例えば，デザインあるいは公益事業）のそれぞれの型は，それぞれの司法権で規則がそれを連想した異なる相対価値を持っている．テーブル２５のそれぞれの記録は，特許のその型に適用できる相対的なＣＦ価値機能を限定するデータを含む．アメリカ合衆国有用性特許のための相対価値機能の例がＦだどこでＦ＝ｆ１（譲り受け人の数）＊ｆ２（特許参考が引用した我々の数）＊ｆ３（参考が引用した外国の特許の数）＊ｆ４（参考が引用したその他）＊ｆ５（要求の数）＊ｆ６（無所属の方法要求の数）＊ｆ７（無所属の製品要求の数）＊ｆ８（最も短い無所属の要求における性質の数）＊ｆ９（仕様の性質の数）＊ｆ１０（形の数）＊ｆ１１（最初に，第２の，あるいは第３の維持料金を支払うことの失敗）＊ｆ１２（再試験されてかつてである）＊ｆ１３（２度再試験された）＊ｆ１４（３度再試験された）＊ｆ１５（訂正の証明書の存在）＊ｆ１６（任期拡張の存在）＊ｆ１７（訴訟の注意の存在）＊ｆ１８（ＰＣＴの要求優先度）＊ｆ１９（ＥＰＣの要求優先度）＊ｆ２０（日本の要求優先度）＊ｆ２１（特許の型）＊ｆ２２（外国の優先度適用へのアメリカ特許の優先度要求）＊ｆ２３＝（型の特許），あるいはｆ２４（特許価値が伝統的な評価過程によって決めた）．もし一致しているデータ・フィールドにいかなるデータ・プレゼント（ヌル）もなければ，ｆ２３を通した機能ｆ１のそれぞれは，１の価値を達成する．さらに，もしそれ（ヌル）に出席しているいかなるデータもなければ，ｆ２４がｆ２４が価値を含むということであるＦ＝，およびｆ２４が価値を達成する機能は，目盛りをゼロに合わせる．二者択一的に，Ｆは，ｆ２３，あるいは同輩ｆ２４への合計機能ｆ１だ．
【００８８】
テーブル２６は，特許クラス・データを対応する経済のセクター・データと関係づけるデータを含むテーブルだ．２６が含むテーブルは，それぞれがＵＳＰＣＳ，あるいはＩＰクラス，あるいは共に一致しているＮＡＩＳＣを含んであるいは原文のままコードを扇形に分割することを守備につける．特許クラスは，テーブル２６でそれぞれの記録のための唯一のＩＤを形づくる．
【００８９】
テーブル２７は，含んで記録それぞれを含む：会社名，および１以上の会社名と同じ実体を明らかにする譲り受け人名前．会社名は，テーブル２７でそれぞれの記録のための唯一のＩＤを形づくる．（同じであって法定の実体のための）テーブル３３の特許譲り受け人名前およびテーブル２３の会社名が同じでないかもしれないことが，書きとめられるべきだ．譲り受け人名前は，一般的に会社といった法定の実体の正確な名前だ．名前が会社財政上のデータを連想した対照，会社で，たぶん実際であることの省略あるいは変更は，会社実体の法定の名前を記録した．しかし，単純なデータベース質問，および精選品規則が自動的に正確な一致を彼らのテーブル２１の譲り受け人名前と会社との間の実体，あるいはテーブル２４の「株名前」に得させるために使用されるかもしれない，およびテーブルが視覚的に再検討された，およびいくらかにとって正されたかもしれない不正確だ一致．例えば，名前がそうかもしれない会社名，および譲り受け人は，以下の規則を想定することによって自動的に一致した： 名前は，譲り受け人名前で最初の単語と同じだ，そして，会社名の第２の単語の最初である４つの手紙が譲り受け人名前で第２の約束における４ ３つの手紙と同じである会社における最初の単語，および最初である２個手紙でその３単語でその会社名そうだ同じこと（もの）としてその１ ２手紙でその３単語でその一致する譲り受け人名前．これらの基準は，譲り受け人，および株上へ頼もしく対等のために使用されて，あるいは会社名に対応する同じ実体であることができる．１００％出資子会社を明らかにするデータは，政府機関から利用できる，なぜなら，例は，商務省のウェブで入手可能な無料の縁取り具データベースによってアメリカ合衆国で提供した．
【００９０】
テーブル２８は，それぞれの特許のために相対価値特徴データのためのフィールドを含む，どちら含め：要求の数；独立している要求の数；独立している方法要求の数；独立している製品要求の数；独立しているシステム要求，独立している作品要求の数の数；独立している製造要求の数；独立している要求の他の型の数；それぞれの独立している要求の長さ； 仕様の長さ；形の数；例の数；どんな外国の優先度要求の存在；国家の優先度要求の存在；パリ協議会要求の存在；ＰＣＴ適用からの発行；国の数は，ＰＣＴ適用で明示した；引用された国家の特許参考の数；引用された外国の特許参考の数；引用された非特許参考の数；優先度出願日から発行日までの時刻；実際の出願日から発行日までの時刻；特許（役に立つ物，デザイン，再発行物，あるいは工場，実用新案）の型；特許を含む訴訟の注意のどんな郵便発行証明書，存在の再検査，要求の長さの証明書の訂正，存在の郵便発行証明書の存在；製品の規制する再調査の存在は，特許によってカバーした；対応する外国の特許適用性（例えば，主題特許と同じ適用への優先度を要求するアメリカ，ＰＣＴ，ＥＰＣ，あるいは日本人適用），関係がある国民の数の数は，同じ適用へのすべての主張している優先度，および主題特許に引用する後で出された特許の数の特許をとる．特許のＩＤは，テーブル２８でそれぞれの記録のための唯一のＩＤを形づくる．
【００９１】
要求，および記述（また呼ばれた仕様）の長さは，文字，語，行，あるいは段落の数として測られるかもしれない．さらに，もし要求，あるいは仕様が（グラフィカルな）公式均衡，あるいは連続型（で）さえの表現を含めば，それぞれの表現のこのような型は，文字，語，あるいは段落の数で等しい長さを割り当てられるかもしれない．同等は，（約束における）公式，グラフ，あるいは均衡を表すのに必要な発見的に決められた性質の同等数にそうであって，そして８０の性質への望ましい同輩だ．さらに，要求の長さは，電子的に公表された特許で電子のモニターで彼らそれぞれが印刷された特許で，あるいはスクリーン・エリアで占める２つの次元の地域によって測ることができる．
【００９２】
ここに限定された長さ測定は，より急に要求それが持っているより小さな制限，およびそれゆえにより十分にその適用範囲以来要求の幅の測定だ．どちらか一方の言葉の結果を説明するために，しかし，どちらか一方の制限が単独の制限を要求することの長さよりも長くおよびそれゆえに要求の断固とした長さであるべきだと主張するときに含まれた長さが客観的な道で調節されるかもしれないので，二者択一を要求する言葉がその規則に従わないでその幅，ひとつの要求．それゆえに，二者択一的に，要求におけるどちらか一方の言葉の存在要求でテキストの実際の言葉と違う長さ価値を割り当てられるかもしれない．例，要求のテキストのために，Ｍａｒｋｕｓｈを暗唱することは，「構成されているメンバーから選ばれた」，あるいは単にその単語を含む言い回し経由で一緒になる”あるいは”，あるいはそこで変数が多数のどちらか一方の価値を持っていることができて，このような要求の範囲における関係，および価値機能の自分で発見させる分析に基づく長さ価値を割り当てられるかもしれない表現の定義は，要求の長短に関連した．これはつまりたとえＭａｒｋｕｓｈをカバーすることが一緒になるという主張がそのグループの単独の種をカバーする要求よりも幅が広いとしても，Ｍａｒｋｕｓｈグループの暗唱は，単独の種の暗唱よりも長いからだ．機能が要求の「長さ」を連想した優先の相対価値が逆に要求のプロポーショナル長さであるので，Ｍａｒｋｕｓｈグループの存在が賠償されることがない限り，優先の相対価値機能は，変則的な結果を与えるらしく，なぜなら，要求長さをＭａｒｋｕｓｈに割り当てることによって，含んでいるグループがそれは実際の要求以下であるべきだと主張する長さ．例えば，要求のための長さ計算は，８０の性質といった，多くの性質によって減らされるかもしれない，あるいは，パーセンテージによって，要求がＭａｒｋｕｓｈグループ，あるいはどちらか一方の暗唱を含むと決意しているときに，例えば２０パーセント，達せよ．
【００９３】
テーブル２８の特性フィールドがまた含むかもしれない相対価値：譲り受け人の数；例，形，特許参考が引用したアメリカ合衆国の数の数の数；外国の特許参考の数は，引用した；非特許参考の数は，引用した；形の数；ｅｎｆｏｒｃｅａｂｉｌｉｔｙの一時の経過の数；再検査進行の数； 訂正の証明書の数，ＰＣＴ，ＥＰＣ，他の特許大会，における，あるいは外国の国家のアプリケーションにおける特許へ成熟した特許の用語拡張，アプリケーションに特許，優先度要求の存在を含む訴訟の数のそれぞれの型に番号をつけよ；特許の（例えば，ユーティリティ，再発行物，デザイン，工場，種，実用新案，あるいはデザイン），伝統的な特許評価の型．ここに，伝統的な特許評価は，特許の特許，および命によってカバーされるように，製品の使っている販売によって得られた同一視したということを意味する．
【００９４】
要求，それぞれの無所属議員あるいは扶養家族であるのにかかわらず，の長さ，および型の要求（製品，方法，システム，装置，など）は，特許データ・テーブルでデータから自動的に決められるかもしれない．それぞれの要求は，特許のためにデータ・ファイルの要求フィールドから境界を設定することができる．要求のそれぞれの要求，および型のフィールド，それぞれの要求，独立の始まりおよび語尾が要求における日から明らかにされるかもしれないという主張は，プログラムで実行された規則のセットを使うことを守備につける．要求フィールドの要求は，それぞれの要求の始まりを明らかにすることによって境界を設定されるかもしれない．以下の基準に応じる連続を持っている最初のキャラクタ・ストリングのフィールドが存在と調和することによって明らかにされるかもしれないという主張におけるＮ番目の要求の始まり：（１）非ＡＳＣＩＩ文字（例えば，線中断），数ｎ，余白，どちらの資本の手紙，あるいは数字，あるいはグラフィック指標，および（２）部分が非ＡＳＣＩＩ文字の文字列を含むという主張におけるいかなるその後のひももない，どちらの資本金が単語「Ａ」の１（人）を始めることに文字を入れる数ｎ，余白，「Ａｎ」，あるいは「Ｔｈｅ」あるいは，数字，あるいはグラフィック指標，そして（３）もし要求にその後のひもがあれば非ＡＳＣＩＩ文字の文字列を含む部分，どちらの資本金が単語「Ａ」の１（人）を始めることに文字を入れる数ｎ，余白，「Ａｎ」，あるいは「Ｔｈｅ」あるいは最初の連発における数字，あるいはグラフィック指標，および大文字が１（人）を始める，単語「Ａ」「Ａｎ」，あるいは”その”．その前の規則，あるいは一般的な説明は，冠詞を含んで，あるいは的確性を含むどんな言葉の特許データ・ファイル，および「Ａ」のような不定冠詞に適用されるかもしれない；「Ａｎ」；および「Ｔｈｅ．」ＨＲ ＨＴＭＬといった，要求を含むことがタグをつけるコードで要求セパレーターの要求の始まりおよび語尾が存在であることを決定することに役に立つもう一つの規則．キャラクタ・ストリングのＩＤはそこで最初の文字が期間，次のＡＳＣＩＩ文字である一連の文字を含んでいるかという主張の始まりおよび語尾が要求の始まりを意味する数であることを決定するのに役立つかもしれないそれ以上の規則，すなわち次の文字は，期間だ，そして，次の文字は，余白だ．そこで最初の文字が期間である一連の文字を含んで要求の始まりおよび語尾がキャラクタ・ストリングのＩＤであることを決定することに役に立つかもしれないそれ以上の規則，すなわち次のＡＳＣＩＩ文字は，非ＡＳＣＩＩ文字によって先立たれて，要求の始まりを意味する数だ，次の文字は，期間だ，そして，次の文字は，余白だ．
【００９５】
一般に，１つの要求の終り（端）の決心，および次の要求の始まりは，３つの規則を含む．最初の規則が高く要求の始まりの特徴である列のセットのメンバーである要求部分で最初の文字列のＩＤだ，およびそれぞれが見込みによってセットの数，およびメンバーを並べることを含む彼らが要求の始まりを意味する．第２の規則は，要求の始まりだとセット内のまだその後の列の（場所と切り離せない）要求の始まりおよびよりありそうなこととしては位置される（べき）要求の始まりだとよりありそうなこととしてはセットに入るどんなその後の列の場所を決めていてそして並べられる．第３の規則は，ナンバーワンに始まることだ（すなわち要求が第一の要求で始まると仮定する）．従って，ｎ＋１ ｔｈ要求，要求決心アルゴリズムの始まりおよび語尾が要求の残りを調べることを決定するときに，極めて特徴的なセット，およびｎ＋１ ｔｈ数を含むことにおける列へのマッチのために部分に分かれよ．
【００９６】
記述の長さは，そのフィールドのためのＨＲデリミターを明らかにすることによって特許のためにウェブページで決められるかもしれない．
独立している要求は，他のどの（いずれかの）要求を参照しない要求だ．要求は，他のどの（いずれかの）それがｎがその他の要求の数である言い回し「要求ｎ」を含むかという主張を参照する．さらに，「要求」の綴りの誤り，および「ｎ」整理番号を含むことの失敗といった，要求における可能な正式の間違いは，独立している（べき）単語「要求」を含むどんな要求を限定することによって説明されるかもしれない，および言い回しを含むどんな要求特徴的だ，ひとつの依存している要求，もし扶養家族の一部分であることがこの言い回しが「要求１に従って」読むはずであることがありそうな「ｎに従って」といった，単語要求の存在がなければ主張せよ．よく似た言い回しがそれとしてある”としてで”；”限定するで”；「ｎで出発した」；「ｎに従って」；「ｎで指定されたとして．」
【００９７】
さらに，独立している方法要求は，「方法」，あるいは「過程」の「方法」，あるいは「過程」，あるいは綴りの誤りを暗唱するそして過程要求によって製品を限定しない独立している要求だ．過程要求による製品は，その言い回し「過程によって形づくられた製品」の含んでいるもの，あるいは綴りの誤りによって特性を示される；そして，「過程によって形づくられた製品」といったその二者択一；「方法によって形づくられた製品」；「方法によって形づくられた製品」； ”ステップを包含する方法に従って作った，”；および”ステップを包含する方法に従って作った，”．例の数は，「例ｎ」のために記述部分でテキストを調査すること，および「ｎ」が見つけた最も高い例の数だと仮定することによって決められるかもしれない．
【００９８】
テーブル２９は，含んでフィールドを含む記録を含む：特許番号，司法権，譲り受け人，地域の身元，は，実施できる用語，および相対価値の，実施できる用語の日を始めて，日を終えることを扇形に分割する．特許が，数えられて同一視する，司法権は，テーブル２９でそれぞれの記録のための唯一のＩＤを形づくる．
【００９９】
Ｔａｂｌｅ３０は，含んでフィールドを含む記録を含む：特許番号，実施できる用語の純利益，始まっている日のＧＤＰ，ＣＦの司法権の身元，譲り受け人，地域，セクター，ＣＦ；実施できる用語の日を終えること．司法権の特許番号，および身元は，テーブル３０でそれぞれの記録のための唯一のＩＤを形づくる．テーブル３０は，テーブル２９で質問および機能がデータで実行したデータベースによって生みだされる．ＧＤＰのＭＣＦにすべての特許のためにＧＤＰのＣＦのテーブル２９，およびどちらの合計を規準に合わせることで価値特性フィールドでその機能を適用して，ＧＤＰのＣＦおよび純利益のＣＦは，テーブル２５で規則から機能を生みだすことによって決められる（ＧＤＰデータは，テーブル２２に保存される）あるいは，ネットワーク組織会社収益（ネットワーク組織会社収益がテーブル２２で蓄えられて）のＭＣＦに，経済のモデルによってはすべての特許のために純利益のＣＦを規準に合わせることは，実行した．
【０１００】
好んで，実行された経済のモデルは，（その）事例で正常化がＧＤＰの断片に基づくそれぞれのセクターによって生みだされたＧＤＰ，および純利益の断片，あるいはそのセクターのためのネットワーク組織会社収益を区別する，そして，正常化が限定されたとしてそのセクターに関係がある唯一の特許を含むによってその一致，その特許クラスへのそのセクターでテーブル２６．
【０１０１】
テーブル３１は，含んで記録それぞれを含む：日を始めて，特許評価がＧＤＰのＣＦに基づかせた数，評価が純利益のＣＦに基づかせた司法権，譲り受け人，地域，セクター，特許の身元，の特許をとる，その実施できる用語，終わる日，その実施できる用語．おまけに，一連の歴史的な日のそれぞれの特許の評価は，日を身につけたまま組合でＧＤＰ，あるいは（すなわち）純利益の中央アフリカ，の特許，ＣＦの知られている実施できる用語を使うこと，およびそれぞれの特許の内部収益率，および歴史的な評価の連続を想定することによって決められるかもしれなく，それは，それぞれの評価が基礎とされる同じくそうかもしれないそうだ蓄えるでテーブル３１．司法権の特許番号，および身元は，テーブル３１でそれぞれの記録のための唯一のＩＤを形づくる．
【０１０２】
テーブル３２は，含んで記録それぞれを含む：そのセクターに関係がある特許の部分，合計の評価がＣＦに基づかせた特許の収益が交際したネットワーク組織の中央アフリカのそのセクター，合計に関係がある特許のＧＤＰのＣＦの経済のセクター，合計，ＧＤＰ，およびに基づいてＣＦ，純利益．さらに，テーブル３２のそれぞれのセクターの記録は，最初の，また第２の特許評価のために純利益のＣＦのためにＧＤＰのＣＦ，歴史的な価値の合計のために実施できる特許，歴史的な価値の合計の数のために歴史的な価値の合計をしまっておくフィールド，および歴史的な価値の合計を含むかもしれない（すなわち，，ＧＤＰ，および純利益），そして，それぞれの未来の外挿を蓄えるフィールドは，過去のデータに合っている機能の適合の価値に基づかせられた量を合計した．３２が含むかもしれないテーブルの記録がそれぞれを関連させられたセクターに関係がある特許の数によって，譲り受け人の地理学の地域，あるいは発明者の譲り受け人，あるいは譲り受け人，名前，あるいは名前の名前，あるいは名前を含んで，並べられたテーブルを守備につけるかまたは連想したそれぞれ譲り受け人あるいは地域．セクターは，テーブル３２でそれぞれの記録のための唯一のＩＤを形づくる．
【０１０３】
歴史的なセクター・データの例，および未来の時刻へのそのデータの外挿のために，以下のデータを見せる調剤業界のために純利益の合計ＣＦを想定せよ： （３０，３３，３６，３８，４０，４１，４３，４５，４９，５６，６９，７９）それぞれの完全なものが１年期間の間１０億で純利益を代表するところ，どこで見せられるデータ連続している１年期間，および７９の最も最近の参加が最も最近の年で純利益を代表するところのためにある．どちらが２次の機能を提供するかに適しているので，このデータは，最もよい第２の順序多項式に合う．２次の機能の価値は，その後の５年で計算される，それらの価値は，次の５年の間調剤の特許のための純利益のＣＦの予言だ．
【０１０４】
テーブル３３は，含んで記録それぞれを含む：特許のＧＤＰのＣＦの地理学の地域，合計は，それぞれの地域から特許の収益が譲り受け人を関連させたネットワーク組織の中央アフリカのそれぞれの地理学の地域，合計から譲り受け人を関連させた，特許のＧＤＰのＣＦの合計は，それぞれの地域から特許の収益が発明者を関連させたネットワーク組織の中央アフリカのそれぞれの地理学の地域，合計から発明者を関連させた，ＧＤＰ，および純利益のそれぞれの合計は，譲り受け人に関係がある特許，および地域からの発明者のために特許評価を基礎とした．さらに，それぞれの地域の記録のために，テーブル３３は，毎年特許の数の合計が行われていた純利益のＣＦのＧＤＰ，合計，最初の，また第２の特許評価のそれぞれの合計，の中央アフリカのために歴史的な価値の合計をしまっておくフィールドを含むかもしれない，そして，実施できる特許それぞれ年の数，およびそれぞれの未来の外挿を蓄えるフィールドの合計は，量を合計した．おまけに，テーブル３３のそれぞれの記録は，譲り受け人の名前のそれぞれを含むこと，および（特許の数によって並べられた）セクターの名前がそれぞれの譲り受け人および部門を連想した守備につけるかまたは関連させられたテーブルを含むかもしれない．地理学の地域は，それぞれの記録的なテーブル３３のための唯一のＩＤを形づくる．
【０１０５】
テーブル３４は，含んでフィールドを含む記録を含む：現在実施できる特許の数の譲り受け人名前，地域，セクター，合計およびそれで交際する（ｉ．ｅ，所有するによって）譲り受け人，最後の年に行われられていて特許のＧＤＰの譲り受け人，ＣＦの合計に関係がある特許の数は，譲り受け人と交際した，評価が特許のＧＤＰに基づかせた特許の収益が譲り受け人を連想したネットワーク組織のＣＦ，特許の合計の合計は，譲り受け人と交際した，そして，評価が特許の純利益のＣＦに基づかせた特許の合計は，譲り受け人と交際した．この段落でリストアップされたフィールドは，現在の日価値を含む．
【０１０６】
さらに，テーブル３４は，事前の，また未来の日の間また分量のための価値をしまっておく．テーブル３４のそれぞれの譲り受け人の記録が事前の年，譲り受け人の連続，あるいは歴史的な時刻，譲り受け人の連続，あるいは歴史的な時刻で実施できる特許のＧＤＰのＣＦの合計，で実施できる特許の数の合計で譲り受け人によって得られた特許の数の合計をしまっておくフィールドを含むそして，譲り受け人の一連の歴史的な時刻で実施できる特許の純利益のＣＦの合計．特許のためのＣＦ，および譲り受け人によって所有された実施できる特許の数の合計のための価値は，その歴史的な日に与えられた歴史的な日に特許のための譲り受け人によって所有したＣＦを要約することによって決められて，実施できると決意している．特許のＥｎｆｏｒｃｅａｂｉｌｉｔｙは，データで特許が実施できる用語日のそれが始まって終わること以内にそうであることが必要だ．Ｅｎｆｏｒｃｅａｂｉｌｉｔｙは，また，取り消すかまたは保持された特許を明らかにすることが与えられた日に病弱にするデータに依存するかもしれない．
【０１０７】
さらに，テーブル３４のそれぞれの譲り受け人の記録は，一連の歴史的な日の間評価された評価ですべての特許の評価の合計をしまっておくことが譲り受け人によって所有したフィールドを含むかもしれない．それぞれの特許の評価は，テーブル３１で歴史的な日に提供されている．
【０１０８】
さらに，それぞれの会社の記録のために，テーブル３４は，譲り受け人によって年当りの得られた特許の数の合計のために推定された未来の価値をしまっておくフィールドを含むかもしれない，特許のためのＧＤＰの譲り受け人，ＣＦ価値の合計によって所有された実施できる特許の数の合計は，譲り受け人によって所有した，特許のための純利益の価値が譲り受け人によって所有したＣＦ，特許のための特許評価の合計の合計は，譲り受け人によって所有した．価値がテーブル３１に保存した推定された未来は，その後の５年のそれぞれに好んで賛成だ．外挿は，それぞれのこれらの分量（すなわち，年，ＣＦ価値のそれぞれの合計，当たりの特許の数のそれぞれの合計および評価のそれぞれの合計）のために事前の価値で傾向への機能に合うことに基づくそしてそれぞれのフィッテングの価値を決めることは，未来の日のそれぞれで作用する．合っている機能の価値は，一致している未来の日と提携しているテーブル３４でフィールドで未来の日で蓄えられた．
【０１０９】
さらに，テーブルで，３４は追加のフィールドを含むかもしれない，あるいは，関連させられたテーブルが地理学の地域の名前，およびセクターの名前を含んで，１以上の特許の数の合計によって並べたそれぞれの記録は，最も最近の年に行われていた，評価がそれぞれの地域および軍事作戦地区を連想したＣＦのそれぞれの実施できる特許，合計の数の合計，あるいは特許．
【０１１０】
テーブル３５は，それぞれの会社の記録を含む．これらの記録それぞれは，様々な日の間それぞれの会社のためにＨＰＦ，ＣＰＦ，およびＦＰＦの比率，およびＨＰ，ＣＰ，およびＦＰＳ価値をしまっておくいくつかのフィールドを含む．
生みだすことの方法は，データベース・テーブルから報告する
形４は，ステップのための作業工程図がよく図のデータベース１０でデータを分析したことを示す．１．
ステップ４０で，データベースは，Ａｃｃｅｓｓ ２０００，あるいはＳＱＬ Ｓｅｒｖｅｒ ７．０といったデータベース・プログラムで開けられる．
【０１１１】
ステップ４１で，アルゴリズムが長さを含めて相対価値データを引き出す（べき）特許データ・テーブル２０のコンテンツ，および独立している要求，独立している要求のそれぞれの型の数の数，記述の長さ，で走らせられるおよび数，例．好んで，最も短い独立している要求の長さは，決められる．データが（それぞれの特許のための）テーブル２０の特許データ，および特許データ・テーブル２０で先に存在する相対価値データから引き出した相対価値がテーブル２８に保存されるでひとつの記録のためにその一致する特許．
【０１１２】
ステップ４２で，相対価値アルゴリズムは，相対価値データが「相対価値番号」をその特許に提供する（べき）テーブル２８のそれぞれの特許の記録に保存した追い込みだ．相対価値アルゴリズムを利用したそれぞれの特許のための数が決めた相対価値が一致している特許，それぞれの記録のためのテーブル２９の記録に保存される含むひとつの相対価値番号個人としては特許．相対価値アルゴリズムは，それぞれの特許のために相対価値データの機能だ．好んで，相対価値アルゴリズムは，相対価値データの機能，ＲＶｆ，によっては相対価値番号をそれぞれの特許に提供する．好んで，機能，ＲＶｆ，は，機能のセットの製品あるいは大意だ，そして，機能のセットのそれぞれのメンバーは，１つの相対価値変数のみによって頼る．例えば，相対価値機能，ＲＶｆ，は，ｆ２３を通して関数の値ｆ１の製品かもしれない，そこで，ｆ２３を通したｆ１は，特許の価値で一致しているデータ・フィールドで相対価値データのために特許の相対価値で予期された結果を表す．これらの機能の例がｆ１＝だ（１．０／（譲り受け人の数）；ｆ２＝（１．０＋０．２＊（ＮＲＥＦ−ＮＲＥＦａｖｅ）／（ＮＲＥＦ＋ＮＲＥＦａｖｅ））どこでＮＲＥＦ特許参考が引用したアメリカ合衆国，およびＮＲＥＦａｖｅの数が随意の数だということだが特許参考が引用したアメリカの数の平均に等しいかもしれない；ｆ３＝（１＋０．０５＊（ＮＦＲＥＦ−ＮＦＲＥＦａｖｅ）／（ＮＦＲＥＦ＋ＮＦＲＥＦａｖｅ））どこでＮＦＲＥＦ外国の参考の数は，引用し，そして，ＮＦＲＥＦａｖｅが随意の数に等しいということだが参考が引用した外国の特許の数の平均に等しいかもしれない；ｆ４＝（１＋０．２＊（ＮＯＲＥＦ−ＯＲＥＦａｖｅ）／（ＮＯＲＥＦ＋ＮＯＲＥＦａｖｅ））どこでＮＯＲＥＦ他の参考の数は，引用し，そして，ＮＯＲＥＦａｖｅが随意の数に等しいということだが他の参考の数の平均に等しいセットが引用したということかもしれない；ｆ５＝（１＋０．２＊（ＮＯＣ−ＮＯＣａｖｅ）／（ＮＯＣ＋ＮＯＣａｖｅ））どこでＮＯＣ要求，およびＮＯＣａｖｅの数が要求の数だということだ；ｆ６＝（１＋１．０＊（ＮＩＭＣ−ＮＩＭＣａｖｅ）／（ＮＩＭＣ＋ＮＩＭＣａｖｅ））どこでＮＩＭＣ独立している方法要求，およびＮＩＭＣａｖｅの数が随意の数だということだが独立している方法要求の数の平均に等しいかもしれない；ｆ７＝（１＋１．０＊（ＮＩＰＣ−ＮＩＰＣａｖｅ）（ＮＩＰＣ＋ＮＩＰＣａｖｅ））どこでＮＩＰＣ独立している製品要求，およびＮＩＰＣａｖｅの数が随意の数だということだが独立している製品要求の数の平均に等しいかもしれない； ＮＣＳＩＣが文字の数であるｆ８＝（ＮＣＳＩＣａｖｅ／（ＮＣＳＩＣ＋１０．０））は，最も背が低い独立している要求，およびＮＣＳＩＣａｖｅで随意の数だが，最も短い独立している要求における文字の数の平均に等しいかもしれない；ｆ９＝（１＋０．２＊（ＮＦ−ＮＦａｖｅ／（ＮＦ＋ＮＦａｖｅ））どこでＮＦ形あるいは最も高い数の数は，形に番号をつけ，そして，ＮＦａｖｅが随意の数だということだが形の数に等しくあるいは最も高い数形番号の平均かもしれない；ｆ１０＝（１＋１．０＊（ＮＣ−ＮＣＳａｖｅ／（ＮＣ＋ＮＣ��ａｖｅ））どこでＮＣ文字の数が仕様，およびＮＣＳａｖｅで随意の数だが最も短い独立している要求における文字の数の平均に等しいかもしれないということだ；ｆ１１＝（１−０．１＊デルタ（ＦＰＭＦが維持が料金を払う適時の給料への失敗のために特許のｅｎｆｏｒｃｅａｂｉｌｉｔｙで経過を示すＦＰＭＦ））；ｆ１２＝（５．０＊ＤＥＬＴＡ（Ｒ１））ＤＥＬＴＡがデルタの機能，およびＲ１が１（人）に等しいことを示すときに特許再試験されてかつての，およびゼロであって別だった；ｆ１３＝（１０．０＊ＤＥＬＴＡ（Ｒ２））どこでＲ２そうでないときは，１（人）は，もし特許が２度再試験されてゼロなら，か；ｆ１４＝（１５．０＊ＤＥＬＴＡ（Ｒ３））どこでＲ３そうでないときは，１（人）は，もし特許が３度再試験されてゼロなら，か；ｆ１５＝（０．９５＋０．１＊ＤＥＬＴＡ（ＲＴＴ））どこでＲＴＴ １（人）は，もし特許の訂正の証明書があれば，か；ｆ１６＝（０．９５＋２．０＊ＤＥＬＴＡ（ＮＴＥ１がその用語拡張を示すＮＴＥ１））３５ ＵＳＣ １５４によって提供される；ｆ１７＝（０．９５＋２．０＊ＤＥＬＴＡ（ＮＴＥ２が用語拡張が３５ ＵＳＣ １５５によって提供したことを示すＮＴＥ２））；ｆ１８＝（０．９５＋２．０＊ＤＥＬＴＡ（ＮＴＥ３が用語拡張が３５ ＵＳＣ １５６によって提供したことを示すＮＴＥ３））；ｆ１９＝（２０．０＊ＤＥＬＴＡ（ＮＴＥ４が用語拡張が以前にさかのぼって１クラスの２０以下の現存する特許に適用できる特別の立法の行為によって提供したことを示すＮＴＥ４））；ｆ２０＝（１．０＋１０＊ＤＥＬＴＡ（ＮＯＬがその特許を示すＮＯＬ））今まで訴訟に関わる；ｆ２１＝（０．９＋１＊ＤＥＬＴＡ（ＰＣ））どこでＰＣ １（人）は，ＰＣＴ，ＥＰＣ，の要求，あるいはアメリカ優先度申請番号のどれ（か）への日本の適用があるときに，か（特許のシリアルナンバーを含む）アメリカ特許で要求された； ｆ２２＝（０．９＋１＊ＤＥＬＴＡ（ＦＰＣ））どこでＦＰＣ １（人）は，もし外国の優先度適用へのアメリカ特許に優先度要求があれば，か；ｆ２３＝（１０＊ＥＬＴＡ（ＲＥ）＋１．０＊ＤＥＬＴＡ（Ｕ）＋０．１＊ＤＥＬＴＡ（Ｄ）＋０．１＊ＤＥＬＴＡ（ＲＥが再発行物特許，Ｕが有用性特許，Ｄを示すことを示すＰ））は，デザイン特許，あるいは有用性が模型を作ることを示す，そして，Ｐは工場特許を示す；そして，ｆ２４＝ＡＶＦは，特許価値が伝統的な評価過程によって決めたことを示す．
【０１１３】
ｆ２３への機能ｆ１のそれぞれについてのポイントは機能的な変化が変数で変化の結果の変わりやすいあるいは自分で発見させる知識における論理的な関係に基づくということだ．例えば，どんな譲り受け人が劇的に譲り受け人の数との特許脱落の免許，およびそれゆえに価値を許すかもしれないことが，よく知られている．特許で引用された参考，および特許の要求の数の数は，特許から予期された価値の証拠，および引用された参考のそれゆえに多い数で，そして，要求は，比較的貴重な特許を示す．特許の例および数字の数は，開示の幅に関係がある，そして，それゆえに，とても多くの数字および例は，要求が比較的範囲で幅が広い，およびまた十分に仕様の支援によってそして比較的貴重な特許をそれゆえに示しそうであることを示唆する．すべての制限をもつ減少がそれへ付け加えたという主張の幅．制限が暗唱によって述べられるので，比較的短い暗唱から構成される要求は，比較的長い要求よりも貴重だ．独立している要求は，依存している要求によってカバーされた科学技術が法律の問題がそれからそれが頼る独立している要求によってまたカバーしたので，であるので，依存している要求よりも貴重だ．おまけに，ほとんどの司法権で，それぞれの独立している要求が同じ特許で他のどの（いずれかの）独立している要求から異なる主題をカバーしなくてはいけないので，特許の適用範囲の範囲は，独立している要求の数で増す，そして，特許のそれゆえに相対価値が無所属議員のより無感覚のほうと増す要求．
【０１１４】
二者択一的に，ＲＶｆは，価値における違いが異なる経済のセクターにする相対価値番号で部分では少なくともそれによって反射して，また，ＵＳＰＣＳ，あるいはＩＰＣＳコードの機能かもしれない．
ステップ４３で，もし実行された経済のモデルがセクター依存を含めば，それにそれぞれの特許が関連させられるセクターは，現在のクラス・データがテーブル２１で含んだ断固とした使うこと，およびクラス一致へのテーブル２６で含んだということだ．それにそれぞれの特許が関連させられるセクターは，テーブル２９で特許の記録で蓄えられる．もし実行されたモデルがいかなるセクター依存も持っていなければ，このステップは跳び越される．
【０１１５】
ステップ４４で，データが特許の用語に保存した用語規則に基づかせられたアルゴリズムは，テーブル２４を規定する，そして，用語によっては，適切なデータは，特許データ・テーブル２０で（例えば，優先度日，出願日，出されたデートの相手，および終点にある否認日），含んだ，それぞれの特許の実施できる用語の始まって終わっている日を決めるためにそれぞれの特許のために実行される．それぞれの特許のための実施できる用語の始まって終わっている日は，一致している特許の記録でテーブル２９で蓄えられた．
【０１１６】
ステップ４５で，それぞれの特許のためのＣＦは，データが２２，相対価値番号がテーブル２９に保存したテーブルに保存した経済のセクターに基づいて決められる，そして，特許のセクターがテーブルで蓄えた２９．断固としたＣＦ価値，実施できる用語の始まって終わっている日，セクター・データ，セクター平均差額利潤，譲り受け人名前，発明者の地理学の地域，および地理学の区域の譲り受け人がテーブルに保存される３０．
【０１１７】
ステップ４６で，それぞれの特許は，純利益のそのＣＦ，実施できる命，および前もって決められた内部収益率に基づいて評価される．さらに，ステップ４６で，それぞれの特許は，ＧＤＰのそのＣＦ，それで関連させられるセクター，および前もって決められた内部収益率のための差額利潤に基づいて評価される．特許評価がテーブル３１に保存される．
【０１１８】
二者択一として，発明を実行するコンピュータシステム８が選択できるユーザー，例えば，ウェブの（から）形へのデータに入ることによってがページをめくってそして価値をセットするために多数の特許を含む計算を許すかもしれない差額利潤および内部収益率を作るかもしれないいくつかの，その特許（例えば，伝統的な評価に基づいて）
【０１１９】
ステップ４７で，特許は，セクターによって分類して分析される．それぞれのセクターのために，彼らの一連の歴史的な日のための実施できる用語内の特許は，（例えば，歴史的な日が過去２０年の間それぞれの年の最初のものかもしれない），決められる，そして，それらの特許のためのＧＤＰのＣＦは，要約される，そして，それらの特許のための純利益のＣＦは，要約される．ＧＤＰ（純利益のＣＦと同様に）のためのＣＦ価値の連続は，それぞれの経済のセクターで特許価値における傾向を提供する．傾向は，そのセクターにとって機能による適合，および価値を予期された未来のセンター・フィールドに見せるのが推定された機能であることができる．ＣＦ価値，および適切な機能のパラメーターの連続，あるいはそれぞれのセクターのための合っている機能からの選ばれた価値は，テーブル３２で蓄えられた．
【０１２０】
ステップ４８で，特許は，地理学の地域によって分類して分析される．調和することが１人以上の発明者あるいは譲り受け人のアドレスによるものかもしれない，および地理学の地域が経度および緯度に近づけるために適当なルックアップ・テーブルを利用した国，状態，地域，都市，あるいは相互参照によって明らかにされるかもしれないことが，理解されることだ．それぞれのこのような地理学の地域のために，彼らの一連の歴史的な日（例えば，最後の２０のためのそれぞれの年の最初のもの年）の実施できる用語内の特許は，決められる，そして，それらの特許のためのＧＤＰのＣＦは，要約される，そして，それらの特許のための純利益のＣＦは，要約される．ＧＤＰ（純利益のＣＦと同様に）のためのＣＦ価値の連続は，それぞれの地理学の地域で特許価値における傾向を提供する．傾向は，そのセクターにとって機能による適合，および価値を予期された未来のセンター・フィールドに見せるのが推定された機能であることができる．ＣＦ価値，および適切な機能のパラメーターの連続，あるいはそれぞれの地理学の地域のための合っている機能からの選ばれた価値は，テーブル３３で蓄えられた．
【０１２１】
ステップ４９で，特許は，譲り受け人名前あるいは会社名前によって分類して分析される．同じであって法定の実体と一致する異なる譲り受け人名前がお互いに関連してそして実体として分析されるかもしれないことが，理解されることだ．例えば，親会社の１００％出資子会社だと知られている譲り受け人に割り当てられた特許は，親会社の会社名一致テーブル２７への譲り受け人名前経由の会社名に関係があるかもしれない．
【０１２２】
ステップ４９で，彼らの譲り受け人あるいは会社によって所有される一連の歴史的な日（例えば，最後の２０のためのそれぞれの年の最初のもの年）のための実施できる用語内の特許は，決められる，それらの特許のためのＧＤＰのＣＦは，要約される，そして，それらの特許のための純利益のＣＦは，要約される．ＧＤＰ（純利益のＣＦと同様に）のための要約されたＣＦ価値の連続は，譲り受け人あるいは会社によって所有された特許のために特許価値における傾向を提供する．傾向は，その譲り受け人あるいは会社にとって機能による適合，および価値を予期された未来のセンター・フィールドに見せるのが推定された機能であることができる．ＣＦ価値の連続，および機能のパラメーターが特許のために特許価値における傾向を提供するフィッテングは，譲り受け人あるいは会社によって所有した．
【０１２３】
さらに，ステップ４９で，特許の数が購入を通して出るかまたは行われていた（ｉ．ｅ，獲得する）譲り受け人あるいは会社対時刻までに断固として決意している，合っている機能によるそのデータ適合，および会社が未来の時刻で行われるだろう未来の特許の数を予言する時に推定された合っている機能かもしれない．さらに，会社によって所有される実施できる特許対時刻の数は，決められるかもしれない，合っている機能，および合っている機能による適合は，会社が未来に所有するだろう実施できる特許の計ることを予測する未来の時に推定した．
【０１２４】
さらに，歩調をそろえて，特許のための評価が譲り受け人あるいは会社によって所有した特許の４９，合計は，決められる．なお，ステップ４９で，一連の歴史的な日の特許評価は，譲り受け人あるいは会社によって所有されたそれぞれの特許にとって断固として決意しているかもしれない．特許のための評価がそうかもしれない歴史的な特許は，特許の知られている実施できる用語，特許の現在の評価，を使うこと，および内部収益率を想定することを決めた．二者択一的に，歴史的な評価は，断固として決意している特許，および伝統的な評価公式のためのＣＦのどれ（か）を使うことが上を引用したということかもしれない．すべての特許の一連の歴史的な日の価値の合計は，譲り受け人によってその時に所有し，あるいは，会社が譲り受け人の合計の価値で傾向を提供するあるいは会社だ特許．その傾向は，機能に合うことができる，そして，機能は，将来会社の特許書類かばんの価値を評価するために，未来へ推定した．
【０１２５】
このように，ステップ４９で，機能の合うパラメーターがそうかもしれないフィッテングと同様に，特許扶養家族分量の歴史的な，居る，そして未来の価値は，テーブル３４で蓄えた．
二者択一的に純利益，歴史的な特許評価のＧＤＰ，ＣＦのＣＦのステップ４７−４９，合計への（としてステップ４９で述べた）一連の歴史的な日に実施できる特許のために，特許の数は，時刻当りの出た，そして，実施できる特許の数は，時刻当りのセクターのどんな組み合わせに関連した，地理学の地域，および譲り受け人は，決められるかもしれない．それぞれの傾向のためのデータは，これらの要約された分量対時刻に合っている機能への適合かもしれない，そして，その機能は，ステップ４７−４９にとって議論されたとして未来の時刻に推定した．分析のこの型は，科学技術の特定の地域のために特定の地理学の地域（例のために，国）で特定の会社の経済活動の量の指示を提供するかもしれない，あるいは，特定の地理学の地域の経済のセクター．決心するときに，型の知識がもう一つの会社によって，例えば，使われるかもしれないどこで科学技術の世界，および科学技術の同じ地域で製造工場をセットアップするかどうかそしてどこでそれで品物を売るべきかエリアで．知識のその型は，また，その科学技術で投資するために特定の国で選ばれた科学技術で，およびどちらの会社でそれで投資する（べき）世界のどちらの地域を目標にするために，投資家によって使われるかもしれない．
【０１２６】
セクターによって壊された特許，地理学の地域，および譲り受け人のための評価が決めてしまっておかれるかもしれない特許，例えばテーブル３２−３４でのステップ４７−４９，合計に加えて．
ステップ５０で，データおよび分析がステップ４９のどれ（か）における会社に提供した特許は，財政上の指標をその会社に提供するために，結び合わせられる．ステップ５０で，テーブル３５のデータは，それぞれの会社のためにＨＰＦ，ＣＰＦ，およびＦＰＦの比率，およびＨＰ，ＣＰ，およびＦＰＳ比率を決めることによって生みだされる．これらの比率は，対応する時刻のテーブル２３に保存された価値，および同じ会社のための財政上の指標の連続によって書類かばんがテーブル３４に保存したそれぞれの会社の特許のためにそれぞれの価値のこの世の連続を分けることによって生みだされる．
【０１２７】
ステップ５１で，それぞれの譲り受け人あるいは会社の記録がテーブル３４に保存したデータは，セクター平均の比較と一緒にファイルが名前を譲り受け人あるいは会社のＩＤを含んで，グラフが特許価値対時刻を企むことを生みだすきまりきった仕事によって読まれる．それぞれのファイルは，クライアント・コンピュータ３のユーザーといった，ユーザーによって質問で情報検索のために保管される．
【０１２８】
ステップ５２で，それぞれの譲り受け人あるいは会社の記録がテーブル３５に保存したデータは，セクター平均とＨＰＦの比較と一緒にファイルが名前を譲り受け人あるいは会社のＩＤを含んで，グラフが特許価値対時刻を企むことを生みだすきまりきった仕事によって読まれる，ＣＰＦ，ＦＰＦ，ＨＰ，ＣＰ，およびＦＰＳ比率．それぞれのファイルは，クライアント・コンピュータ３のユーザーといった，ユーザーによって質問で情報検索のために保管される．
【０１２９】
よく似たステップは，セクターで報告をしまっておくファイル，および地理学の地域を提供する．さらに，発明のシステムのユーザーは，評価が価値がテーブル３０に保存したテーブル３１，およびＣＦに保存した特許のためにデータベースを尋ねることができる．
ステップ５１および５２の代案として，報告がユーザーの質問のきまりきった仕事前に一団の一環としてというかわりに，ユーザーの質問に応えて生みだされるように，システムは形成されるかもしれない．
【０１３０】
発明の例
例がデータに提供され，なぜなら，会社のＭａｒｓｈ−ＭｃＢｉｒｎｅｙ， Ｉｎｃ． Ｍａｒｓｈ−ＭｃＢｉｒｎｅｙ， Ｉｎｃ．は，１３のアメリカ合衆国特許の譲り受け人だ．データに対応する１３特許がデータベース・テーブルでこの譲り受け人には２８が見せられることを記録するの下にコンマでフォーマットに境界を設定した．それぞれの記録は，以下のフィールドを含む：鍵，特許番号，出された日，の最も早いアメリカ優先度日，出願主要な日，発明者アドレス，譲り受け人名前，譲り受け人アドレス，適用出願日，主要だＵＳＰＣＳ，主要だＩＰ，数，要求，数，独立している方法要求，数，独立しているｎｏｎ−方法要求，最も短い独立している要求のぴったりの長さ，記述のぴったりの長さ，および形の数．
１，「５，８１１，６８８」，９／２２／１９９８，１／１８／１９９６，１／２２／１９９７，”Ｂｕｃｋｅｙｓｔｏｗｎ， ＭＤ”，”Ｍａｒｓｈ−ＭｃＢｉｒｎｅｙ， Ｉｎｃ．”，”Ｆｒｅｄｅｒｉｃｋ， ＭＤ”，”７３／８６１．２５”，”Ｇ０１Ｆ ００１／６６”，４７，１，１，４６１，３０８６７，２４
２，「５，６８４，２５０」，１１／４／１９９７，８／２１／１９９５，８／２１／１９９５，”Ｂｕｃｋｅｙｓｔｏｗｎ， ＭＤ”，”Ｍａｒｓｈ−ＭｃＢｉｒｎｅｙ， Ｉｎｃ．”，”Ｆｒｅｄｅｒｉｃｋ， ＭＤ”，，”７３／２２７”，”Ｇ０１Ｆ ００１／００”，１５，１，１，６４２，２５６９７，１８
３，”５，６４４，０８８”，７／１／１９９７，７／２７／１９９５，７／２７／１９９５，”Ｐｕｒｃｅｌｌｖｉｌｌｅ， ＶＡ”，”Ｍａｒｓｈ−ＭｃＢｉｒｎｅｙ， Ｉｎｃ．”，”Ｆｒｅｄｅｒｉｃｋ， ＭＤ”，”７３／７５６”，”Ｇ０１Ｆ ０２３／１８”，１７，０，１，９７２，１４２１９，３
４，”５，５９４，１７９”，１／１４／１９９７，１１／６／１９９５，１１／６／１９９５，”Ｂｕｃｋｅｙｓｔｏｗｎ， ＭＤ”，”Ｍａｒｓｈ−ＭｃＢｉｒｎｅｙ， Ｉｎｃ．”，”Ｆｒｅｄｅｒｉｃｋ， ＭＤ”，”７３／８６１．０７”，”Ｇ０１Ｆ ００１／７０８”，１６，１，１，５７４，１５９３７，２
５，”５，５４４，５３１”，８／１３／１９９６，１／９／１９９５，１／９／１９９５，”Ｐｕｒｃｅｌｌｖｉｌｌｅ， ＶＡ”，”Ｍａｒｓｈ−ＭｃＢｉｒｎｅｙ， Ｉｎｃ．”，”Ｆｒｅｄｅｒｉｃｋ， ＭＤ”，”７３／８６１．０１”，”Ｇ０１Ｆ ０１５／０２”，１３，１，１，１０３９，１５８０５，７
６，”５，４２１，２１１”，６／６／１９９５，１０／６／１９９４，１０／６／１９９４，”Ｐｕｒｃｅｌｌｖｉｌｌｅ， ＶＡ”，”Ｍａｒｓｈ−ＭｃＢｉｒｎｅｙ， Ｉｎｃ．”，”Ｆｒｅｄｅｒｉｃｋ， ＭＤ”，”７３／８６１．２５”，”Ｇ０１Ｆ ００１／００”，８，１，１，１２２０，２３１６２，１２
７，”５，３９８，５５２”，３／２１／１９９５，１０／２６／１９９３，１０／２６／１９９３，”Ｂｕｃｋｅｙｓｔｏｗｎ， ＭＤ”，”Ｍａｒｓｈ−ＭｃＢｉｒｎｅｙ， Ｉｎｃ．”，”Ｆｒｅｄｅｒｉｃｋ， ＭＤ”，，”７３／８６１．１２”，”Ｇ０１Ｆ ００１／００”，１０，０，１，１３９９，１５１１０，１０
８，”５，３８５，０５６”，１／３１／１９９５，１／２／１９９２，１／１９／１９９４，”Ｂｕｃｋｅｙｓｔｏｗｎ， ＭＤ”，”Ｍａｒｓｈ−ＭｃＢｉｒｎｅｙ， Ｉｎｃ．”，”Ｆｒｅｄｅｒｉｃｋ， ＭＤ”，”７３／８６１”，”Ｇ０１Ｆ ００３／３８”，４，０，１，１８９７，４４８５９，１３
９，”５，２６３，３７４”，１１／２３／１９９３，１／２４／１９９２，１／２４／１９９２，”Ｂｕｃｋｅｙｓｔｏｗｎ， ＭＤ”，”Ｍａｒｓｈ−ＭｃＢｉｒｎｅｙ， Ｉｎｃ．”，”Ｆｒｅｄｅｒｉｃｋ， ＭＤ”，”７３／８６１．１５”，”Ｇ０１Ｆ ００１／００”，１７，０，１，１１７０，２２７８８，２６
１０，”４，５４９，４３４”，１０／２９／１９８５，１０／２６／１９８４，１０／２６／８４，”Ｓｉｌｖｅｒ Ｓｐｒｉｎｇ， ＭＤ”，”Ｍａｒｓｈ−ＭｃＢｉｒｎｅｙ， Ｉｎｃ．”，”Ｇａｉｔｈｅｒｓｂｕｒｇ， ＭＤ”，”７３／２９９”，”Ｇ０１Ｆ ０２３／１４”，１２，０，１，１１８０，１３３４８，６
１１，”４，４５９，８５８”，７／１７／１９８４，６／１／１９８３，６／１／１９８３，”Ｓｉｌｖｅｒ Ｓｐｒｉｎｇ， ＭＤ”，”Ｍａｒｓｈ−ＭｃＢｉｒｎｅｙ， Ｉｎｃ．”，”Ｇａｉｔｈｅｒｓｂｕｒｇ， ＭＤ”，”７３／８６１．１２”，”Ｇ０１Ｆ ００１／５８”，１７，０，１，１２４１，２４８９８，８
１２，”４，０８３，２４６”，４／１１／１９７８，２／２８／１９７７，２／２８／１９７７，”Ｓｉｌｖｅｒ Ｓｐｒｉｎｇ， ＭＤ”，”Ｍａｒｓｈ−ＭｃＢｉｒｎｅｙ， Ｉｎｃ．”，”Ｇａｉｔｈｅｒｓｂｕｒｇ， ＭＤ”，”７３／２２７”，”Ｇ０１Ｆ ００１／００”，１８，０，１，７７３，２６８８０，１７
１３，”４，０１５，４７１”，４／５／１９７７，１１／１８／１９７５，１１／１８／１９７５，”Ｓｉｌｖｅｒ Ｓｐｒｉｎｇ， ＭＤ”，”Ｍａｒｓｈ−ＭｃＢｉｒｎｅｙ， Ｉｎｃ．”，”Ｒｏｃｋｖｉｌｌｅ， ＭＤ”，”７３／１９４ＥＭ”，”Ｇ０１Ｆ ００１／５８”，５，０，２，１０４７，１４９６６，７
【０１３１】
ステップ４２当りの（の）ように，それぞれの特許のための相対価値番号は，決められる．説明の簡単のために，相対価値番号が機能ＲＦｆ＝ｆ１＊ｆ２に等しいセットだどこでｆ１＝（５００／長さの最も短い独立している要求）およびｆ２＝（独立している要求の数）．例，ｆ１＝１．０８，０．７８，１．９４，０．８７，０．４８，０．４１，０．３６，０．２６，０．４３，０．４２，０．４０個（人）中，１−特許１３のために，０．６５，０．４８およびｆ２＝１．４１，１．４１，１，１．４１，１．４１，１．４１，特許１−１３のための１，１，１，１，１，１，１．４１，およびそれゆえにＲＦｆ，例は：１．５，１．１，１．９，１．２，０．６８，０．５８，０．３６，０．２６，０．４３，０．４２，０．４０，０．６５，．６８．これらの価値がテーブル２９に保存される．
【０１３２】
ステップ４３当りの（の）ように，１３の特許のためのＵＳＰＣＳ分類は，セクターで関連させられる．この例で，経済のモデルは，いかなるセクター依存も使わない．それゆえに，ＭＥＩｓのＭＥＤ，および全体の節約のためのＭＣＦｓは，使われる．
ステップ４４，特許の用語当りの（の）ように，１−１３は，テーブル２９で決めて蓄えられる．例の最初である５つの特許は，１９９５年６月０７日年以降にファイルされて，彼らの国内の優先度から２０年の用語をそれゆえに持っている．第１３の特許を通した第６であるものは，１９９５年６月０８日の前に提起された専念から出て，彼らのそれぞれの発行日から１７年の用語をそれゆえに持っている．断固とした特許用語データは，テーブルに入ったと，対応する特許はテーブル２９で記録する．特許１−１３のための断固とした用語は：９／２２／１９９８−１／１８／２０１６；１１／４／１９９７−８／２１／２０１５； ７／１／１９９７−７／２７／２０１５；１／１４／１９９７−１１／６／２−１５；８／１３／１９９６−１／９／２０１５；６／６／１９９５−６／６／２０１２；３／２１／１９９５−３／２１／２０１３；１／３１／１９９５−１／３１／２０１３；１１／２３／１９９３−１１／２３／２０１０；１０／２９／１９８５−１０／２９／１００２；７／１７／１９８４−７／１７／１９９９；４／１１／１９７８−４／１１／１９９５；４／５／１９７７−４／５／１９９４．
【０１３３】
ステップ４５当りの（の）ように，特許１−１３のＣＦは，テーブル３０で決めて蓄えられる．経済のモデルは，ＧＤＰの価値へのＧＤＰのＭＣＦおよびネットワーク組織会社収益の価値へのネットワーク組織会社収益のＭＣＦをセットする．すなわち，経済のモデルは，すべての経済活動が特許権によって覆いだと仮定する．デザイン特許の数が最後の１４で出たｐｌｕｓ，工場特許の数は，過去１４年で出た，それは１０，７００−５，６００だ，であるｐｌｕｓ，実施できる特許の数は，過去１７年で公布された有用性特許の数だと推定される，それは６０４００００−４３６００００だ，年，どちらが４０４，０００−２８２，０００か，そしてそれは，１，８０７，０００の実施できる特許に等しい．ＧＤＰのために（１９９７統計）全体のアメリカ合衆国のために，節約は，１年当たり８兆８３０億ドル（約８８９兆円）だ．ネットワーク組織法人所得（１９９５統計がＩＲＳデータから行われていた）１年当たり８８００億ドル（約９６兆８０００億円）だった．特許当たりの平均のＧＤＰ価値は，１年当たり８兆８３０億ドル（約８８９兆円）が１，８０７，０００の実施できる特許によって分けたということに，１年当たり約４５０万ドルであって，平均の特許価値だ．この例のための簡単のために，実施できる特許が１年当たり４５０万ドル（約４億９５００万円）であるそれぞれのＧＤＰのＣＦが特許の相対価値番号を計るように，１，８０７，０００の実施できる特許のための相対価値番号の合計が１，８０７，０００に等しいと仮定せよ．Ｍａｒｓｈ−ＭｃＢｉｒｎｅｙ， Ｉｎｃ．の１３の特許のために，これが数百万の年時刻それぞれ当たり４５０万ドル（約４億９５００万円）でＧＤＰのＣＦを提供する，：１．５，１．１，１．９，１．２，０．６８，０．５８，０．３６，０．２６，０．４３，０．４２，０．４０，０．６５，．６８，どちらそうだ：６．７，４．９，８．５，５．４，３．１，２．６，１．６，１．２，１．９，１．９，１．８，２．９，３１０万，特許１−１３のための年当たりのドルそれぞれ．同様に，純利益の平均のＣＦが１年当たり８８００億ドル（約９６兆８０００億円）は，１，８０７，０００によって分けた，それは１年当たり４８万７０００ドル（約５３６０万円）だ．だということだそれゆえに，それぞれの特許のための純利益のＣＦは，その相対価値番号が１年当たり０．４８７，０００ドル（約５３．６０円）を計るということだ，あるいは：０．７３，０．５３，０．９２，０．５８，０．３３，０．３０，０．１７，０．１２，０．２１，０．２０，０．１９，０．３２，３３万の年当たりのドル． １９９０の初日の実施できる特許が特許の合計であるＭａｒｓｈ−ＭｃＢｉｒｎｅｙ， Ｉｎｃ．のそれのＧＤＰの中央アフリカの合計は，１３−１０，あるいは１年当たり９７０万ドル（約１０億７０００万円）を記録する．同様に，年当たりの数百万（人）の合計，Ｍａｒｓｈ−ＭｃＢｉｒｎｅｙ， Ｉｎｃ． １９９０−２０００がそうである年のそれぞれの初日でそれのＧＤＰの実施できるＣＦが特許をとるということだ：９．７，９．７，９．７，９．７，１１．６，８．５，１１．０，１４．１，３２．９，３９．６，３７．８．年１９９���−２０００のそれぞれの初日のその実施できる特許の純利益のＭａｒｓｈ−ＭｃＢｉｒｎｅｙ， Ｉｎｃ．のＣＦの年当たりの数百万（人）の合計は：１．０４，１．０４，１．０４，１．０４，１．２５，．９２，１．３９，１．７２，３．７５，４．４８，４．１５．実施できる特許の数は，１９９０−２０００がそうである年のそれぞれの最初のものでＭａｒｓｈ−ＭｃＢｉｒｎｅｙ， Ｉｎｃ．によって所有した：４，４，４，４，５，４，６，７，１０，１１，１０．
２００６．への外挿を含めて，図５は，Ｍａｒｓｈ−ＭｃＢｉｒｎｅｙ， Ｉｎｃ．のためにＧＤＰの実施できる特許の数の合計，純利益の中央アフリカ，およびセンター・フィールドに見せる写実的な報告だ
【０１３４】
Ｍａｒｓｈ−ＭｃＢｉｒｎｅｙ， Ｉｎｃ．が以下の財政上のデータを持っている公に交換された会社だと仮定せよ（このデータが様子を見せるために架空であって単に引き起こされている，その発明）：２０００万ドル（約２２億円）の市場資本化定数，および年１９９９−２０００のそれぞれ，およびまた１年当たり２００万ドル（約２億２０００万円）でたえまない純利益の最初のもので１０ドル（約１１００円）でたえまない普通株価．ＰＦおよびＰＳの比率は，２０００年の時刻期間への，および未来の時刻に推定された１９９０個に適していることができる．
【０１３５】
図６は，純利益から市場資本化，実際の毎年の純利益，のＣＦのＰＦにＭａｒｓｈ−ＭｃＢｉｒｎｅｙ， Ｉｎｃ．のための比率を見せること，および純利益から株のＣＦのＰＳ比率が時刻対値段をつけるという写実的な報告だ．
Ｍａｒｓｈ−ＭｃＢｉｒｎｅｙ， Ｉｎｃ．の特許評価は，断固として決意している公式を使うことかもしれない：
Ｖｔｏｔ＝Σｋ Ｖｋ ＝ Σｋ （Σｍ ＣＦＮｍ／（１ ＋ Ｒ）ｍ ） ＋ Δｋ．
ｋを越えた合計は，ｋ＝１から１３までそうで，なぜなら，１３の特許は，この会社によって所有した．ｋｔｈ特許のためのｍを越えた合計は，ｍ＝１からｎが年の最も高い整数値として限定されるｎや現在の日，それを越えて特許が実施できる全体の年を表すｎを除いた用語日の終り（端）まである．ＣＦＮｍ ｍｔｈ特許のために純利益のＣＦだ．ｋ 実施できる用語の一部の最新（最後）の年に出るｋｔｈ特許の現在の価値を表す，および
Δｋ ＝ＣＦＮｍ／（１ ＋ Ｒ）ｎ＋１ ＊ ΔＹ．
Ｙは，その特許が実施できる最後の年の断片だ．
【０１３６】
現在の日が１／１／２０００だと仮定せよ．１４パーセントの内部収益率Ｒを想定せよ．最初の特許は，１年当たり７３万の純利益のＣＦを持っている，そして，それは１／１８／２０１６にエクスパイアする．それゆえに，ｎ＝１６，およびＹ＝（１８−１）／３６４最初の特許のための＝０．０４６．Ｖを計算することｋ 特許１−１３のために何百万ものドルで１／１／２０００に価値を提供する，：４．２９，３．０６，５．３２，３．３７，１．８８，１．５９，０．９３，０．６４，１．０４，１．７６，０，０，０．１／１／２００に，これは，Ｖｔｏｔ＝２８８０万ドル（約３１億７０００万円）で備える．Ｖｔｏｔの依存がｎを限定するために使用される現在の日をセットすることによって決めることができる歴史的な時から歴史的な日．未来の日へのＶｔｏｔを推定するために，歴史的な日の機能が計算したＶｔｏｔは，これほどずっと使われるかもしれない．
【０１３７】
図の特許指標の一般の増加対時刻．図の財政上の指標への特許の５および比率．６は，Ｍａｒｓｈ−ＭｃＢｉｒｎｅｙ， Ｉｎｃ．特許保護対時刻が絶対の目盛りで増していることを示す（盛装させよ．５）そして，会社の認められたネットワーク組織価値に関して（盛装させよ． ６）会社が実際よりも低く評価されるかもしれないことを示すこと．追い込みの列で譲り受け人名前から譲り受け人名前を決めて守備につけ
ＵＳＰＴＯによって売られたデータベースが単独の譲り受け人のすべてを含むのが野外の名前を含む特許ＡＳＳＩＧＮ ＣＤ−ＲＯＭで入手可能なＵＳＰＴＯ，アドレスｆｏ譲り受け人，譲り受け人の実体の形，からの割り当て記録の電子のコピー，および実体組織データの状態，そして，そのフィールドからのデータは，「追い込みの列」として以下に参照される．おまけに，追い込みの列に国の名前，公式の略語，国のコード，通りへの参照，あるいは他のデータ要素のいかなるデータ正常化もない．特に綴りの誤りの形でとても高い程度のデータ・エラーがある．この程度のフォーマット手の間違いが典型的な矛盾および綴り方は，住所と氏名データ・フィールドを書き写した．それゆえに，アルゴリズムは，人工の法定の実体のために名前，および他の情報（例えば，ビジネスの通り，および都市アドレス，法人設立の州，州）を自動的に決めるために以下について述べた，から電子的に蓄えられた会社名前，およびアドレス・リストをきれいにするときに広い適用性があると信じられている．
【０１３８】
ここに述べられたアルゴリズムは，コンピュータシステム８の上を走って譲り受け人名前，事業場のアメリカ合衆国州，実体組織の事業場，アメリカ合衆国の外国の州州，および実体組織の外国の状態，のために別々の購買力へ追い込みの列を構文解析して，規準に合わせられた２文字状態コードへ状態のための購買力を最後に訳す．構文解析することが含んでいるとても多くのデータが普通のデータ，普通のデータ，いつものデータ，不規則データ，誤りがあるデータ，変則的なデータ，の変化である（べき）観察によって決めたデータベースと共同して規則が適用したいくつかを適用することによって完成している，および唯一だデータその起こるでその追い込みだ列．データのこれらの間違いは，ミ綴られた単語を含む，終止符およびコンマ，および共に連結された単語といった，不適当に置かれたフォーマット文字．これらの規則が述べられるの下に．
【０１３９】
第１に，以下のように，譲り受け人名前は，追い込みの文字列から決められる． １（人）の出来事のためのひもが検索される追い込み項目，あるいは会社，あるいは他の人工の法定の実体の名前の終り（端）を限定することがある数百の前もって決められたサフィックスｓｕｂｓｔｒｉｎｇｓの中のより多く．例，サフィックスのためだ”そして，会社，Ｌｔｄ”，「合弁会社」，および「会社」は，どちらそれぞれが人工の法定の実体の名前の終り（端）を示すサフィックスだ．これから先，これらのｓｕｂｓｔｒｉｎｇｓは，「サフィックス・フラグ」としてのに引き合わされる．サフィックス，フラグは，譲り受け人名前の終わっている一部分を示す．前もって決められたサフィックス・フラグのデータベースは，データ・ストレージで維持される．もし新しいサフィックス・フラグが決められれば，レコードは，データベースに簡単に加えられる．
【０１４０】
多くの追い込みの列は，１以上のサフィックス・フラグを含む．あるより短いサフィックス旗は，あるより長いサフィックス・フラグ以内に存在する．例えば，「会社」は，「そして，会社，Ｌｔｄ」以内に起こる．さらに，例えば，「ＣＯ」が会社でなくコロラドを意味するかもしれない，サフィックス旗は，譲り受け人名前の一部分を形づくらない追い込みの列の部分で存在することができる．それゆえに，どんな１本のサフィックス旗の出来事は，あいまいで，どこで（に）譲り受け人名前が終わるかを単に示す．しかし，サフィックス・フラグは，人工の法定の実体の名前の終り（端）の前に現存しないキャラクタ・ストリングを限定する．それゆえに，追い込みの列の始まりに最も接近しているサフィックス・フラグ，もしあるなら（あるとしても），は，譲り受け人名前の終わり一部分を限定すると決意している．
【０１４１】
構文解析することの間に，サフィックス・フラグのデータベースが彼らの長さで分類された整列で維持されるから長いへの最も急に，より短いサフィックスのための追い込みのひもを検索することの前に最も長いサフィックス・フラグのための追い込みのひもを検索することを容易にすることは，へこたれる．サフィックス・フラグ整列における最初のサフィックス・フラグは，マッチが現存するかを確認する（べき）追い込みの列で文字にたとえられる．もし最初のサフィックス・フラグが見つけられれば，追い込み項目で，ひも，追い込みの列，およびサフィックスのその場所は，保管される，そして，アルゴリズムは，追い込みの列でサフィックス・フラグ整列における次のサフィックス・フラグを捜し求める．もしサフィックス・フラグがそうである秒が追い込みの列で見つけたら，追い込みの列，および対等でいるサフィックスの場所は，蓄えられる．前もって決められたマッチのどちらの数が５つのマッチの例のために，明らかにされたまで，あるいはサフィックス・フラグ整列におけるすべてのサフィックス・フラグが今まで追い込みの列と比較すると，そうであるまで，このプロセスは続く．最も近くに追い込みの列の始まりへのサフィックス・フラグは，譲り受け人名前の終わり一部分だと決意している．
【０１４２】
単語の順序，およびイギリス人の譲り受け人で名前をつける時々異なる名前がそうである日本人の譲り受け人の言い回しの部分．明確に，譲り受け人が日本の会社が譲り受け人名前の始まり，中間，あるいは終わりに現れるかもしれないということであることを示して，テキストは一列になって動く．例えば，テキスト「ＫＡＢＵＳＨＩＫＩ ＫＡＩＳＨＡ」は，譲り受け人が日本の会社であることを示し，そして，このテキストは，日本の会社の名においてどこかに現れるかもしれない．特別の規則は，これらの特別のテキスト文字列を含む追い込みの列に適用される．特別のテキスト文字列が現存するときに，追い込みの列，およびサフィックスで，特別のテキスト文字列，サフィックス譲り受け人名前の終わり一部分だと決意している後に，フラグは，追い込みの列でまた現存する．例，名前のためだ””ＫＡＢＵＳＨＩＫＩ ＫＡＩＳＨＡ ＴＯＹＯＤＡ ＬＴＤ．”追い込み項目の始まりで，列は，譲り受け人名前だと決意しているだろう．もし特別の追い込みの列で現存して追い込みの列のとても始まることをしていないでサフィックス・フラグが後に続かなければ，特別のテキスト文字列は，譲り受け人名前の終り（端）だと限定される．もし特別のテキスト文字列が追い込みの列のとても始まることをしていれば，それは無視される．
【０１４３】
もしいかなるサフィックス旗も追い込みの列で存在しなければ，およびもしいかなる譲り受け人日本人の譲り受け人のための特別のテキスト規則を使って決められなかったら，譲り受け人名前は，頼みの綱規則に従って決められる．
最初の頼みの綱規則は，ただちに最初のコンマ，セミコロン，数字，またはオープニング括弧（の一方）以前の終わり，あるいはコンマ，セミコロン，数字，あるいはオープニング括弧，あるいは余白の最初の線が次に続く余白の線スペースへの譲り受け人名前を決める．
【０１４４】
第２の頼みの綱規則は，「フラグを引きずること」の前に譲り受け人有名人に終わる決意をただちにさせる．後から追っているフラグは，追い込みの列で譲り受け人名前の後でただちに跡について行くために前もって決められた列だ．コンピュータシステム８は，何千もの前もって決められた後から追っているフラグにマッチのための追い込みのひもを検索する．後から追っているフラグの例は，「ＤＥのＣＯＲＰ」だ．前もって決められた後から追っているフラグのデータベースは，データ・ストレージで維持される．新しい後から追っているフラグが決められるときに，レコードは，このデータベースに簡単に加えられる．
【０１４５】
あるより短い後から追っている旗は，あるより長い後から追っているフラグ以内に存在する．構文解析することの間に，後から追っているフラグは，最も長い後から追っているフラグから最も短い後から追うことへ彼らの長さで分類された整列でデータベースで維持される．この調和することは，より長い後から追っている旗を第１に捜し求めることを支える．後から追っている旗データベースは，規準に合わせられて，２文字であって国のコードで一致している状態を示す旗を引きずることを連想する欄をまた含む（例えば，後から追っている旗は気に入る”会社．外野手ＤＥ”デラウェア州で法人設立を示すこと）．後から追っているフラグ欄および国のコード欄は，実体組織の状態のために規準に合わせられた価値へ後から追っているフラグに訳されることを可能にする変換テーブルを共に包含する．もし後から追っているフラグが追い込みの列で見つけられれば，翻訳は，規準に合わせられた国のコードを定義するために，される，そして，追い込みの列内の後から追っているフラグの場所は，追い込みの列からその後の段階の構文解析している価値における使用にとって蓄えられた．
【０１４６】
追い込みの列で譲り受け人名前から追加のデータを決めて守備につけ
追加のデータが随意に特許ＡＳＳＩＧＮから決めることができるＣＤ−ＲＯＭデータベース．以前にもし１（人）が起これば，後から追うことの譲り受け人名前，および場所がへこたれることを決定して，追い込みの列は，これから先，４つのいつもの部分を持っていることと考えることができる：名前−中間を（が）後から追うことは，へこたれる− トレーラーで旅行せよ．追い込みの列は，すべてこの形にない．この形を想定することは，それから追加のデータを構文解析することを許す．４が分けるこれらの同じだけへの列が分けられる追い込み項目としてもし１（人）が決められたら譲り受け人名前，および後から追っているフラグの場所を限定した後で実際には起これ．
【０１４７】
次に，事業場州は，決められる．追い込み項目の部分が緊張させる分けられた常連客，および特許ＡＳＳＩＧＮ ＣＤ−ＲＯＭデータベースからのフィールドがそうである「一致アドレス」は，アメリカ合衆国の状態を示す数千のｓｕｂｓｔｒｉｎｇｓの中のもの，あるいは外国の出来事のために特定の連続で検索した．観察された言い回しのデータベース，および州および国を示す表現は，データ・ストレージで維持される．州および国を示す新しい言い回しおよび言い回しが観察されるときに，レコードは，データベースに簡単に加えられる．いくらかは，あるより長く観察された言い回しおよび言い回し以内により急に，言い回しおよび言い回しが，州および国が起こることを示しているのに気づいた．構文解析することの間に，言い回しおよび言い回しが整列で維持される国のコードが彼らの長さで調和したから長いへの最も短い．この調和することは，より簡潔な言い回しおよび言い回しを捜し求めることの前により長い言い回しおよび言い回しを捜し求めることを支える．データベースは，欄が規準に合わせられて，２文字であって国のコードでそれぞれの言い回しあるいは言い回しを連想して，もう一つの欄が国のコードがアメリカ合衆国州，あるいは外国のためにあるかどうかを示すことをまた含む．言い回し，あるいは表現欄，国のコード欄，およびアメリカ合衆国，あるいは外国のコード欄は，事業場の状態のために規準に合わせられて，２文字の購買力へ言い回しあるいは言い回しに訳されることを可能にする変換テーブルを共に包含する．
【０１４８】
アルゴリズムは，以下の注文における部分を検索する：中間，トレーラー，「一致アドレス」は，特許ＡＳＳＩＧＮ ＣＤ−ＲＯＭデータベース，および後から追っているフラグから守備につく．データベースの言い回しあるいは言い回しが見つけられるときに，翻訳はされる．中間，トレーラー，「一致アドレス」フィールド，およびＴＲＡＩＬＩＮＧ旗を検索して順序が何が見つけられるかがする最も高い自信を提供するので事業場州を示せ．例えば，後から追っているフラグで起こる状態は，事業場の状態よりも実体組織の状態であるのがよりありそうだ，そして，それゆえに，それは最後に検索される．
【０１４９】
実体組織のいかなる状態も見つけられないときにはいつでも，手先の購買力は，実体組織の状態の代わりに使われる．事業場のいかなる状態も見つけられないときにはいつでも，手先の購買力は，事業場の状態の代わりに使われる．コード・データベースがそうであるフラグ，および状態を引きずって，例はサフィックス・フラグで記録する”会社．「後から追っているフラグのための」外野手Ｎ．Ｙ，およびＣＯ．Ｌｔｄ「サフィックス・フラグのためだ」，ＤＣ”コロンビア特別区のための国のコードのために．
【０１５０】
二者択一的に，通りおよび都市アドレスは，後から追っているフラグの前に譲り受け人名前の後でただちにテキスト追随で含まれてそして終わっていると思われるかもしれない．観察された言い回しのデータベース，および通り住所，および都市を示す表現は，データ貯蔵で維持される．通りが話をして引用することを示す新しい言い回しおよび言い回しが観察されるときに，レコードは，データベースに簡単に加えられる．あるより簡潔な言い回しおよび言い回しは，あるより長いもの以内に起こる．構文解析することの間に，言い回しおよび言い回しが整列で維持される都市が彼らの長さで調和したから長いへの最も短い，および言い回しおよび言い回しが整列で維持される通り住所が彼らの長さで調和したから長いへの最も短い．これは，より長い言い回しおよび言い回しを第１に捜し求めることを支える．「都市名」が次に続く「通り住所」が想定される形，およびその連続を含む記録（中間であって些細な考慮に入れることがそのようなものを表現する”，”「から」「のために」，ｅｔｃ）通り住所だと決意していておよび譲り受け人の都市だ．
【０１５１】
特許データを引き出すでひとつの会社基礎当りの
交代する体現で，それに近くにネットワーク化されて，発明は，特許の本質的に完全なデータベースなしでコンピュータシステムを提供する．それに割当てられたので，代わりに，コンピュータシステム８が特許のためのユーザーの質問，および特許からの適切な特許情報をＵＳＰＴＯの特許データベースといった，別の先に存在しているローカルでないオンラインのデータベースを検索して回収して分析する台本を走らせることによる会社の財政上のデータ分析に応えるかもしれない会社，特許価値情報を決めて，その情報と役に立つ評価を提供することに及ばない行儀の財政上の情報が表した会社，およびユーザーへの投資情報を結合するためにその情報を分析する．この体現で，それぞれのセクターの実施できる特許，あるいは実施できる特許の数は，不確定だ．それゆえに，このシステムは，相対的な特許価値番号がそれぞれの特許には１だと仮定するＣＦ計算を可能にするために，セクター当りの実施できる特許の数のための前もって決められて，あるいは評価される価値，あるいは実施できる特許の数を蓄えるかもしれない．二者択一的に，このシステムは，前もって決められたＣを蓄えるかもしれないｉ あるいは，Ｃの見積もりｉ 注文におけるセクター当たりの特許の価値および数特許のために相対価値番号の機能として価値決心を容易にすることは，会社によって所有した．
【０１５２】
ひとりのコンピュータ実装を我慢せよ
コンピュータシステム８の二者択一のどれ（か）は，二者択一的に，スタンドアローン・デジタル・コンピュータシステムで実行されるかもしれない．
組織は，決心およびフィードバックのアルゴリズムを命名（指名）する
しばしば人々が知らない正確な譲り受け人は，会社のために名前をつけるが，その名前で１つの単語を知っている．例えば，多くの人々は，有名なＣｉｓｃｏを知っている．しかし，それは，それゆえに会社Ｃｉｓｃｏ Ｔｅｃｈｎｏｌｏｇｙ Ｉｎｃ．の商標だ，譲り受け人が名前をつけるユーザーへの発明プレゼントの１つの容貌によって，ユーザーは名前のどちらが獲物を持って来たかを決定することができる，Ｃｉｓｃｏ Ｔｅｃｈｎｏｌｏｇｙ Ｌｔｄ，あるいはＣｉｓｃｏ Ｃｏｒｐｏｒａｔｉｏｎのようであって，特許で含むことは，分析を基礎として，そしてユーザーに特許の基礎とされた分析をその時に与える．これは，ユーザーにどちらの会社が特許をとるかを決定させることの追加の有利がある’共同出資するためにそれで，あるいは，２人の譲り受け人が同じ実体によって管理されることを知っているので，そのユーザーは，それらの２つの会社の合併の結果，例えば，を見ることができる．
【０１５３】
公表された適用性の数に基づかせられた譲り受け人に出るために特許の数を評価することヨーロッパおよび日本，およびじきにアメリカ合衆国すべては，彼らのパリ協議会日の１８月後で適用性を公表する．公表された特許適用性は，特許持ち主を明らかにする．特許適用性の数が会社によって所有したことを示すデータは，会社に出るだろう特許の数を評価するために，この発明のサービスで使うことができる．特定の会社の事前の適用性の会社への問題がそうであることができる意志がすべての特許適用性の知られている平均の未解決の状態で，（その数がｐｕｂｌｉｃａｌｌｙ少なくともアメリカ合衆国で利用できる知られている広告，ＥＰＣ，および日本だ）基礎として，また平均の未解決の状態の計算に基づくことができる特許の数，あるいは節約のセクターの特許のための適用性の平均の未解決の状態の見積もりは，会社に関連した，そして，それらの分量のために分配機能，あるいは標準偏差を決めることによって．
任意寄付制の会社は，特許データベースへインプットした
【０１５４】
それ以上であってコンピュータシステム８は，未決定の特許適用性のデータが会社の代理によって電子的に提出したということを認めるソフトウェア，すなわち好んで適用を所有する会社を含んで，ユーザーが利用できる適用の適用，および不測の評価のデータを確認するかもしれない．会社は，彼らの金融市場における認められた値を改良するために，および彼らの資本金を上げる能力を増やすために情報を提供するために，動機となられるだろう．会社から特許適用性で受け取られたデータは，ここにＣＦ，および特許値が明確に述べたと予測するために，使われるかもしれない．
【０１５５】
ユーザー・データベースに関する機能性
コンピュータシステム８の付加機能は，ユーザＩＤ，パスワード，を提供することによるユーザーへの，およびユーザー支払いのためのアカウントへのアカウントを割当てる能力だ．コンピュータシステム８のユーザー・データベースは，明らかにされたユーザーに追加の小説機能性を与えるかもしれない．
コンピュータシステム８，およびユーザー・データベース８は，蓄えるためにユーザーから指示を受け取るために，方法を提供する追加のソフトウェアを含むかもしれなく，なぜなら，ユーザーがだ情報検索その答え，その分析のために選ぶ会社，あるいはへの送るそのデータへの別のＵＲＬあるいはひとつのＥメールアドレスそれに答えてへのそのユーザーだ頼む，あるいは，データが利用できる，あるいは前もって決められた時刻をしているようになるその情報を自動的に伝えるために，例えば，真夜中に，それぞれの日，あるいは時刻は，ユーザーによって選んだ．
【０１５６】
財政上の，また取り引きしているネットワークをもつ交互作用
もう一つの体現で，コンピュータシステム８は，それぞれの会社，あるいは市場セクターのためにユーザー財政上の情報から受領するために方法を含む（例えば，会社の株，差額利潤， 当たりの株の市場資本化，収益，顕著な数，株価，収益である財政上の情報市場セクター資本化，収益，は，成長率を評価した ）， そして，結合されたＰＦおよびＰＳの計算された指標がその情報に基づかせたユーザーに送れそして結合された特許，および財政上の平均は，市場のために扇形に分割する．
株取引へのオートマティックのデータ伝送は，プログラムを作る
【０１５７】
特許に応じた自動化された株の取り引きしているプログラム（プログラムを作られた取引）に指示を自動的に送る（べき）方法が状況の存在に基づかせた８が含むかもしれないコンピュータシステム・データ，好んでに応じて両方の特許をとるおよび財政上だデータ，例えばその特許および財政上だ指標議論するの上に，例えばひとつのＰＦあるいはＰＳ比率の上にあるいはの下にひとつのｃｅｒａｔｉｎ評価する，あるいは，上の，あるいはセクター平均の機能の下のＰＦあるいはＰＳ比率．もちろん，システムは，また，代わりに遠いサイトの取り引きしているプログラムに特許データあるいは特許分析によって生ずるデータを送るために，プログラムを作られるかもしれない，それで，遠いサイトの取り引きしているプログラムがそのデータをその買物，あるいは販売決定製造に組み入れることができたことが練り歩いて出る買物あるいは販売指示あるいは助言するそれゆえに．
選ばれた分析データの前もって決められた事前にプログラムされている伝送
８がまた含むかもしれないコンピュータシステムは，定期的にあるいは請求次第どんな選ばれた会社のための株式仲買人の会社のコンピュータシステムに会社特許，および／または財政上の指標（例えば，ＰＦおよびＰＳの比率）を送るように指示されるつもりだ．
【０１５８】
ユーザーの代わりのデータの伝送へのユーザーだ第三者で説明せよ
定期的にあるいは請求次第特許にデータおよび／または特許を送るように指示される（べき）方法が財政上の指標情報を基づかせた８がまた含むかもしれないコンピュータシステムがもう一つのものにユーザーのＩＤと提携している会社を選んだ組織でどちらその同じくユーザーしてしまうひとつの説明．例えば，ユーザーは，それがアクセスを与えるサービスがウェブで思う仲買業と説明を持っているかもしれない．ユーザーが興味がある株の会社に関する特許の基礎とされた情報は，ユーザーのブローカー手数料サービス説明に送られて，ユーザーのブローカー手数料説明に関係があるかもしれない．彼のブローカー手数料説明にアクセスするときに，ユーザーは，その情報にアクセスすることができた．その機能を使って，サービスは，特許の基礎とされた財政上の情報をそこでユーザーが興味を引かれた株に関する他の情報を見せるウェブページに組み込むことができた．
【０１５９】
第三者でユーザーの説明の代わりに第三者によって依頼に応えること
おまけに，情報，およびユーザーのＩＤの要求を受け取ったときに，コンピュータシステム８は，また，特許の要求が情報をそれでユーザーが説明を持っている選ばれた会社，もう一つの組織からの（例えばユーザーのブローカー手数料会社）に基づかせたということを認めるかもしれない（これを使うためのユーザーの権限付与を示すことは，供給する）あるいは，他の組織のサービス（このサービスを使うための権限付与をまた示している）のためのユーザーのＩＤ．それを必要とするだろう，コンピュータシステム８の彼らのその他のサービスのためのユーザＩＤに，ユーザーは備え，あるいは，もう一方に備えることが供給する彼らのコンピュータシステム８のためのＩＤ．つまり，そこには，依頼がサービスを提供すること，およびユーザーのアカウントを借方に記入すること以前のそのユーザーの１人からそうである認める（べき）コンピュータシステム８にとって方法であるに違いない．
【０１６０】
状態としてユーザーの第三者との説明に情報を与えることは，条件つきの安全保障で命令する
おまけに，彼らのユーザーに条件つきの順序の他の型を提供するために，ブローカー手数料会社が結び合わせるかもしれない安全保障は，基礎とされた情報の特許をとる．例えば，そこにが現在現存する指値注文および指値注文を止めて指定された価格で，あるいは下に買い物をせよ．彼らの状態が納得させられるという時にだけ，それらの順序は施行される．しかし，それらの条件つきの順序は，より遠くあるいは代わる代わるある価値を超えるＣＦ，ある価値を超えて，あるいはセクター平均を超える特許書類かばん評価といった，指定された特許の基礎とされた情報で条件つきかもしれない．ほどなく，最も条件つきの順序は，コンピュータはテクノロジーを実行した，そして，実行されたテクノロジーがまた施行することができたコンピュータが特許の基礎とされた情報で適当な状態にされたように命令する実行された使うことだ．
【０１６１】
条件つきの情報の伝達
状態の存在に応えてユーザーへの，電話，Ｅメール，ポケベル，ｅｔｃ，経由のメッセージを送ることが特許データに基づかせた８が方法を提供するかもしれないコンピュータシステム限定するによってそのユーザー．例のために，それを決めるサービスで特許書類かばん評価は，会社の市場資本化のある断片を超えた，あるいは，会社の名前の特許の発行で，システムがメッセージを送ることができた示すその状態，へのそのユーザー．
【０１６２】
人口統計ベースの伝達
（年齢，所得水準のような）ユーザー・メッセージ（Ｅメール，あるいはＨＴＭＬ経由で）に送ることがユーザーから得られた人口統計学の情報に基づかせた８が方法を提供するかもしれないコンピュータシステムおよび／またはその会社，どちらそのユーザーしてしまう行われている特許情報からそのサービス．例えば，システムは，そこで特許価値に多い変化が今まで近ごろある会社，あるいは最も多い特許価値を持っている会社に関するユーザー情報に送ることができた，（あるいはユーザーが特許の基礎とされた情報を比較的しばしば得させた節約のセクターの会社で）．サービスは，どんな例えばユーザーがコンピュータシステム８のためのウェブサイトをコンタクトしたＨＴＭＬでその情報を引き起こすことによって，そうする（べき）ユーザーによる依頼もないその活動，および彼らのユーザＩＤ，およびパスワードを入力することによる明らかにされたｔｈｅｍｓｅｌｆを実行することができた．二者択一的に，コンピュータシステム８は，ユーザーが情報のこの型を受け取りたかったかを確認するために，ユーザーに伺いを立てるかもしれない．さらに，サービスは，常習的な取引へサービスを方向づけさせる財政上のサービス会社からしばしば軍の宣伝している懇願を使ったユーザーを行かせることができた，例えばひとつの並んでブローカー手数料会社．
【０１６３】
ブローカー手数料会社との加入者プログラム
それ以上であって会社，料金が取引に基づかせた８がブローカー手数料から任命料金を得るかもしれないコンピュータシステムは，報告のユーザーのレシピに対する反応におけるユーザー，あるいはコンピュータシステム８からの通知によって作った．すなわち，ブローカー手数料会社に，ユーザーが貿易を工面する（べき）奨励金がある，そして，発行通知がコンピュータシステム８によって提供した報告，および特許は，しばしば取り引きするためにユーザーの動機となるかもしれない．
【０１６４】
コンピュータシステム８は，ブローカー手数料会社と提携することができ，それで，両方のコンピュータシステムのユーザーがコンピュータシステム８から株式会社で報告あるいは通知を受け取ってそして８がであるコンピュータシステムでその時にリンクをクリックしたときにはいつでも，ブローカー手数料会社のコンピュータシステムがコンピュータシステム８への任命を信用することがブローカー手数料を明らかにするサイトにネットをはる会社順序よくへの最後に接続するそのブローカー手数料会社コンピュータシステムおよび貿易その株，その会社のためにどちらそのユーザー受領するその通知あるいは報告．会社がＵＲＬおよびその時であるユーザーが繋がっていてそれからユーザーのブローカー手数料へのブラウザをリダイレクトする丸太が電子のメッセージを送る８がコンピュータシステム８のサーバーの論理的なアドレスかもしれないコンピュータシステムのリンクそのブローカー手数料会社ウェブ・サイト示すその名前，その会社同一視するでその報告，通知およびその身元，そのユーザー．
【０１６５】
二者択一的に，通知におけるリンクの論理的なアドレスまたは（その）コンピュータシステムに８がユーザーのブラウザをリダイレクトするリンクでユーザーのコンピュータ，あるいは論理的なアドレスに送られた報告の一方は，一方，あるいはユーザーの身元の両方およびそれのためにユーザーが通知あるいは報告を受け取った会社あるいは株の身元を含むかもしれない．ユーザーが報告で明らかにされた会社で処理をするのにかかわらず，ブローカー手数料会社のコンピュータシステムが精算におけるその情報を使うかもしれないおよびそれゆえにのにかかわらずおよびいくつのコンピュータシステム８を信用すること（あるいは持ち主がコンピュータシステム８がある）．実際，両方のユーザーのＩＤ，指定された製品、あるいはサービスのＩＤ，を含むことのこの方法，およびウェブページでのリンクの論理的なアドレスの指定された製品、あるいはサービス，あるいは関係がある製品、あるいはサービスの売手は，１つのウェブサイト，および売手を明らかにすることによって提供した，基礎としてのために 製品，あるいは軍に，あるいは関係づけられる製品、あるいはサービスの売手 説明するときに，最初であるものの生産者を信用することの責任を取ることが売手のウェブサイトに繋がるユーザーの結果としてのリンクを含むこと，および製品，サービス，を買うこと，あるいは関係がある製品、あるいはサービスが一般の適用性があるページにネットをはる電子だ取引よって生ずるユーザー見るウェブページ．売手のウェブサイトに繋がる論理的な住所は，また，最初のウェブページの生産者の身元の指示を含むべきだ．最初のウェブページの生産者への売手によって提供された信用の量は，２がネットをはるｆｏが設置する持ち主の間で契約に基づいて前もって決められる．
【０１６６】
通知がそうなら，Ｅメール経由で，リンクは，Ｅメールで含まれるかもしれなく，それで，ユーザーは，彼のブローカー手数料会社のウェブサイトに最後に彼のブラウザーを転送するために，Ｅメールで便利にカチリと音を立てることができる．多数のブローカー手数料会社リンクは，ユーザーに与えられるかもしれない．しかし，もし８がであるコンピュータシステム・ユーザー・データベースがその情報を蓄積するように，ユーザーが彼らのコンピュータシステム８へのブローカー手数料会社を明らかにすれば，ウェブページがコンピュータによってユーザーに送ったシステム８するかもしれないそうだカスタマイズするへの含むそのリンクへのそのユーザー・ブローカー手数料会社ウェブ・サイト．もしユーザーがメッセージをコンピュータシステム８から受け取った後でユーザーの開会の間に，あるいは時刻の断固とした期間の間に会社で処理を行なったら，ブローカー手数料会社のコンピュータシステムは，その時に，コンピュータシステム８を信用するだろう．
【０１６７】
株の取り引きしている支えるブローカー手数料活動
コンピュータシステム８は，電子的に買い物をして有価証券を売るために，プログラムを作られるかもしれない．買い物をして有価証券を売る始めるプログラムを作られた決定は，特許および他の財政上の情報に基づくかもしれない．株式の数を示して，選ばれた安全のための意思決定が安全を出した会社，すなわち８の丸太がファイルするコンピュータシステムに基づく会社，および前もって決められた統計学，の発行済株式の数にとってまた前もって決められたユーザーの受領している通知あるいは報告の数に基づくかもしれない，安全買うによってユーザーそれに答えてへのその発行，ひとつの通知あるいは報告としてひとつの機能，その数ユーザー受領するその通知あるいは報告．８がユーザーに買い物をして有価証券を売らせて，ユーザーのためのブローカー手数料口座の役をつとめるかもしれないでそして通知を受け取ることに応えてユーザーによって買ってそしてユーザーのものによって買われた安全の株式，価格，および身元の数を丸太に切るかもしれないコンピュータシステム，あるいは会社の報告出るその安全．通知報告に対する反応における購入は，同じ使用開会の間に，報告を受け取った後である時代の指定された時刻の間に購入に基づくかもしれない，あるいは，依頼が通知あるいは報告に基づくことを示す含んでいるデータを買うために依頼によって明らかにされた．
【０１６８】
有効としている公認の投資家
投資家が安全の意味内の「公認の投資家」であることを有効として，アメリカ合衆国の法律は，また役に立つ機能だ．我々が考えた，コンピュータネットワークは，手間暇の最小の支出で公認の投資家地位の有効化をするために，方法を実行した．プリ公認の投資家に資格を与えることが彼らのそれぞれの新しい債券のための「公認の投資家」地位を確認することなしで懇請されて，非公衆債券発行を探検するために彼らを許すので，このサービスは，極めて貴重だろう．
それゆえに，この発明の物は，人の「公認の投資家」地位の簡単におよび急速に近づきやすい立証を提供することだ．
【０１６９】
公認の投資家ネットワークの実装
投資家を確かめることを容易にする８がまた含むかもしれないコンピュータシステム・ソフトウェアは，公認の投資家だ．この体現で，ユーザーが彼，あるいは，彼女がそうである投資家，および依頼立証を功績とすることを容易にするアルゴリズムを走らせるコンピュータシステム８と接触させる公認の投資家．決心するために，コンピュータシステム８が好んで過去２年の間，毎年の総収入を含む公認の投資家地位を確立するのに役立つ情報，ネットワーク組織価値，およびまた役に立つ情報のためにユーザーを促すのにかかわらずその投資家会う確かだ目標基準役に立つで決心するときにはその投資家持っている十分だ独立知識，投資するおよびビジネス知識へのそうだ考えるひとつの功績とする投資家さえ傲慢な態度をとるその彼あるいは彼女するない会うその収入あるいはネットワーク組織価値試験をする．ユーザーが投資を取ったのにかかわらず，ユーザーがユーザーが株式市場，あるいは他の証券市場，投資期間の長さ，で投資したのにかかわらずビジネスを行うかどうかがユーザーが投資忠告者として免許を持っているのにかかわらず駆け回る基準が含むかもしれない目的地，弁護士，株式仲買人，あるいは投資することの知識を示す他のどの（いずれかの）職業．ユーザーは，これらの質問に応えてデータを送る．
【０１７０】
ユーザーの収入の立証，あるいは客観的に信頼に値する第三者によるテスト・データ相当のネットワーク組織
価値がそうかもしれないユーザーのネットワーク組織は，ユーザーによって明確に述べられてコンピュータシステム８と提携しているブローカー手数料会社によって確かめた．コンピュータシステム８は，ユーザーの関係団体へのＩＤ，および投資家が功績とされたというユーザーの説明の価値が確かめることに必要な断固とした量に及ばないという電子の確認の要求を送るかもしれない． （名前，Ｅメールアドレス，および雇用主税金ＩＤ番号）もしユーザーのデータがテスト相当の総収入，あるいはネットワーク組織に会えば，ユーザーが彼らの雇用主，会計係，弁護士，あるいは財政上のアドバイザーの連絡先およびＩＤ情報を提供するために伺いを立てられるかもしれない，およびのためにひとつの権限付与への行われている立証からそのユーザー雇用主，会計係，弁護士，あるいは財政上のアドバイザーそのユーザー総収入，および／またはネットワーク組織価値が公認のアドバイザー地位のための適切なテストに応じるということだ．その実体が電子的にユーザーが適切なテストに応じることを確かめることができるように，コンピュータシステム８は，ユーザーの確かめている実体に好んでＥメール経由の質問を送る．
【０１７１】
ユーザーの財政上のデータの確認のための質問は，（１）認可されている会計係のデジタル署名のデータベースに対して証明できるデジタル署名経由で確認を例に提供する実体の身元の立証，アドバイザー，あるいは雇用主に連結されるかもしれない，あるいは（２）パスワード，およびユーザＩＤが認可されている会計係と起こることとしてデータ伝送を明らかにすると，投資アドバイザー，あるいは雇用主．パスワード，およびユーザＩＤ，あるいはデジタル署名がインターネットといった，ネットワークを越えてアクセス可能なデータベースに保存されるかもしれない，そこで，データベースは，会計係，投資アドバイザー，あるいは認可されていて，あるいは登録される投資他のアドバイザーを明らかにするデータ（デジタル署名，あるいはパスワードおよび身元の確認）を含むことがある１（人）だ．コンピュータシステム８は，データベースの含有量をしまっておいてコントロールするかもしれない．このように，立証がユーザーの財政上の地位，および無所属の立証の個人の知識を持っている実体からネットワーク情報経由で将来の公認の投資家の財政上の地位の無所属の立証を得ることを取り囲むことができた，その同一視するそして，確かめている実体の財政上の権限．
【０１７２】
ユーザーの資本金の立証
その上，ユーザーは，金融機関のための情報，およびそれらの機関が純資産の価値を提供する（べき）権限付与がユーザーの名において機関によって保持した口座のために伺いを立てられるかもしれない．金融機関は，会計係の合法を確かめること，および投資アドバイザーに説明されたもの（それ）に類似したこの情報のための，およびまた彼らの金融機関としての地位の立証のための行儀のネットワーク経由で尋ねられるかもしれない．二者択一的に，ユーザーによって提供された金融機関の電子のアドレスは，今，広く利用できる電子のアドレス，およびそれらのアドレスをものと比べることがユーザーによって提供した金融機関の使っているデータベース・リソースによって独立して確かめられるかもしれない．どんな知られている金融機関と調和しなかったユーザーによって提供されたアドレスは，未証明だと考えられるかもしれない，そして，それらのアドレスからのどんなデータは，ユーザーが公認の投資家として資格を得るために十分なネットワーク組織価値を持っていたかを決定するときに除外されるかもしれない．
【０１７３】
ユーザーの客観的に信頼に値する第三者による客観的な基準データの立証
８が投資家が投資家がそうであることを投資することの十分な無所属の知識を持っているかを決定するのに役立つある客観的な基準に応じるかどうかを示すことによって（例えば，チェック・ボックスをクリックすることによって）情報を提供する（べき）ユーザーに方法を提供するかもしれないコンピュータシステムがユーザーがテスト相当の揚りあるいは正味に応じないことを仮定して公認の投資家を考えた．このような情報は，ＣＰＡ，あるいはＣＦＡ，あるいは他のよく似た基準といった株式市場投資経験の年，時計シンボルによって開かれた株書類かばん，正式であって財政上のトレーニング，あるいはライセンスを含む．コンピュータシステム８は，機関がユーザーによって提供された情報を確かめる（べき）権限付与のためにまたユーザーの入力を促すかもしれない．情報の立証がブローカー手数料会社，教育機関，政府のコンピュータシステムからの，あるいはライセンスを与えるのが連邦の機関によってユーザーによって提供した８が電子的に頼むかもしれないコンピュータシステム．
【０１７４】
制度のアドレスの無所属のデータベース立証
二者択一的に，ユーザーによって提供されたどんな機関の電子のアドレスは，機関の電子のアドレスを明らかにする使っているデータベース・リソースによって独立して確かめられるかもしれない．どんな知られている金融機関と調和しなかったユーザーによって提供されたアドレスは，未証明だと考えられるかもしれない，そして，その情報は，公認の投資家としてユーザーが資格を得たかを決定するための基礎の一部分を形づくることができた．このサービスは，公認でない投資家からセキュリティを懇請することの結果の責任と関係がある企業家へ極めて貴重だろう．
工業の適用性
発明は，財政上のサービス産業で適用できる．
【図面の簡単な説明】
【図１】
本発明を実装する新しいコンピュータ・ネットワーク・システムを示した概要図である。
【図２】
図１に示した新しいデータベースのテーブルを示した概要図である。
【図３】
図１に示した新しいデータベースのテーブルを示した概要図である。
【図４】
図１に示した新しいデータベース内の一部のテーブルにおけるデータを生成するために使用される新しいステップを示したプロセス・フローチャートである。
【図５】
本発明のシステムによって生成される特許データ・レポートのプリントアウトを示した概要図である。
【図６】
本発明の財務および特許の組み合わせデータ・レポートのプリントアウトを示した概要図である。
【図１】
2004500617.tif 000003
【図２】
2004500617.tif 000004
【図３】
2004500617.tif 000005
【図４】
2004500617.tif 000006
【図５】
2004500617.tif 000007
【図６】
2004500617.tif 000008
【国際公開パンフレット】
2004500617.tif 000009
2004500617.tif 000010
2004500617.tif 000011
2004500617.tif 000012
2004500617.tif 000013
2004500617.tif 000014
2004500617.tif 000015
2004500617.tif 000016
2004500617.tif 000017
2004500617.tif 000018
2004500617.tif 000019
2004500617.tif 000020
2004500617.tif 000021
2004500617.tif 000022
2004500617.tif 000023
2004500617.tif 000024
2004500617.tif 000025
2004500617.tif 000026
2004500617.tif 000027
2004500617.tif 000028
2004500617.tif 000029
2004500617.tif 000030
2004500617.tif 000031
2004500617.tif 000032
2004500617.tif 000033
2004500617.tif 000034
2004500617.tif 000035
2004500617.tif 000036
2004500617.tif 000037
2004500617.tif 000038
2004500617.tif 000039
2004500617.tif 000040
2004500617.tif 000041
2004500617.tif 000042
2004500617.tif 000043
2004500617.tif 000044
2004500617.tif 000045
2004500617.tif 000046
2004500617.tif 000047
2004500617.tif 000048
2004500617.tif 000049
2004500617.tif 000050
2004500617.tif 000051
2004500617.tif 000052
2004500617.tif 000053
2004500617.tif 000054
2004500617.tif 000055
2004500617.tif 000056
2004500617.tif 000057
2004500617.tif 000058
2004500617.tif 000059
2004500617.tif 000060
2004500617.tif 000061
2004500617.tif 000062
2004500617.tif 000063
2004500617.tif 000064
2004500617.tif 000065
2004500617.tif 000066
2004500617.tif 000067
2004500617.tif 000068
2004500617.tif 000069
2004500617.tif 000070
2004500617.tif 000071
2004500617.tif 000072
2004500617.tif 000073
2004500617.tif 000074
2004500617.tif 000075
2004500617.tif 000076
2004500617.tif 000077
2004500617.tif 000078
2004500617.tif 000079
2004500617.tif 000080
2004500617.tif 000081
2004500617.tif 000082
2004500617.tif 000083
2004500617.tif 000084
2004500617.tif 000085
【手続補正書】
【提出日】平成13年7月30日(2001.7.30)
【手続補正１】
【補正対象書類名】明細書
【補正対象項目名】特許請求の範囲
【補正方法】変更
【補正の内容】
【特許請求の範囲】
【請求項１】
コンピュータによって実行される方法において：
マクロ経済データ（ＭＥＤ）を含む変数の関数として特許のカバーフラクション（ＣＦ）の値を定義する式に基づいて、前記特許に関する前記ＣＦの値を決定するステップ；および、
前記値に基づいて前記特許に関する指標を表示するステップ；
を含む前記方法。
【請求項２】
前記ＭＥＤは、マクロ経済指標（ＭＥＩ）に関する値であることを特徴とする請求項１記載の方法。
【請求項３】
前記ＭＥＤは、経済のセクタによって生成されるＭＥＩの部分に関する値であることを特徴とする請求項１記載の方法。
【請求項４】
前記決定するステップは、前記ＭＥＤを実質的にすべての特許に関するＣＦの値の合計に等しいとする式において、前記特許に関する前記ＣＦの前記値について解くことを含む請求項１記載の方法。
【請求項５】
前記ＭＥＤは、経済のセクタによって生成されるＭＥＩの部分に関する値であり、前記決定するステップは、前記ＭＥＤを前記セクタに関連付けされた実質的にすべての特許に関する前記ＣＦの値の合計に等しいとする式において、前記特許に関する前記ＣＦの前記値について解くことを含む請求項１記載の方法。
【請求項６】
前記ＭＥＤは、ＭＥＩに関する値であり、前記決定するステップは、前記ＭＥＩに関連付けされた実質的にすべての特許のそれぞれに関して相対価値数を決定することを含む請求項１記載の方法。
【請求項７】
前記相対価値数は、前記特許に固有の、少なくとも１つの特性の測定値であることを特徴とする請求項６記載の方法。
【請求項８】
前記少なくとも１つの特性は、独立クレームの長さであることを特徴とする請求項７記載の方法。
【請求項９】
前記少なくとも１つの特性は、独立クレームの数であることを特徴とする請求項７記載の方法。
【請求項１０】
前記少なくとも１つの特性は、前記特許のセクションの長さの程度であることを特徴とする請求項７記載の方法。
【請求項１１】
前記少なくとも１つの特性は、クレームのクラス数であることを特徴とする請求項７記載の方法。
【請求項１２】
前記少なくとも１つの特性は、クレームの数であることを特徴とする請求項７記載の方法。
【請求項１３】
前記ＭＥＤは、経済のセクタによって生成されるＭＥＩの部分に関する値であり、前記決定するステップは、前記セクタに関連付けされた実質的にすべての特許のそれぞれに関する相対価値数を決定することを含む請求項１記載の方法。
【請求項１４】
前記決定するステップは、前記ＭＥＤを実質的にすべての特許に関する相対価値数の合計の定数倍に等しいとする式において、前記特許に関する前記ＣＦの前記値について解くことを含む請求項１記載の方法。
【請求項１５】
前記ＭＥＤは、経済のセクタによって生成されるＭＥＩの部分に関する値であり、前記決定するステップは、前記ＭＥＤを前記セクタに関連付けされた実質的にすべての特許に関する相対価値数の合計の定数倍に等しいとする式において、前記特許に関する前記ＣＦの前記値について解くことを含む請求項１記載の方法。
【請求項１６】
さらに、前記特許を経済のセクタに関連付けするステップを含む請求項１記載の方法。
【請求項１７】
さらに、前記特許に関する少なくとも１つの特許分類を少なくとも１つの産業コードに対応付けすることによって、前記特許を経済のセクタに関連付けするステップを含む請求項１記載の方法。
【請求項１８】
さらに、前記特許に関連付けされた少なくとも１つの特許分類を定義する単語の、産業分類コードを定義する単語に対する相関をランク付けすることによって、前記特許を経済のセクタに関連付けするステップを含む請求項１記載の方法。
【請求項１９】
前記ＭＥＤは、ＭＥＩに関する値であり、前記ＭＥＩは、所定期間にわたって作り出された物およびサービスの測定値であることを特徴とする請求項１記載の方法。
【請求項２０】
前記ＭＥＤは、ＭＥＩに関する値であり、前記ＭＥＩは、所定期間にわたってもたらされた収益の測定値であることを特徴とする請求項１記載の方法。
【請求項２１】
さらに、前記特許に関する前記ＣＦの前記値に部分的に基づいて前記特許に関する評価を決定するステップ；および、
前記特許の前記評価に基づいて指標を表示するステップ；
を含む請求項１記載の方法。
【請求項２２】
請求項２１の方法そこで、前記評価は、収入評価説に基づく。
【請求項２３】
請求項２２の方法そこで、前記評価は、内部収益率に基づく。
【請求項２４】
２２が前記特許の包含している実施できる命を決めることを進めるという主張の方法。
【請求項２５】
１つの前記特許のための評価を決めることのそれ以上のステップを包含することが前記ＣＦの前記価値で部分で基礎としてなぜなら特許と言ったという主張の方法；および
指示が前記特許のための前記評価に基づかせた展示すること。
【請求項２６】
特許の書類かばんにとって評価を決めることのステップを包含するのがそれ以上の請求項２１の方法 含んでいる前記特許；および
前記書類かばんのための指示が前記評価に基づかせた展示すること。
【請求項２７】
請求項１の方法そこで、前記均衡は、ＭＣＦを含めて変数の機能として前記特許の前記ＣＦの前記価値を限定する。
【請求項２８】
請求項２７の方法そこで、前記ＭＣＦは、資金合計への無形物の比率および収益から総売上高の比率の１つに等しい価値を持っている。
【請求項２９】
請求項１の方法そこで、前記均衡は、異なる特許のために相対的な特許番号を含めて変数の機能として前記特許の前記ＣＦの前記価値を限定する。
【請求項３０】
請求項１の方法そこで、前記均衡は、他の特許の複数のために相対価値番号を含めて変数の機能として前記特許の前記ＣＦの前記価値を限定する。
【請求項３１】
コンピュータシステム、包含すること：
前記特許のためにＭＥＤ、前記ＣＦの前記価値を含めて変数の機能として特許のＣＦの価値を限定する均衡に基づく、決心するための方法 ；および
前記特許のための指示が前記価値に基づかせた展示するための方法。
【請求項３２】
請求項３１のシステムそこで、前記ＭＥＤは、ＭＥＩにとって価値だ。
【請求項３３】
請求項３１のシステムそこで、前記ＭＥＤは、節約のセクターによって生みだされるＭＥＩの一部分のための価値だ。
【請求項３４】
請求項３１のシステムそこで、本質的にすべての特許のために前記ＭＥＤを前記ＣＦの合計価値と同等視する均衡で前記特許のために前記ＣＦの前記価値にとって解いている包含することを決めるための前記方法。
【請求項３５】
請求項３１のシステムそこで、前記ＭＥＤは、ＭＥＩの一部分のための価値が節約のセクターによって生みだしたということだ、本質的にすべての特許のために前記ＭＥＤを前記ＣＦの合計価値と同等視する均衡で前記特許のために前記ＣＦの前記価値のために解くための包含している方法を決めるための前記方法が交際したで言う扇形に分割する。
【請求項３６】
請求項３１のシステムそこで、決心するための前記方法は、それぞれの本質的にすべての特許のための相対価値番号が前記ＭＥＩに関連したことを決定するための方法を包含する。
【請求項３７】
請求項３６のシステムそこで、前記相対価値番号は、前記特許に特徴的であって固有である最低ものの測定だ。
【請求項３８】
請求項３７のシステムそこで、特徴的な最低ものが独立している請求項の１長さだと言った。
【請求項３９】
請求項３７のシステムそこで、特徴的な最低ものが多くの独立している請求項だと言った。
【請求項４０】
請求項３７のシステムそこで、特徴的な最低ものが前記特許の部分の１長さの測定だと言った。
【請求項４１】
請求項３７のシステムそこで、特徴的な最低ものが多くのクラスの要求だと言った。
【請求項４２】
請求項３７のシステムそこで、特徴的な最低ものが多くの要求だと言った。
【請求項４３】
請求項３１のシステムそこで、前記ＭＥＤは価値で、なぜなら、ＭＥＩの一部分は、節約のセクターによって生みだして、そして決心するための方法がそれぞれの本質的にすべての特許のための相対価値番号が前記セクターに関連したことを決定するための方法を包含すると言った。
【請求項４４】
請求項３１のシステムそこで、決心するための方法が解くことを包含すると言ってなぜなら本質的にすべての特許のために前記ＭＥＤを合計相対価値が数えられるたえまない時と同等視する均衡で前記特許のために前記ＣＦの価値と言った。
【請求項４５】
請求項３１のシステムそこで、前記ＭＥＤは、ＭＥＩの一部分のための価値が節約のセクターによって生みだしたということだ、および決心するための方法が解くことを包含すると言ってなぜなら本質的にすべての特許のために前記ＭＥＤを合計相対価値が数えられるたえまない時と同等視する均衡で前記特許のために前記ＣＦの価値と言った交際するで言う扇形に分割する。
【請求項４６】
３１が包含することを進めるという主張のシステムは、前記特許で経済のセクターを連想するために意味する。
【請求項４７】
３１のそれ以上の包含することが最低１つの産業のコードにとって前記特許で最低１に一致すること特許分類による経済のセクターを連想するためであって、なぜなら言われる特許の意味を持つという主張のシステム。
【請求項４８】
３１のそれ以上の包含することが特許分類を最低１に限定して単語の相互関係を並べることによって前記特許で経済のセクターを連想することに与えるつもりの要求のシステムは、業種別分類コードを定義する単語への前記特許に関連した。
【請求項４９】
請求項３１のシステムそこで、前記ＭＥＤは、ＭＥＩにとって価値であって、ＭＥＩが品物の測定、および一定期間の間生じられたサービスだと言った。
【請求項５０】
請求項３１のシステムそこで、前記ＭＥＤは、ＭＥＩにとって価値で、そして、前記ＭＥＩは、収益の測定が一定期間の間製造したということだ。
【請求項５１】
３１のそれ以上の包含することが前記特許のために前記ＣＦの前記価値で一部分で前記特許のための評価が基礎としたことを決定するために意味するという主張のシステム；および
指示が前記特許のための前記評価に基づかせた展示するための方法。
【請求項５２】
請求項５１のシステムそこで、前記評価は、収入評価説に基づく。
【請求項５３】
請求項５２のシステムそこで、前記評価は、内部収益率に基づく。
【請求項５４】
５２のそれ以上の包含することが前記特許の実施できる命を決めることに与えるつもりの要求のシステム。
【請求項５５】
３１のそれ以上の包含することが前記特許のために前記ＣＦの前記価値で一部分で前記特許のための評価が基礎としたことを決定するために意味するという主張のシステム；および
指示が前記特許のための前記評価に基づかせた展示するための方法。
【請求項５６】
３１のそれ以上の包含することが特許の書類かばんのための評価を決めることに与えるつもりの要求のシステム 含んでいる前記特許；および
前記書類かばんのための指示が前記評価に基づかせた展示するための方法。
【請求項５７】
請求項３１のシステムそこで、前記均衡は、ＭＣＦを含めて変数の機能として前記特許の前記ＣＦの前記価値を限定する。
【請求項５８】
請求項５７のシステムそこで、前記ＭＣＦは、資金合計への無形物の比率および収益から総売上高の比率の１つに等しい価値を持っている。
【請求項５９】
請求項３１のシステムそこで、前記均衡は、異なる特許のために相対的な特許番号を含めて変数の機能として前記特許の前記ＣＦの前記価値を限定する。
【請求項６０】
請求項３１のシステムそこで、前記均衡は、他の特許の複数のために相対価値番号を含めて変数の機能として前記特許の前記ＣＦの前記価値を限定する。
【請求項６１】
コンピュータがステップを包含する方法を実行した、：
含んで合図を送ること 特許のＣＦの価値のための指示 前記価値は、ＭＥＤを含めて変数の機能として特許のＣＦの価値を限定する均衡に基づいて決心した。
【請求項６２】
コンピュータがステップを包含する方法を実行した、：
実施できる特許の１／１数が最初の期間で実体によって所有したことを決定すること；
実施できる特許の１／２数が第２の期間で前記実体によって所有したことを決定すること；および
指示が（１）前記最初の期間の前記最初の数字および（２）前記第２の期間の前記秒番号に基づかせた展示すること。
【請求項６３】
コンピュータがステップを包含する方法を実行した、：
特許の最初の評価が最初の期間で実体によって所有したことを決定すること；
特許の第２の評価が第２の期間で実体によって所有したことを決定すること；および
指示が（１）前記最初の期間の前記最初の評価および（２）前記第２の期間の前記第２の評価に基づかせた展示すること。
【請求項６４】
コンピュータがステップを包含する方法を実行した、：
特許の最初のＣＦが最初の期間で実体によって所有したことを決定すること；
特許の第２のＣＦが第２の期間で実体によって所有したことを決定すること；および 指示が（１）前記最初の期間の前記最初のＣＦおよび（２）前記第２の期間の前記第２のＣＦに基づかせた展示すること。
【請求項６５】
コンピュータがステップを包含する方法を実行した、：
特許の１／１数が最初の期間期間の間に実体によって得たことを決定すること；
特許の１／２数が第２の期間期間の間に前記実体によって得たことを決定すること；および
指示が（１）前記最初の数字、および前記最初の期間期間、および（２）前記秒番号、および前記第２の期間期間に基づかせた展示すること。
【請求項６６】
コンピュータがステップを包含する方法を実行した、：
推定するから かなり多くの実施できる特許は、未来の期間の未来番号より前の様々な期間の実体によって所有した；および
指示が前記未来番号、および前記未来の期間に基づかせた展示すること。
【請求項６７】
コンピュータがステップを包含する方法を実行した、：
前記実体の未来の期間の未来のＣＦより前の様々な期間で実体のＣＦから推定している；および
指示が前記未来のＣＦ、および前記未来の期間に基づかせた展示すること。
【請求項６８】
コンピュータがステップを包含する方法を実行した、：
実施できる特許の評価からの推定することは、未来の期間の未来の評価より前の様々な期間の実体によって所有した；および
指示が前記未来の評価、および前記未来の期間に基づかせた展示すること。
【請求項６９】
コンピュータがステップを包含する方法を実行した、：
かなり多くの実施できる特許からの推定することは、未来の期間の未来番号より前の様々な期間の実体によって所有した；および
指示が前記未来番号、および前記未来の期間に基づかせた展示すること。
【請求項７０】
コンピュータがステップを包含する方法を実行した、：
推定するから ＣＦが未来の期間と評価する前記実体の未来より前の様々な期間の実体のＣＦのための価値；および
指示が前記実体の未来のＣＦに基づかせた展示することは、未来の期間と評価して言った。
【請求項７１】
コンピュータがステップを包含する方法を実行した、：
実体のために最低１つのＨＰＦ、ＣＰＦ、およびＦＰＦ比率を決めること；および
実体の断固とした比率、および身元を表すこと。
【請求項７２】
コンピュータがステップを包含する方法を実行した、：
実体のために最低１つのＨＰ、ＣＰ、およびＦＰＳ比率を決めること；および
断固とした比率を表すおよびひとつの同一視する、実体。
【請求項７３】
コンピュータがステップを包含する方法を実行した、：
人口統計学の特許価値を決めて、合計特許のために、地理学の地域、経済のセクター、の会議１以上の基準は、分類、および譲り受け人に特許権を与える；および
会っている言われた人口統計学の特許価値に基づかせられた表示しているデータは、１以上の基準と言った。
【請求項７４】
コンピュータがステップを包含する方法を実行した、：
節約のそれで特許が始まって終わるデートの相手にみんなを兼ねてそれぞれの本質的にすべての特許にとって実施できる決意をさせること、および前記節約の経済のセクター；
前記日に基礎とされて、前記セクター、および前記節約の１つに多くの実施できる特許を決めること；および
指示が前記数字で部分では少なくとも基礎としたことを示すこと。
【請求項７５】
データベース、包含している前記データベース：
記録の複数、そこで
それぞれの記録は、特許のＩＤ、および前記特許の請求項の１長さの測定をしまっておく。
【請求項７６】
データベース、包含している前記データベース：
記録の複数、そこで
それぞれの記録は、特許のＩＤ、および最低１つの前記特許に固有の相対価値特徴の測定をしまっておく。
【請求項７７】
請求項７６のデータベースそこで、前記特許に固有の前記相対価値特徴は、前記特許のデータ・フィールドの１長さの（１）測定のセットのメンバーだ、（２）前記特許のデータ・フィールドの参加の数、そして、（３）独立の数字は、前記特許で主張する。
【請求項７８】
請求項７６のデータベースそこで、それぞれは、日、実施できる期末日、相対価値番号、およびＣＦを始めて記録がより遠く実施できる用語のセットのメンバーを蓄えると言った。
【請求項７９】
コンピュータがステップを包含する方法を実行した、：
決心していて、ＭＥＤ、前記ＣＦの前記価値を含めて変数の機能として特許のＣＦの価値を限定する均衡に基づいて、なぜなら前記特許 ；および
助言して合図を生みだすこと、あるいは前記価値で少なくとも一部分で基礎とされた金融取引を実行することを教えること。
【請求項８０】
コンピュータがステップを包含する方法を実行した、；
価値が特許データに基づかせた決心すること；および
前記価値によっては金融取引を実行するために指示を送ること。
【請求項８１】
コンピュータがステップを包含して、方法を実行した、：
前記ユーザー、財政上の商事会社のためのインターネット・アドレスへのリンクを含む前記ファイル、のユーザーのアドレスに特許である最低ものの間特許価値情報を含むファイルを送ること、およびＩＤが（１）のうち１つの前記ユーザーのＩＤをまた含むリンクと言ったおよび（２）持ち主のＩＤ、特許である最低ものは、言った。
【請求項８２】
コンピュータがステップを包含して、方法を実行した、：
示している職業のユーザー情報が確立する（べき）ユーザーは、最低１つの毎年の総収入、およびネットワーク組織価値を包含する投資家地位を功績とした、そして、最低１つのビジネス所有権、投資することに歴史、コースを費やす株式市場、がライセンスを与える鼓舞投資知識、および少なくとも１金融機関でどちら言うユーザー維持するひとつの金融勘定のために少なくとも１、金およびセキュリティ、そして、前記アカウントへのアクセスのための権限付与；
前記ユーザーから受領して、最低１つの毎年の総収入、およびデータ相当のネットワーク組織、および最低１つのビジネス所有権、投資することに歴史、コースを費やす株式市場、は、投資知識データを示す職業でライセンスを与える；
前記金融機関に前記アカウントにおける機敏な財政上の情報を伝えること； および
資格を得ることは、公認の投資家がデータの部分では少なくとも基礎としたユーザーが前記ユーザーから、および前記金融機関から受領したと言った。
【請求項８３】
前記ユーザーから受領の８２のそれ以上のステップを包含することを要求するために一致する方法ひとつの同一視する、前記ユーザーから受け取られたデータと一緒に前記ユーザーから受け取られたデータの立証のために前記第三者にきっかけを送って、１／３は楽しむ；および
公認の投資家がデータの部分では少なくとも基礎とした前記投資家が前記第三者から受け取った資格を得ること。
【請求項８４】
包含している製品：
信号の含むこと 特許のＣＦの価値の指示 前記価値は、ＭＥＤを含めて変数の機能として特許のＣＦの価値を限定する均衡に基づいて決心した。
【請求項８５】
包含している製品：
そうすることをコンピュータを教える情報を含む合図 特許のための指示が前記ＣＦの前記特許の、前記価値のＣＦの価値に基づかせたディスプレイ ＭＥＤを含めて変数の機能としてＣＦを限定する均衡に基づく。
【請求項８６】
請求項８５の製品そこで、前記指示は、前記特許の前記ＣＦの前記価値を含む。
【請求項８７】
請求項８５の製品そこで、前記指示は、前記特許の評価を含む。
【請求項８８】
請求項８５の製品そこで、前記指示は、前記特許を所有して会社の評価を含む。
【請求項８９】
請求項８５の製品そこで、前記合図はＥメールだ。
【請求項９０】
請求項８５の製品そこで、前記合図は、ウェブページだ。
【請求項９１】
包含している製品：
信号の含むこと 会社によって所有されて、 ＣＦの価値の指示が最低１の間特許をとる前記価値は、ＭＥＤを含めて変数の機能として特許のＣＦの価値を限定する均衡に基づいて決心した。
【請求項９２】
包含している製品：
限定している均衡に基づかせられた前記会社、前記ＣＦの前記価値によって特許であって所有された最低ものの間会社のための指示がＣＦの価値に基づかせたコンピュータに表示するように指示する情報を含む合図ＣＦとしてひとつの機能、変数を含むひとつのＭＥＤ。
【請求項９３】
請求項９２の製品そこで、前記ＣＦは、前記会社によって所有された特許の複数に基づく。
【請求項９４】
請求項９２の製品そこで指示が前記ＣＦの前記価値を含むと言う、特許である最低ものは、言った。
【請求項９５】
請求項９２の製品そこで、前記会社によって所有されて、前記指示は、特許の複数の評価を含む。
【請求項９６】
請求項９２の製品そこで、前記指示は、前記会社の評価を含む。
【請求項９７】
請求項９２の製品そこで、前記合図はＥメールだ。
【請求項９８】
請求項９２の製品そこで、前記合図は、ウェブページだ。
【請求項９９】
包含している製品：
ディスプレイ、 特許のＣＦの価値の指示 前記価値は、ＭＥＤを含めて変数の機能として特許のＣＦの価値を限定する均衡に基づいて決心した。
【請求項１００】
請求項９９の製品そこで、前記ディスプレイは、前記変数の１つの間（１）のうち最低１つの前記均衡、（２）最低１つの前記変数、および（３）最低１価値の指示をまた含む。
【請求項１０１】
包含している製品：
特許のための指示のディスプレイは、前記特許のＣＦの価値で基礎としたと、ＭＥＤを含めて変数の機能としてＣＦを限定する均衡に基づかせられた前記ＣＦの価値は言った。
【請求項１０２】
請求項１０１の製品そこで、前記指示は、前記特許の前記ＣＦの前記価値を含む。
【請求項１０３】
請求項１０１の製品そこで、前記指示は、前記特許の評価を含む。
【請求項１０４】
請求項１０１の製品そこで、前記指示は、前記特許を所有して会社の評価を含む。
【請求項１０５】
請求項１０１の製品そこで、前記ディスプレイは、モニター画面ディスプレイだ。
【請求項１０６】
請求項１０１の製品そこで、前記ディスプレイは、印刷されたディスプレイだ。
【請求項１０７】
包含している製品：
含んでいるディスプレイ 会社によって所有されて、 ＣＦの価値の指示が最低１の間特許をとる前記価値は、ＭＥＤを含めて変数の機能として特許のＣＦの価値を限定する均衡に基づいて決心した。
【請求項１０８】
包含している製品：
ＭＥＤを含めて変数の機能としてＣＦを限定する均衡に基づかせられた前記会社、前記ＣＦの前記価値によって特許であって所有された最低ものの間ＣＦの価値に基づかせられた会社のための指示を含むディスプレイ。
【請求項１０９】
請求項１０８の製品そこで、前記ＣＦは、前記会社によって所有された特許の複数に基づく。
【請求項１１０】
請求項１０８の製品そこで指示が前記ＣＦの前記価値を含むと言う、特許である最低ものは、言った。
【請求項１１１】
請求項１０８の製品そこで、前記会社によって所有されて、前記指示は、特許の複数の評価を含む。
【請求項１１２】
請求項１０８の製品そこで、前記指示は、前記会社の評価を含む。
【請求項１１３】
請求項１０８の製品そこで、前記ディスプレイは、モニター画面だ ディスプレイ。
【請求項１１４】
請求項１０８の製品そこで、前記ディスプレイ 印刷されたディスプレイだ。
【請求項１１５】
請求項１０８の製品そこで、前記ディスプレイは、グラフィックを最低１に含む。
【請求項１１６】
請求項１０８の製品そこで、前記ディスプレイは、チャートを最低１に含む。
【請求項１１７】
請求項１０８の製品そこで、前記 指示は含む 特許のためのＣＦのための価値は、前記会社対期間までに所有した。
【請求項１１８】
請求項１０８の製品そこで、前記指示は、前記会社対期間までに所有された特許のために評価を含む。
【請求項１１９】
請求項１０８の製品そこで、前記指示は、前記会社対期間の財政上の評価に前記会社によって所有された特許のための１つのＣＦ、および前記会社によって所有された特許のための評価の比率を含む。
【請求項１２０】
３１、それ以上のデータベースを包含することは、記録の複数を包含するデータベースと言った、そこで、それぞれの記録が特許のＩＤを保管するという主張のシステム、および前記特許の請求項の１長さの測定。
【請求項１２１】
３１、それ以上のデータベースを包含することは、記録の複数を包含するデータベースと言った、そこで、それぞれの記録が特許のＩＤを保管するという主張のシステム、および最低１つの前記特許に固有の相対価値特徴の測定。
【請求項１２２】
請求項１２１のシステムそこで、前記特許に固有の前記相対価値特徴は、前記特許のデータ・フィールドの１長さの（１）測定のセットのメンバーだ、（２）前記特許のデータ・フィールドの参加の数、そして、（３）独立の数字は、前記特許で主張する。
【請求項１２３】
請求項１２１のシステムそこで、それぞれは、日、実施できる期末日、相対価値番号、およびＣＦを始めて記録がより遠く実施できる用語のセットのメンバーを蓄えると言った。
【請求項１２４】
コンピュータがステップを包含する方法を実行した、：
決心していて、ＭＥＤ、前記ＣＦの前記価値を含めて変数の機能として特許のＣＦの価値を限定する均衡に基づいて、なぜなら言われる特許 ；および
コンピュータに前記価値で少なくとも一部分で基礎とされた金融取引を実行するように指示する合図を送ること。
【請求項１２５】
コンピュータがステップを包含する方法を実行した、：
ＭＥＤを含めて変数の機能として特許のＣＦの価値を決めること；および
前記価値のための指示を含む合図を送ること。
【請求項１２６】
コンピュータがステップを包含する方法を実行した、；
価値が特許データに基づかせた決心すること；および
前記価値によっては金融取引を実行するためにコンピュータに指示を送ること。
【請求項１２７】
コンピュータがステップを包含して、方法を実行した、：
前記ユーザー、財政上の商事会社のためのインターネット・アドレスへのリンクを含む前記ファイル、のユーザーのアドレスに特許である最低ものの間特許価値情報を含むファイルを送ること、およびＩＤが（１）のうち１つの前記ユーザーのＩＤをまた含むリンクと言ったおよび（２）持ち主のＩＤ、特許である最低ものは、言った；および
ユーザーの前記インターネットへのアドレスを持っているコンピュータを繋ぐことは、リンクを活動的にするユーザーで話をする。
【請求項１２８】
そうすることをコンピュータ指示をしまっておいて読みやすくて中間のコンピュータを包含する製品：
決心せよ特許のＣＦの価値 ＭＥＤを含めて変数の機能として特許のＣＦの価値を限定する均衡に基づく；および
前記価値の指示を含む合図を送れ。
【請求項１２９】
包含している製品 読みやすくてそうすることをコンピュータ指示をしまっておくのが中間のコンピュータ ：
決心せよ特許のＣＦの価値 ＭＥＤを含めて変数の機能として特許のＣＦの価値を限定する均衡に基づく；および
特許のための指示が前記価値に基づかせたディスプレイ。
【請求項１３０】
請求項１２９の製品そこで、前記指示は、前記特許の前記ＣＦの前記価値を含む。
【請求項１３１】
請求項１２９の製品そこで、前記指示は、前記特許の評価を含む。
【請求項１３２】
請求項１２９の製品そこで、前記指示は、前記特許を所有して会社の評価を含む。
【請求項１３３】
請求項１２９の製品そこで、前記指示は、会社のために財政上のデータのために（２）価値に前記ＣＦで（１）前記特許のための前記ＣＦの前記価値の１つの比率、および少なくとも一部分で基礎とされた前記特許の評価を包含する。
【請求項１３４】
請求項１２９の製品そこで、前記ディスプレイはＥメールを表す。
【請求項１３５】
請求項１３０の製品そこで、前記ディスプレイは、ウェブページの最も小さな一部分で展示する。
【請求項１３６】
包含している製品 読みやすくてそうすることをコンピュータ指示をしまっておくのが中間のコンピュータ：
特許がＭＥＤを含めて変数の機能として特許のＣＦの価値を限定する均衡に基づかせた最低１の間ＣＦの価値を決めよ；および
前記価値の指示を含むこと、および所有している会社の身元の指示が特許と最低１に言ったという合図を送れ。
【請求項１３７】
請求項１３６の製品そこで指示が（１）前記ＣＦの前記価値の１つの比率を包含すると言ってなぜなら特許および評価と最低１に言った、会社のために財政上のデータのために（２）価値に前記ＣＦで少なくとも一部分で基礎とされた特許と最低１に言った。
【請求項１３８】
包含している製品 読みやすくてそうすることをコンピュータ指示をしまっておくのが中間のコンピュータ：
ＣＦの価値を決めよ ＭＥＤを含めて変数の機能として特許のＣＦの価値を限定する均衡に基づく；および
前記価値で（１）会社に関する報告を表すことあるいは（２）前記会社の安全を買うかまたは売るために推薦を表すことが部分では少なくとも基礎としたコンピュータを教える情報を含む合図を送れ。
【請求項１３９】
請求項１３８の製品そこで、前記ＣＦは、特許の複数の合計ＣＦが前記会社によって所有したということだ。
【請求項１４０】
請求項１３８の製品そこで指示が前記ＣＦの前記価値を含むと言う、特許である最低ものは、言った。
【請求項１４１】
請求項１３８の製品そこで、前記会社によって所有されて、前記指示は、特許の複数の評価を含む。
【請求項１４２】
請求項１３８の製品そこで、前記指示は、前記会社の評価を含む。
【請求項１４３】
請求項１３８の製品そこで、前記合図はＥメールを含む。
【請求項１４４】
請求項１３８の製品そこで、前記合図は、ウェブページの間コードを含む。
【請求項１４５】
包含している製品 読みやすくてそうすることをコンピュータ指示をしまっておくのが中間のコンピュータ：
結果を含むデータを回収する、ひとつの ＭＥＤを含めて変数の機能として特許のＣＦの価値を限定する均衡に基づかせられたＣＦの価値の決心 ；および
ディスプレイは価値と言った。
【請求項１４６】
請求項１４５の製品そこで、前記ディスプレイは、前記変数の１つの間（１）のうち最低１つの前記均衡、（２）最低１つの前記変数、および（３）最低１価値の指示をまた含む。
【請求項１４７】
そうすることをコンピュータ指示をしまっておいて読みやすくて中間のコンピュータを包含する製品：
ＭＥＤを含めて変数の機能としてＣＦを限定する均衡に基づかせられた特許のＣＦの価値を決める；および
特許のための指示が前記価値に基づかせたディスプレイ。
【請求項１４８】
請求項１４７の製品そこで、前記指示は、前記特許の前記ＣＦの前記価値を含む。
【請求項１４９】
請求項１４７の製品そこで、前記指示は、前記特許の評価を含む。
【請求項１５０】
請求項１４７の製品そこで、前記指示は、前記特許を所有して会社の評価を含む。
【請求項１５１】
請求項１４７の製品そこで、前記ディスプレイは、モニター画面ディスプレイだ。
【請求項１５２】
請求項１４７の製品そこで、前記ディスプレイは、印刷されたディスプレイだ。
【請求項１５３】
そうすることをコンピュータ指示をしまっておいて読みやすくて中間のコンピュータを包含する製品：
ＭＥＤを含めて変数の機能として特許のＣＦの価値を限定する均衡に基づかせられた特許のＣＦの価値を決める；
ディスプレイ 前記価値に基づかせられた指示；および
展示するためのシステムは、指示と言った。
【請求項１５４】
そうすることをコンピュータ指示をしまっておいて読みやすくて中間のコンピュータを包含する製品：
ＭＥＤを含めて変数の機能として特許のＣＦの価値を限定する均衡に基づかせられた特許のＣＦの価値を決める；および
前記会社によって特許であって所有された最低ものの間ＣＦの価値に基づかせられた会社のための指示を表せ。
【請求項１５５】
請求項１５４の製品そこで、前記ＣＦは、前記会社によって所有された特許の複数に基づく。
【請求項１５６】
請求項１５４の製品そこで指示が前記ＣＦの前記価値を含むと言う、特許である最低ものは、言った。
【請求項１５７】
請求項１５４の製品そこで、前記会社によって所有されて、前記指示は、特許の複数の評価を含む。
【請求項１５８】
請求項１５４の製品そこで、前記指示は、前記会社の評価を含む。
【請求項１５９】
１５４のそれ以上のモニターを包含することが映画になるという主張の製品 ディスプレイ。
【請求項１６０】
請求項１５４の製品 それ以上の包含すること プリンター。
【請求項１６１】
請求項１５４の製品そこで、前記ディスプレイは、グラフィックを最低１に含む。
【請求項１６２】
請求項１５４の製品そこで、前記ディスプレイは、チャートを最低１に含む。
【請求項１６３】
請求項１５４の製品そこで、前記 指示は含む 特許のためのＣＦのための価値は、前記会社対期間までに所有した。
【請求項１６４】
請求項１５４の製品そこで、前記指示は、前記会社対期間までに所有された特許のために評価を含む。
【請求項１６５】
請求項１５４の製品そこで、前記指示は、前記会社対期間の（２）財政上の評価に前記会社によって所有された特許のための（１）ＣＦの１つの比率、および前記会社によって所有された特許のための評価を含む。
【請求項１６６】
コンピュータがステップを包含する方法を実行した、：
特許のセットが会社によって所有したことを決定すること；
期間期間に及ぶｓｐｅｄｉｆｙｉｎｇ日；
特許、それぞれの前記セットのサブセットの複数を決めることは、前記確定日の１つに実施できる含んでいる唯一の特許をサブセットに分けた；
そのサブセットのＣＦは、それぞれの前記サブセットのための価値をサブセットに分けた、そこで、それぞれのＣＦサブセット価値が特許の合計ＣＦを限定することを決定すること；および
限定してデータを含む合図を送ることは、言ったと、ＣＦサブセットは確定日に評価して言った。
【請求項１６７】
絵を見るように展示することの１６６のそれ以上のステップを包含することがＣＦと言ったという主張の方法は、前記確定日の機能として価値をサブセットに分けた。
【請求項１６８】
前記ＣＦのディスプレイと共同して絵を見るように展示する１６７のそれ以上の包含することがサブセットに分けたという主張の方法は、期間の前記期間に日の間に前記会社のための歴史的な財政上のデータを評価する。
【請求項１６９】
請求項１６６限定している前記データの部分の最少での財政上の決定が言った頼ることを包含するのがそれ以上のＣＦサブセット価値、および前記確定日の方法。
【請求項１７０】
コンピュータがステップを包含する方法を実行した、：
特許のセットが会社によって所有したことを決定すること；
期間期間での明確に述べている日；
特許、それぞれの前記セットのサブセットの複数を決めることは、前記確定日の１つに実施できる含んでいる唯一の特許をサブセットに分けた；
それぞれの前記サブセットのためのサブセット評価を決めて、そこで、それぞれのサブセット評価は、そのサブセットの特許の合計評価を限定する；および
限定している含んでいるデータが言ったという合図を送ることは、評価をサブセットに分けて、そして確定日に言った。
【請求項１７１】
１７０の絵を見るように展示することのそれ以上のステップを包含することが言ったという主張の方法は、前記確定日の機能として評価をサブセットに分けた。
【請求項１７２】
１７１が期間の前記期間に日の間に前記会社のための前記サブセット評価のディスプレイと共同して絵を見るように展示するのが包含している歴史的な財政上のデータを進めるという主張の方法。
【請求項１７３】
前記データで少なくとも一部分で頼ること財政上の決定を包含するのがそれ以上の１７０の限定することが言ったという主張の方法は、評価をサブセットに分けて、そして確定日に言った。
【請求項１７４】
ステップを包含する方法、；
データベース記録で蓄えて、どちらそれぞれは、特許確認する者、有効期限、最低１つの相対的な特許番号、ＣＦ、および評価を含む；
コンピュータで受領して特許価値情報の要求；
言われた依頼に応えて：
（１）記録でデータで少なくとも一部分で基礎とされた報告を用意することは、前記データベース、特許である最低ものに関する情報を含む前記報告、および特許確認する者、および最低１つの相対的な特許番号を含むＣＦで蓄えた、およびひとつの評価；および
（２）送ることは、アドレスへの報告と言った。
【請求項１７５】
請求項１７４の方法そこで、前記アドレスは、前記依頼に関係があるＥメールアドレスだ。
【請求項１７６】
請求項１７４の方法そこで、特許である最低ものが特許の複数を包含すると言った。
【国際調査報告】
2004500617.tif 000086